(57)【要約】【課題】遊技球通路から流出する遊技球の流れの安定化を図る。【解決手段】センター装飾体１０に一体成型される球通路１０ｂの球出口下方に、遊技盤２の表面を露呈する開口１０ｃを設け、該開口１０ｃの範囲内であって球通路１０ｂの球出口近傍に、５本の遊技釘１６ａ〜１６ｅからなる遊技釘通路を設ける。球通路１０ｂから流出する遊技球は、すべて遊技釘通路を通過するものとする。遊技釘通路における右下３本の遊技釘１６ｃ〜１６ｅによって、球通路１０ｂから流出する遊技球を所定方向へ誘導するとともに、同左上の２本の遊技釘１６ａ，１６ｂによって、球通路１０ｂから流出してくる遊技球の勢いを抑えるように構成する。これにより、球通路１０ｂから流出する遊技球を安定的に流下させることが可能となる。【選択図】図５２
2019010272.tif 000002
【特許請求の範囲】
【請求項１】
遊技球が流下可能な遊技領域を表面に形成してなる遊技盤を備えた遊技機であって、
前記遊技領域には、遊技球が通過可能な通路として、樹脂成型物で構成された成型物通路と、遊技釘で構成された遊技釘通路と、が設けられ、
前記遊技釘通路は、前記成型物通路の球出口近傍であって、前記成型物通路から流出する全ての遊技球が通過する位置に設けられる
ことを特徴とする遊技機。
【発明の詳細な説明】
【技術分野】
【０００１】
本発明は、遊技機に関し、特にパチンコ遊技機等に適用することができる。
【背景技術】
【０００２】
従来、パチンコ遊技機等の遊技機は、遊技球が流下可能な遊技領域を表面（盤面）に形成してなる遊技盤を備えている。遊技領域には、入賞口やゲート等、遊技球が入球可能な種々の入球口が設けられるとともに、複数の遊技釘が設けられている。遊技領域に向けて発射された遊技球は、遊技釘に衝突しながら遊技領域を流下していくことで、その流下する方向や勢い（速度）に変化が与えられる。また、所謂「センター役物」や「センターフレーム」と呼ばれる枠状の装飾部材を備えるとともに、その枠状装飾部材の中央開口を介して表示内容が視認可能となる演出表示装置を備えたものも多く存在する。この種の遊技機は、最近では、演出表示装置（表示面）の大型化が進み、これに伴って枠状装飾部材も大型化し、その結果、遊技領域が狭く（小さく）なっている。そこで、枠状装飾部材の外縁の一部に遊技球が流下可能な遊技球通路を形成することで、演出表示装置等の大型化に対応している（例えば特許文献１を参照）。
【先行技術文献】
【特許文献】
【０００３】
【特許文献１】特開２０１２−６１０５２号公報
【発明の概要】
【発明が解決しようとする課題】
【０００４】
しかしながら、枠状装飾部材に形成される遊技球通路には、その通路幅の関係上、遊技釘が設けられないのが一般的である。このため、遊技球通路から流出する遊技球の流れを安定させることが難しいという問題があった。
【０００５】
本発明は、上記事情に鑑みてなされたものであり、その目的とするところは、遊技球通路から流出する遊技球の流れの安定化を図ることが可能な遊技機を提供することにある。
【課題を解決するための手段】
【０００６】
前述の課題を解決するために、本発明は以下の手段を採ることとした。
すなわち、手段１の遊技機は、
遊技球が流下可能な遊技領域を表面に形成してなる遊技盤を備えた遊技機であって、
前記遊技領域には、遊技球が通過可能な通路として、樹脂成型物で構成された成型物通路と、遊技釘で構成された遊技釘通路と、が設けられ、
前記遊技釘通路は、前記成型物通路の球出口近傍であって、前記成型物通路から流出する全ての遊技球が通過する位置に設けられる
ことを要旨とする。
【発明の効果】
【０００７】
以上の本発明によれば、遊技球通路（成型物通路）から流出する遊技球の流れの安定化を図ることが可能となる。
【図面の簡単な説明】
【０００８】
【図１】本発明の実施例に係る遊技機の正面図である。
【図２】本発明の実施例に係る遊技機の裏面図である。
【図３】本発明の実施例に係る遊技盤の構成を示す正面図である。
【図４】図３に示す主表示器の拡大図であり、同遊技機が備える表示器類を示す図である。
【図５】同遊技機の電気的な構成を示すブロック図である。
【図６】大当りの種別と大入賞口の開放パターンとの対応等を示す表である。
【図７】遊技制御用マイコンが取得する各種乱数を示す表である。
【図８】（Ａ）は大当り判定テーブルであり、（Ｂ）は大当り種別判定テーブルであり、（Ｃ）は普通図柄当り判定テーブルであり、（Ｄ）は普通図柄変動パターン選択テーブルである。
【図９】変動パターンテーブルである。
【図１０】主制御メイン処理のフローチャートである。
【図１１】メイン割り込み処理のフローチャートである。
【図１２】始動口センサ検知処理のフローチャートである。
【図１３】始動入球時処理のフローチャートである。
【図１４】普図動作処理のフローチャートである。
【図１５】普通図柄待機処理のフローチャートである。
【図１６】普通図柄当否判定処理のフローチャートである。
【図１７】普通図柄乱数シフト処理のフローチャートである。
【図１８】普通図柄変動中処理のフローチャートである。
【図１９】普通図柄確定処理のフローチャートである。
【図２０】普通電動役物処理のフローチャートである。
【図２１】特図動作処理のフローチャートである。
【図２２】特別図柄待機処理のフローチャートである。
【図２３】特図２当否判定処理のフローチャートである。
【図２４】特図２変動パターン選択処理のフローチャートである。
【図２５】特図２変動パターン選択処理のフローチャートである。
【図２６】特図２乱数シフト処理のフローチャートである。
【図２７】特図１当否判定処理のフローチャートである。
【図２８】特図１変動パターン選択処理のフローチャートである。
【図２９】特図１変動パターン選択処理のフローチャートである。
【図３０】特図１乱数シフト処理のフローチャートである。
【図３１】特別図柄変動中処理のフローチャートである。
【図３２】特別図柄確定処理のフローチャートである。
【図３３】特別電動役物処理（大当り遊技）のフローチャートである。
【図３４】遊技状態設定処理のフローチャートである。
【図３５】保留球数処理のフローチャートである。
【図３６】電源断監視処理のフローチャートである。
【図３７】サブ制御メイン処理のフローチャートである。
【図３８】受信割り込み処理のフローチャートである。
【図３９】２ｍｓタイマ割り込み処理のフローチャートである。
【図４０】１０ｍｓタイマ割り込み処理のフローチャートである。
【図４１】受信コマンド解析処理のフローチャートである。
【図４２】チャンス目予告設定処理のフローチャートである。
【図４３】変動演出開始処理のフローチャートである。
【図４４】停止演出図柄設定処理のフローチャートである。
【図４５】停止演出図柄設定処理のフローチャートである。
【図４６】停止演出図柄設定処理のフローチャートである。
【図４７】チャンス目予告決定テーブル（大当り保留用）である。
【図４８】チャンス目予告決定テーブル（外れ保留用）である。
【図４９】チャンス目予告を伴う変動演出の流れを示す画面表示例である。
【図５０】センター装飾体の斜視図である。
【図５１】センター装飾体の裏面側の要部斜視図であり、（ａ）はゲートセンサ非装着状態を示しており、（ｂ）はゲートセンサ装着状態を示しており、（ｃ）はカバー部材装着状態を示している。
【図５２】（ａ）は本実施例に係る球通路から流出する遊技球の流れを示す説明図であり、（ｂ）は比較例に係る球通路から流出する遊技球の流れを示す説明図である。
【図５３】別例に係る停止演出図柄設定処理のフローチャートである。
【図５４】別例に係る停止演出図柄設定処理のフローチャートである。
【発明を実施するための形態】
【０００９】
次に、本発明の実施の形態を、実施例を用いて説明する。以下では、遊技に用いる遊技媒体が遊技球とされ、当該遊技球を遊技盤面に向けて発射することで遊技を進行させることが可能なパチンコ遊技機（弾球遊技機）に、本発明を適用した例を説明する。尚、以下では、始動口への遊技球の入球に基づいて特別図柄の変動表示を行い、当該特別図柄の変動表示の終了に伴い大当り図柄が停止表示されると、遊技者に所定量の遊技利益（例えば、賞球）が付与され得る大当り遊技（特別遊技）が実行可能となる所謂「１種タイプ」のパチンコ遊技機を例に説明する。
【００１０】
また、以下の説明において、単に前側（前方）とは、遊技機を正面視した場合の手前側（遊技時に遊技者が位置する側）のことであり、単に後側（後方）とは、遊技機を正面視した場合の裏面側（背面側）のことである。また、単に上側（上方）、下側（下方）、左側（左方）、右側（右方）とは、遊技機を正面視した場合の上・下・左・右の各方向のことであり、例えば、図１や図３における上側、下側、左側、右側を指す。
【実施例】
【００１１】
図１乃至図３に示すように、本実施例のパチンコ遊技機１は、遊技機枠５０と、遊技機枠５０内に取り付けられた遊技盤２とを備えており、遊技盤２は遊技機枠５０から着脱自在に構成されている。図３は、遊技盤２を遊技機枠５０から取り外した状態のものを示す。遊技機枠５０は、装飾面を有する前面枠５１と、遊技盤２等を取り付ける本体枠５２と、パチンコ遊技機１をホールの島設備に取り付けるための外枠５３と、を有して構成されており、前面枠５１、本体枠５２及び外枠５３は、一側端側で軸支され夫々開閉可能に構成されている。
【００１２】
また、前面枠５１には、遊技者の操作量（回転角度）に応じた発射強度で遊技球を発射させるための発射ハンドル６０、遊技球を貯留し貯留した遊技球を発射装置側に供給可能な打球供給皿（上皿）６１、及び打球供給皿６１に収容しきれない遊技球を貯留する余剰球受皿（下皿）６２が設けられている。さらに、前面枠５１には、遊技の進行に伴って実行される遊技演出の実行中などに遊技者が操作可能な第１演出ボタン６３ａ、第２演出ボタン６３ｂ（これら２個の演出ボタンを総称して単に「演出ボタン６３」ともいう）や、遊技の状況に応じて様々な光を発することが可能な装飾用の枠ランプ６６、遊技の状況に応じて様々な音（効果音）を発することが可能なスピーカ６７等も設けられている。
【００１３】
演出ボタン６３は、遊技者による入力が可能な入力手段として機能するもので、遊技演出の種類に応じて使用する演出ボタンを使い分けることができる。例えば、遊技演出の実行中に第１演出ボタン６３ａまたは第２演出ボタン６３ｂを操作すると、当該操作に基づいて所定の操作対応演出が行われる。尚、演出ボタン６３の構成は本実施例の態様に限らず、遊技者が入力を行うことができるものであれば足り、例えば、遊技者が直接ボタン部に接触して入力を行う入力手段（例えば、出没式、タッチセンサ式等）であってもよいし、遊技者の身体の一部が近接したことを検知して入力を行う非接触式の入力手段（光電式等）であってもよい。また、演出ボタンが、上方や手前側に突出したり振動したりする等の演出動作を行うもの（可動式の演出操作手段）であってもよい。
【００１４】
遊技盤２には、発射ハンドル６０の操作により発射された遊技球が流下する遊技領域３が、レール部材４で囲まれて形成されている。遊技領域３には、遊技球を誘導する複数の遊技釘１６が突設されており、レール部材４の先端には、球戻り防止片６が設けられている。球戻り防止片６は、一旦遊技領域へ誘導された遊技球を発射装置側へ戻るのを防止するためのものである。また、遊技盤２には、遊技の状況に応じて様々な光を発することが可能な装飾用の盤面ランプ５（図５を参照）も設けられている。
【００１５】
遊技領域３の中央付近には、液晶表示装置からなる画像表示装置７が設けられている。画像表示装置７の表示画面７ａには、演出図柄８Ｌ，８Ｃ，８Ｒ（単に「演出図柄８」ともいう）が表示される演出図柄表示領域７ｂ（「演出図柄表示部」ともいう）が設けられており、当該演出図柄８Ｌ，８Ｃ，８Ｒは、後述の第１特別図柄の変動表示及び第２特別図柄の変動表示に同期して変動表示を行う。変動表示の態様としては、例えば上下、左右、斜め方向等にスクロール表示する態様がある。演出図柄表示領域７ｂは、例えば「左」「中」「右」の３つの図柄表示エリアからなり、左の図柄表示エリアには左演出図柄８Ｌが表示され、中の図柄表示エリアには中演出図柄８Ｃが表示され、右の図柄表示エリアには右演出図柄８Ｒが表示される。尚、左・中・右の図柄表示エリアの位置は夫々区別して設ける必要はなく、左・中・右の演出図柄の表示エリアをそれぞれ図柄表示エリア（演出図柄表示領域７ｂ）の全体としてもよい。
【００１６】
本実施例の演出図柄８Ｌ，８Ｃ，８Ｒ（識別情報）は、それぞれ「１」〜「９」までの数字図柄（識別情報種、図柄種）からなるもので、これらの数字図柄が順に表示されるものとなっている。具体的に、当該演出図柄８の変動表示は、「１」→「２」・・・「８」→「９」の順（昇順）で演出図柄をスクロール表示させることによって行われるものとなっており、「９」まで到達したら「１」に戻って、スクロール表示を変動終了（停止表示）まで繰り返すものとなっている。また、本実施例では、「１」〜「９」の図柄のそれぞれに色の情報を含ませており、各図柄を色によって分類できるものとしている。具体的には、奇数図柄である「３」と「７」を赤色の図柄（以下「赤図柄」ともいう。）としており、これ以外の奇数図柄である「１」、「５」、「９」を緑色の図柄（以下「緑図柄」ともいう。）としている。また、偶数図柄である「２」、「４」、「６」、「８」を青色の図柄（以下「青図柄」ともいう。）としている。
【００１７】
演出図柄表示領域７ｂに停止表示される左、中、右の演出図柄の組み合わせ（停止表示態様）によって、後述の第１特別図柄表示器４１ａ（「第１特別図柄表示部」ともいう）に表示される第１特別図柄の変動表示の結果や、第２特別図柄表示器４１ｂ（「第２特別図柄表示部」ともいう）に表示される第２特別図柄の変動表示の結果、つまり、特別図柄当否判定（単に「当否判定」ともいう）の結果を、遊技者が認識し易いように表示する。本実施例では、変動表示している３つの演出図柄８Ｌ，８Ｃ，８Ｒが停止表示する順序（停止順序）を、原則、「左→右→中」としている。すなわち、停止順が１番目の停止図柄を左演出図柄８Ｌとし、停止順が２番目の停止図柄を右演出図柄８Ｒとし、停止順が３番目（最後）の停止図柄を中演出図柄８Ｃとしている。尚、停止順が１番目の停止図柄のことを「第１停止図柄」ともいい、停止順が２番目の停止図柄のことを「第２停止図柄」ともいい、停止順が３番目の停止図柄のことを「第３停止図柄」や「最終停止図柄」ともいう。
【００１８】
また、第１特別図柄、第２特別図柄、演出図柄のいずれかを指して単に「図柄」や「識別情報」ともいう。さらに、普通図柄のことを「普図」や「普通識別情報」、特別図柄のことを「特図」、第１特別図柄のことを「特図１」や「第１特図」、第２特別図柄のことを「特図２」や「第２特図」ともいう。また、演出図柄８を表示する画像表示装置７や第１特別図柄を表示する後述の第１特別図柄表示器４１ａ、第２特別図柄を表示する第２特別図柄表示器４１ｂのことを「識別情報表示手段」ともいう。
【００１９】
例えば、特別図柄当否判定の結果が大当りとなり、その大当りの種別が１６Ｒ大当りや６Ｒ大当り等になった場合には、「２２２」や「７７７」などの３桁同一のゾロ目（特定態様、特定表示結果）で演出図柄を停止表示することが可能である。また、特別図柄当否判定の結果が外れとなった場合には「６３７」や「３７３」などの３つの図柄のうち少なくとも１つの図柄が異なるバラケ目（非特定態様、非特定表示結果）で演出図柄を停止表示することが可能である。これにより、遊技者は停止表示した演出図柄を見ることで、遊技の進行状況を容易に把握することが可能となる。つまり遊技者は、一般的には特別図柄当否判定の結果を第１特別図柄表示器４１ａや第２特別図柄表示器４１ｂに表示される特別図柄を見て直接的に把握するのではなく、演出図柄表示領域７ｂに表示される演出図柄を見て把握する。尚、本実施例では、大当りのうち２Ｒ大当りについては、外れの場合と同じ態様（バラケ目）で演出図柄を停止表示するものとしている。
【００２０】
ここで、演出図柄８の停止表示態様（図柄組み合わせ）のうち、特別図柄当否判定の結果が大当りの場合に対応する停止表示態様（本実施例ではゾロ目）のことを「大当り態様」、「特定態様」または「特定表示結果」ということがあり、特別図柄当否判定の結果が外れの場合に対応する停止表示態様（本実施例ではバラケ目）のことを「外れ態様」、「非特定態様」または「非特定表示結果」ということがある。また、演出図柄８の停止表示態様は、演出図柄８の変動表示の結果を示すものであるといえることから、当該演出図柄８の停止表示態様のことを「結果表示態様」ということがある。
【００２１】
画像表示装置７の表示画面７ａ上では、前述のような演出図柄を用いた遊技演出（演出図柄遊技演出）を表示するほか、大当り遊技に伴って実行される大当り遊技演出（特別遊技演出）や、客待ち用のデモ演出などが表示される。演出図柄遊技演出や大当り遊技演出やデモ演出では、数字等の演出図柄のほか、背景画像やキャラクタ画像などの演出図柄以外の演出画像も表示される。尚、演出図柄遊技演出のことを「変動演出」ともいう。
【００２２】
また、画像表示装置７の表示画面７ａには、後述の第１特図保留の記憶数に応じて第１演出保留９ａを表示する第１演出保留表示領域９ｃ（第１演出保留表示部）と、後述の第２特図保留の記憶数に応じて第２演出保留９ｂを表示する第２演出保留表示領域９ｄ（第２演出保留表示部）とが設けられている（図３を参照）。第１演出保留や第２演出保留の表示態様（表示数）により、後述の第１特図保留表示器４３ａにて表示される第１特図保留の記憶数や第２特図保留表示器４３ｂにて表示される第２特図保留の記憶数を、遊技者にわかりやすく示すことができる。さらに、本実施例の画像表示装置７の表示画面７ａには、現在変動している特別図柄（第１特別図柄または第２特別図柄）に対応する演出保留、すなわち、消化された特図保留に対応する演出保留（第１演出保留９ａまたは第２演出保留９ｂ）を表示する変動保留表示領域９ｅが設けられている（図３を参照）。
【００２３】
遊技領域３の中央付近であって画像表示装置７の前方には、表示画面７ａ（演出図柄表示領域７ｂ）を取り囲むセンター装飾体１０が設けられている。センター装飾体１０は、プラスチック製（樹脂製）の成型物によって構成されるもので、中央が開口した枠状の部品（盤部品）として、遊技盤２の表面（前面）に取り付けられるものである（図３、図５０を参照）。当該センター装飾体１０の中央開口を介して画像表示装置７の表示画面７ａが視認可能となる。センター装飾体１０のことを「特定部材」や「取付部材」ともいい、あるいは「センター部材」ともいう。
【００２４】
センター装飾体１０の下部には、遊技球が転動可能な遊技球転動面を有するステージ部１１が設けられており、センター装飾体１０の左部には、中空状のワープ部１２が設けられている。ワープ部１２にはワープ入口とワープ出口とが設けられており、遊技領域３（左遊技領域３Ａ）を流下する遊技球をワープ入口から受け入れてワープ出口から排出することで、当該遊技球をステージ部１１へ誘導する。ステージ部１１の転動面に誘導された遊技球は、ステージ部１１に誘導されない遊技球と比して高い可能性で、後述の第１始動口２０に入球可能とされている。また、センター装飾体１０の上部には、ＬＥＤ等の電飾部材（盤面ランプ５）を有し遊技状態に応じて点灯・点滅等が可能であって、文字や図形等を象った装飾部材１３が配されている。この他にも、センター装飾体１０は、本発明の要旨に関係する構成を備えているため、これについては後述する。
【００２５】
センター装飾体１０の後方には、遊技演出に伴って動作可能な可動装飾部材１４（可動役物）が設けられている。可動装飾部材１４は、普段、センター装飾体１０を構成する枠（フレーム）に隠れており、全体を視認できない状態となっているが、例えば、大当りの可能性が比較的高い遊技演出の実行に伴って表示画面７ａの前面側に出現し、その大部分を視認することができるようになる。これにより、遊技者は大当りへの期待感を高めることとなる。
【００２６】
ここで、特図保留に応じた演出保留９ａ，９ｂを表示することが可能な演出保留表示領域９ｃ，９ｄのことを「演出保留表示手段」ともいい、遊技状況に応じた種々の演出画像を表示することで表示演出を行うことが可能な画像表示装置７のことを「表示演出手段」ともいい、遊技演出に伴って動作することで可動演出を行うことが可能な可動装飾部材１４のことを「可動演出手段」ともいう。尚、可動装飾部材１４以外にも、例えば、演出ボタン６３が遊技演出に伴って上下動や振動等する場合、演出ボタン６３も「可動演出手段」といえる。また、遊技の状況に応じて様々な音（効果音）を発することで音演出を行うことが可能なスピーカ６７のことを「音演出手段」ともいい、遊技の状況に応じて様々な光を発することで光演出を行うことが可能な盤面ランプ５、枠ランプ６６および装飾部材１３のことを「光演出手段」ともいう。尚、これら盤面ランプ５等以外にも、例えば、演出ボタン６３や発射ハンドル６０が、装飾部材１３と同様にＬＥＤ等の電飾部材を内蔵しており、電飾部材の作用により遊技の状況に応じて点灯・点滅等する場合、これら演出ボタン６３や発射ハンドル６０も「光演出手段」といえる。さらに、これら「演出保留表示手段」、「表示演出手段」、「可動演出手段」、「音演出手段」および「光演出手段」を総じて「演出手段」ともいう。
【００２７】
遊技領域３における画像表示装置７の下方には、遊技球の入球し易さが変化しない非可変式の第１始動口２０を備える固定入賞装置１９が設けられている。第１始動口２０への遊技球の入球に基づいて、特別図柄当否判定用乱数等が取得され、予め定められた所定条件が成立すると第１特別図柄に係る当否判定（第１特別図柄当否判定）が実行されると共に第１特別図柄が変動表示され、当否判定の結果に基づいて停止表示される。
【００２８】
第１始動口２０の下方には、遊技球の入球し易さが変化する可変式の第２始動口２１を備える可変入賞装置２２（「可変式始動口」ともいう）が設けられている。第２始動口２１への遊技球の入球に基づいて、特別図柄当否判定用乱数等が取得され、予め定められた所定条件が成立すると第２特別図柄の当否判定（第２特別図柄当否判定）が実行されると共に第２特別図柄が変動表示され、当否判定の結果に基づいて停止表示される。
【００２９】
可変入賞装置２２は、可動部材２３を備え、可動部材２３の動作によって第２始動口２１を開閉するものである。この開閉動作によって、第２始動口２１は、第１の態様（閉状態）から当該第１の態様よりも遊技球の入球可能性が高い第２の態様（開状態）へと変化可能である。つまり、可動部材２３は、所定の動作（開閉動作）を行うことで、第２始動口２１への遊技球の入球可能性を変化させるものである。この可動部材２３は、第２始動口ソレノイド２４（図５参照）により駆動される。本実施例では、第２始動口２１は、可動部材２３が開状態にあるときだけ遊技球が入球可能とされ、可動部材２３が閉状態にあるときには遊技球が入球不能となっている。尚、第２始動口２１は、可動部材２３が閉状態にあるときは開状態にあるときよりも遊技球が入球困難となるものであれば、可動部材２３が閉状態にあるときに完全に入球不能となるものでなくてもよい。
【００３０】
遊技領域３における第１始動口２０の右方には、大入賞口３０（「可変入球口」ともいう）を備えた大入賞装置３１が設けられている。大入賞装置３１は、開閉部材３２を備え、開閉部材３２の作動により大入賞口３０を開閉するものである。開閉部材３２は、大入賞口ソレノイド３３（図５参照）により駆動される。大入賞口３０は、開閉部材３２が開状態にあるときだけ遊技球が入球可能となる。すなわち、大入賞装置３１は、開閉部材３２の開閉動作により、遊技球が入球不能な入球不能状態（閉状態）と遊技球が入球可能な入球可能状態（開状態）とに変化可能である。
【００３１】
遊技領域３のうち右側領域には、遊技球が通過可能なゲート２８（遊技球通過口）が設けられている。ゲート２８への遊技球の通過に基づいて、普通図柄当否判定用乱数等が取得され、予め定められた所定条件が成立すると、第２始動口２１を開状態とするか否かを判定する普通図柄当否判定が実行されると共に普通図柄が変動表示され、普通図柄当否判定の結果に基づいて停止表示される。当り普通図柄が停止表示すると、第２始動口２１は開状態となる。さらに、遊技領域３の下部には、複数の一般入賞口２７が設けられている。第１始動口２０、第２始動口２１、大入賞口３０および一般入賞口２７は、それぞれ賞球の払い出し契機となる入球口であり、各入球口に遊技球が入球した場合には、夫々の入球口において予め定められた数の遊技球（賞球）が払い出される。具体的には、第１始動口２０の賞球数は「５」、第２始動口２１の賞球数は「３」、大入賞口３０の賞球数は「１５」、一般入賞口２７の賞球数は「１０」としている。
【００３２】
このように複数の入球口（第１始動口２０、第２始動口２１、大入賞口３０、一般入賞口２７及びゲート２８）等が配されている遊技領域３を、左右方向の中央より左側の左遊技領域（第１領域）３Ａと、右側の右遊技領域（第２領域）３Ｂと、に分けることができる。左遊技領域３Ａを遊技球が流下するように遊技球を発射する打方を「左打ち」といい、右遊技領域３Ｂを遊技球が流下するように遊技球を発射する打方を「右打ち」という。ここで、複数の入球口のうち、第１始動口２０および左一般入賞口２７は、遊技領域３のうち左遊技領域３Ａを流下する遊技球が入球可能となるように設けてあり、第２始動口２１、大入賞口３０、右一般入賞口２７およびゲート２８は、遊技領域３のうち右遊技領域３Ｂを流下する遊技球が入球可能となるように設けてある。このため、本パチンコ遊技機１では、遊技開始の際には、原則、左打ちにて第１始動口２０への入球を狙う。一方、第１始動口２０への入球に基づく当否判定において大当りとなり遊技状態が特別遊技状態等に変化した際には、原則、右打ちにてゲート２８、第２始動口２１、大入賞口３０への入球を狙うこととなる。
【００３３】
また、図３および図４に示すように、遊技盤２の右下部には主表示器４０が配置されている。主表示器４０には、第１特別図柄を変動表示および停止表示する第１特別図柄表示器４１ａ（第１特別図柄表示部）と、第２特別図柄を変動表示および停止表示する第２特別図柄表示器４１ｂ（第２特別図柄表示部）と、普通図柄を変動表示および停止表示する普通図柄表示器４２（普通図柄表示部）と、が含まれている。また、主表示器４０には、第１特別図柄に係る当否判定情報（第１特図保留）の記憶数を表示する第１特図保留表示器４３ａと、第２特別図柄に係る当否判定情報（第２特図保留）の記憶数を表示する第２特図保留表示器４３ｂと、普通図柄表示器４２の作動保留（普図保留）の記憶数を表示する普図保留表示器４４と、が含まれている。さらに、主表示器４０には、第１特別図柄当否判定または第２特別図柄当否判定の結果が当りになったことを示す当り表示器４８と、第１特別図柄当否判定または第２特別図柄当否判定の結果が大当りになった場合に実行される大当り遊技のラウンド数を示すラウンド表示器４５と、確率変動機能が作動することを示す遊技状態表示器４６と、遊技球の発射方向、すなわち右打ちを行うべき状態か左打ちを行うべき状態かを示す発射方向表示器４７と、が含まれている。主表示器４０に含まれるこれらの各種表示器は、後述の主制御部によって表示制御される。
【００３４】
第１特別図柄の変動表示は、第１始動口２０への遊技球の入球に基づいて行われる。第２特別図柄の変動表示は、第２始動口２１への遊技球の入球に基づいて行われる。尚、以下の説明では、第１特別図柄および第２特別図柄を総称して特別図柄ということがある。また、第１特別図柄表示器４１ａおよび第２特別図柄表示器４１ｂを総称して特別図柄表示部４１ということがある。また、第１特図保留表示器４３ａおよび第２特図保留表示器４３ｂを総称して特図保留表示部４３ということがある。
【００３５】
特別図柄表示部４１では、特別図柄（識別情報）を所定時間変動表示した後に停止表示し、停止表示された特別図柄（停止図柄）によって第１始動口２０または第２始動口２１への入球に基づく抽選（特別図柄当否判定、大当り抽選）の結果を報知する。停止表示される特別図柄は、特別図柄当否判定によって複数種類の特別図柄の中から選択された一つの特別図柄である。停止図柄が予め定めた特定特別図柄（特定識別情報）である場合、すなわち、特別図柄の停止表示の態様（特別図柄の変動表示の表示結果）が大当りを示す特定態様（特定表示結果）である場合には、停止表示された大当り図柄の種類に応じた開放パターンにて大入賞口３０を開放させる大当り遊技（特別遊技）が行われる。大当り遊技における大入賞口の開放パターンについては後述する。
【００３６】
図４に示すとおり、第１特別図柄表示器４１ａは、「ｉ〜ｐ」で示す８個のＬＥＤで構成されており、第１特別図柄当否判定の結果に応じた特別図柄を表示する。本実施例では、第１特別図柄当否判定の結果として「１６Ｒ第１大当り」、「６Ｒ第２大当り」、「６Ｒ第３大当り」、「６Ｒ第４大当り」および「６Ｒ第５大当り」の５種類の大当りが設けられており（図８を参照）、第１特別図柄表示器４１ａのＬＥＤは、それら５種類の大当りの各々に応じた表示態様（特定態様、特定表示結果）を採ることが可能となっている。具体的には、第１特別図柄当否判定の結果が１６Ｒ第１大当りとなった場合には「ｉｊｎ」の３個のＬＥＤを点灯させて残りを消灯させ（１６Ｒ第１大当り図柄）、６Ｒ第２大当りとなった場合には「ｉｎｏ」の３個のＬＥＤを点灯させて残りを消灯させ（６Ｒ第２大当り図柄）、６Ｒ第３大当りとなった場合には「ｉｎｐ」の３個のＬＥＤを点灯させて残りを消灯させ（６Ｒ第３大当り図柄）、６Ｒ第４大当りとなった場合には「ｉｊｏ」の３個のＬＥＤを点灯させて残りを消灯させ（６Ｒ第４大当り図柄）、６Ｒ第５大当りとなった場合には「ｊｎｏ」の３個のＬＥＤを点灯させて残りを消灯させる（６Ｒ第５大当り図柄）。また、外れとなった場合には、「ｌｏ」の２個のＬＥＤを点灯させて残りを消灯させる（外れ図柄）。
【００３７】
また、第２特別図柄表示器４１ｂは、「ａ〜ｈ」で示す８個のＬＥＤで構成されており、第２特別図柄当否判定の結果に応じた特別図柄を表示する。本実施例では、第２特別図柄当否判定の結果として「１６Ｒ第６大当り」、「１６第７大当り」、「１２Ｒ第８大当り」、「６Ｒ第９大当り」、「２Ｒ第１０大当り」、「１６Ｒ第１１大当り」および「２Ｒ第１２大当り」の７種類の大当りが設けられており（図８を参照）、第２特別図柄表示器４１ｂのＬＥＤは、それら２種類の大当りの各々に応じた表示態様（特定態様、特定表示結果）を採ることが可能となっている。具体的には、第２特別図柄当否判定の結果が１６Ｒ第６大当りとなった場合には「ａｂｄ」の３個のＬＥＤを点灯させて残りを消灯させ（１６Ｒ第６大当り図柄）、１６Ｒ第７大当りとなった場合には「ａｂｇ」の３個のＬＥＤを点灯させて残りを消灯させ（１６Ｒ第７大当り図柄）、１２Ｒ第８大当りとなった場合には「ａｂｃ」の３個のＬＥＤを点灯させて残りを消灯させ（１２Ｒ第８大当り図柄）、６Ｒ第９大当りとなった場合には「ａｆｇ」の３個のＬＥＤを点灯させて残りを消灯させ（６Ｒ第９大当り図柄）、２Ｒ第１０大当りとなった場合には「ａｂｄｅ」の４個のＬＥＤを点灯させて残りを消灯させ（２Ｒ第１０大当り図柄）、１６Ｒ第１１大当りとなった場合には「ａｂｅ」の３個のＬＥＤを点灯させて残りを消灯させ（１６Ｒ第１１大当り図柄）、２Ｒ第１２大当りとなった場合には「ａｂｄｈ」の４個のＬＥＤを点灯させて残りを消灯させる（２Ｒ第１２大当り図柄）。また、外れとなった場合には、「ｅｈ」の２個のＬＥＤを点灯させて残りを消灯させる（外れ図柄）。
【００３８】
尚、特別図柄の停止表示態様（停止図柄）は、これらに限定されるものではなく、任意に設定することができる。また、特別図柄が停止表示される前には所定の変動時間にわたって特別図柄の変動表示がなされるが、その変動表示の態様は、例えば、予め定められた順序で光が左から右へ繰り返し流れるように各ＬＥＤを点灯させる態様とすることができる。
【００３９】
本パチンコ遊技機１では、第１始動口２０または第２始動口２１への遊技球の入球があると、その入球に基づいて特別図柄当否判定用乱数等の各種情報（「取得情報」ともいう）を取得し、取得した各種情報は、主制御部のＲＡＭに形成される特図保留記憶部（図示せず）に一旦記憶される。詳細には、第１始動口２０への入球であれば第１特図保留として第１特図保留記憶部（図示せず）に記憶され、第２始動口２１への入球であれば第２特図保留として第２特図保留記憶部（図示せず）に記憶される。各々の特図保留記憶部に記憶可能な特図保留（取得情報）の数は所定数までとされており、本実施例におけるその上限値はそれぞれ「４」となっている。これら第１特図保留記憶部および第２特図保留記憶部を、夫々「第１取得情報記憶手段」および「第２取得情報記憶手段」ともいい、総じて「取得情報記憶手段」ともいう。
【００４０】
特図保留記憶部に記憶された特図保留は、その特図保留に基づく特別図柄の変動表示が可能となったときに消化される。特図保留の消化とは、その特図保留に対応する特別図柄当否判定用乱数等を判定して、その判定結果を示すための特別図柄の変動表示を実行することをいう。従って、本パチンコ遊技機１では、第１始動口２０または第２始動口２１への遊技球の入球に基づく特別図柄の変動表示がその入球時にすぐに実行できない場合、すなわち特別図柄の変動表示の実行中や特別遊技の実行中である場合であっても、所定数（本実施例では４）を上限として、その入球に対する特別図柄当否判定の権利を留保することが可能となっている。
【００４１】
特図保留記憶部に記憶された特図保留の数は、第１特図保留表示器４３ａおよび第２特図保留表示器４３ｂに表示される。具体的には、第１特図保留表示器４３ａは「ｕｖ」の２個のＬＥＤで構成されており、第１特図保留の数に応じてＬＥＤを表示制御することにより、第１特図保留の数を表示するものとなっている。例えば、保留数が「０」の場合は「ｕ□ｖ□」（例えば、□：消灯、●：赤点灯、▲：緑点灯とする）というように両ＬＥＤを消灯する表示態様とし、保留数が「１」の場合は「ｕ□ｖ●」というように「ｕ」のＬＥＤを消灯し「ｖ」のＬＥＤを赤色で点灯させる表示態様とし、保留数が「２」の場合は「ｕ●ｖ□」というように「ｕ」のＬＥＤを赤色で点灯させ「ｖ」のＬＥＤを消灯する表示態様とし、保留数が「３」の場合は「ｕ●ｖ●」というように両方のＬＥＤを赤色で点灯させる表示態様とし、保留数が「４（上限数）」の場合は「ｕ▲ｖ▲」というように両方のＬＥＤを緑色で点灯させ表示態様とすることができる。
【００４２】
また、第２特図保留表示器４３ｂは「ｗｘ」の２個のＬＥＤで構成されており、第２特図保留の数に応じてＬＥＤを表示制御することにより、第２特図保留の数を表示するものである。例えば、保留数が「０」の場合は「ｗ□ｘ□」（例えば、□：消灯、●：赤点灯、▲：緑点灯とする）というように両ＬＥＤを消灯する表示態様とし、保留数「１」〜「４」についても第１特図保留表示器４３ａと同様に定められている。
【００４３】
普通図柄の変動表示は、ゲート２８への遊技球の通過を契機として行われる。普通図柄表示器４２では、普通図柄を所定時間変動表示した後、停止表示し、停止表示された普通図柄（停止図柄）によって、ゲート２８への遊技球の通過に基づく普通図柄当否判定の結果を報知する。停止表示される普通図柄は、普通図柄当否判定によって複数種類の普通図柄の中から選択された一つの普通図柄である。停止表示された普通図柄が予め定めた特定普通図柄（当り普通図柄）である場合には、現在の遊技状態に応じた開放パターンにて第２始動口２１を開放させる補助遊技が行われる。尚、第２始動口２１の開放パターンについては後述する。
【００４４】
具体的には、図４に示す通り、普通図柄表示器４２は「ｓｔ」の２個のＬＥＤから構成されており、その点灯態様によって普通図柄当否判定の結果に応じた普通図柄を表示するものである。例えば、判定結果が当りである場合には、「ｓ■ｔ■」（例えば、■：点灯、□：消灯とする）というように両ＬＥＤが点灯した当り普通図柄を停止表示する。また判定結果が外れである場合には、「ｓ□ｔ■」というように「ｔ」のＬＥＤのみが点灯した態様の外れ普通図柄を表示する。尚、外れ普通図柄は、特定普通図柄ではない。普通図柄が停止表示される前には予め定められた所定の変動時間にわたって普通図柄の変動表示が実行されるが、その変動表示の態様は、例えば両ＬＥＤが交互に点灯・消滅を繰り返す態様である。
【００４５】
本パチンコ遊技機１では、ゲート２８への遊技球の通過があると、その通過に基づいて普通図柄当否判定用乱数等の各種情報（「取得情報」ともいう）を取得し、取得した各種情報は主制御部のＲＡＭに形成される普図保留記憶部（図示せず）に普図保留として一旦記憶される。普図保留記憶部に記憶可能な普図保留の数は所定数までとされており、本実施例におけるその上限値は「４」となっている。普図保留記憶部に記憶された普図保留は、その普図保留に基づく普通図柄の変動表示が可能となったときに消化される。普図保留の消化とは、その普図保留に対応する普通図柄当否判定用乱数を判定して、その判定結果を示すための普通図柄の変動表示を実行することをいう。従って、本パチンコ遊技機１では、ゲート２８への遊技球の通過に基づく普通図柄の変動表示がその通過時にすぐ実行できない場合、すなわち普通図柄の変動表示の実行中や補助遊技の実行中である場合であっても、所定個数を上限として、その通過に対する普通図柄当否判定の権利を留保することが可能となっている。
【００４６】
普図保留記憶部に記憶された普図保留の数は、普図保留表示器４４に表示される。具体的には、普図保留表示器４４は「ｑｒ」の２個のＬＥＤで構成されており、普図保留の数に応じてＬＥＤを点灯させることにより普図保留の数を表示するものである。例えば、保留数が「０」の場合は「ｑ□ｒ□」（例えば、□：消灯、●：赤点灯、▲：緑点灯とする）というように両ＬＥＤを消灯する表示態様とし、保留数が「１」の場合は「ｑ□ｒ●」というように「ｑ」のＬＥＤを消灯し「ｒ」のＬＥＤを赤色で点灯させる表示態様とすることができる。また、保留数「２」〜「４」についても第１特図保留表示器４３ａと同様に定められている。
【００４７】
次に図２及び図５に基づいて、本パチンコ遊技機１における電気的な構成を説明する。本実施例のパチンコ遊技機１は、特別図柄当否判定や普通図柄当否判定や遊技状態の移行など、遊技進行や遊技利益に関する制御を行う主制御基板８０（「主制御部」ともいい「遊技制御部」ともいう）、遊技の進行に伴って実行する演出に関する制御を行うサブ制御基板９０（「サブ制御部」ともいい「演出制御部」ともいう）、遊技球の払い出しに関する制御を行う払出制御基板１１０（「払出制御部」ともいう）、画像表示装置７や演出表示器１０２、演出第１特図保留表示器１０３ａおよび演出第２特図保留表示器１０３ｂ等の表示制御を行う画像制御基板１００（画像制御部）等を備えている。
【００４８】
また、図２に示すように、パチンコ遊技機１の後面側（裏面側）の略中央部には主制御基板８０を収納した主制御基板収納ケースが設けられ、この主制御基板ケースの上方には、音声制御基板１０６、ランプ制御基板１０７及び画像制御基板１００を収納した画像制御基板等収納ケースが設けられ、その画像制御基板等収納ケース上にはサブ制御基板９０を収納したサブ制御基板収納ケースが設けられている。また、主制御基板ケースの下方左側には、払出制御基板を収納する払出制御基板ケースが設けられ、その右側には、電源基板１０９を収納する電源基板ケースが設けられている。
【００４９】
主制御基板８０には、プログラムに従ってパチンコ遊技機１の遊技の進行を制御する遊技制御用ワンチップマイコン（以下「遊技制御用マイコン」）８１が実装されている。遊技制御用マイコン８１には、遊技の進行を制御するためのプログラム等を記憶したＲＯＭ、ワークメモリとして使用されるＲＡＭ、ＲＯＭに記憶されたプログラムを実行するＣＰＵが含まれている。遊技制御用マイコン８１は、入出力回路８７（Ｉ／Ｏポート部）を介して他の基板等とデータ（情報）の送受信を行う。入出力回路８７は、遊技制御用マイコン８１に内蔵されていてもよい。また、ＲＯＭは外付けであってもよい。遊技制御用マイコン８１のＲＡＭには、前述した特図保留記憶部（第１特図保留記憶部及び第２特図保留記憶部）と普図保留記憶部とが設けられている。また、主制御基板８０（遊技制御用マイコン８１）のＲＡＭ（主制御ＲＡＭ）の所定アドレスには、各種フラグや各種計数カウンタに用いるための記憶領域が確保されている。
【００５０】
主制御基板８０には、中継基板８８を介して各種センサやソレノイドが接続されている。そのため、主制御基板８０には各センサから信号が入力され、各ソレノイドには主制御基板８０から信号が出力される。具体的には、遊技球を検知可能なセンサ類として、第１始動口センサ２０ａ、第２始動口センサ２１ａ、ゲートセンサ２８ａ、大入賞口センサ３０ａおよび一般入賞口センサ２７ａが接続されている。これら各種センサのことを「球検知センサ」や「遊技球検知手段」ともいう。
【００５１】
第１始動口センサ２０ａは、第１始動口２０内に設けられて第１始動口２０に入球した遊技球を検知するものである。第２始動口センサ２１ａは、第２始動口２１内に設けられて第２始動口２１に入球した遊技球を検知するものである。ゲートセンサ２８ａは、ゲート２８内に設けられてゲート２８を通過した遊技球を検知するものである。大入賞口センサ３０ａは、大入賞口３０内に設けられて大入賞口３０に入球した遊技球を検知するものである。一般入賞口センサ２７ａは、各一般入賞口２７内にそれぞれ設けられて一般入賞口２７に入球した遊技球を検知するものである。
【００５２】
また、ソレノイド類としては、第２始動口ソレノイド２４および大入賞口ソレノイド３３が接続されている。これら各種ソレノイドを「駆動手段」ともいう。第２始動口ソレノイド２４は、可変入賞装置２２の可動部材２３を駆動するためのものである。大入賞口ソレノイド３３は、大入賞装置３１の開閉部材３２を駆動するためのものである。
【００５３】
さらに、主制御基板８０には、第１特別図柄表示器４１ａ、第２特別図柄表示器４１ｂ、普通図柄表示器４２、第１特図保留表示器４３ａ、第２特図保留表示器４３ｂ、普図保留表示器４４、ラウンド表示器４５、遊技状態表示器４６、発射方向表示器４７および当り表示器４８が接続されている。すなわち、これらの主表示器４０の表示制御は、遊技制御用マイコン８１によりなされる。
【００５４】
また、主制御基板８０は、払出制御基板１１０に各種コマンドを送信するとともに、払い出し監視のために払出制御基板１１０から信号を受信する。払出制御基板１１０には、賞球や貸球を払い出す払出装置１２０、及びカードユニット１３５（パチンコ遊技機１に隣接して設置され、挿入されたプリペイドカード（遊技価値記憶媒体）等に記憶されている情報に基づいて球貸しを可能にするもの）が接続されているとともに、発射制御基板１１１（「発射制御部」ともいう）を介して発射装置１１２が接続されている。発射装置１１２には、発射ハンドル６０（図１を参照）が含まれる。
【００５５】
払出制御基板１１０は、所定のプログラムに従って遊技球の払い出しを制御する払出制御用ワンチップマイコン１１６（「払出制御用マイコン」ともいう）が実装されている。払出制御用マイコン１１６には、遊技球の払い出しを制御するためのプログラム等を記憶したＲＯＭ、ワークメモリとして使用されるＲＡＭ、ＲＯＭに記憶されたプログラムを実行するＣＰＵが含まれている。払出制御用マイコン１１６は、入出力回路１１７を介し、遊技制御用マイコン８１からの信号やパチンコ遊技機１に接続されたカードユニット１３５からの信号に基づいて、払出装置１２０の払出モータ１２１を駆動して賞球の払い出しを行ったり貸球の払い出しを行ったりする。払い出される遊技球は、その計数のため払出センサ１２２、１２３により検知される。遊技者による発射装置１１２の発射ハンドル６０の操作があった場合には、タッチスイッチ１１４が発射ハンドル６０への遊技者の接触を検知し、発射ボリューム１１５が発射ハンドル６０の回転量を検知する。そして、発射ボリューム１１５の検知信号の大きさに応じた強さで遊技球が発射されるよう発射モータ１１３が駆動制御されることとなる。尚、本実施例では、発射モータ１１３の駆動により発射装置１１２が連続して発射可能な遊技球の数は１分間で約１００個となっている。
【００５６】
また、主制御基板８０は、サブ制御基板９０に対し各種コマンドを送信する。主制御基板８０とサブ制御基板９０との接続は、主制御基板８０からサブ制御基板９０への信号の送信のみが可能な単方向通信接続となっている。すなわち、主制御基板８０とサブ制御基板９０との間には、通信方向規制手段としての図示しない単方向性回路（例えばダイオードを用いた回路）が介在している。
【００５７】
図５に示すように、サブ制御基板９０には、所定のプログラムに従ってパチンコ遊技機１の演出を制御する演出制御用ワンチップマイコン９１（「演出制御用マイコン」）が実装されている。演出制御用マイコン９１には、遊技の進行に伴って演出を制御するためのプログラム等を記憶したＲＯＭ、ワークメモリとして使用されるＲＡＭ、ＲＯＭに記憶されたプログラムを実行するＣＰＵが含まれている。演出制御用マイコン９１は、入出力回路９５を介して他の基板等とデータの送受信を行う。尚、入出力回路９５は演出制御用マイコン９１に内蔵されていてもよく、ＲＯＭは外付けであってもよい。また、サブ制御基板９０（演出制御用マイコン９１）のＲＡＭ（演出制御ＲＡＭ）の所定アドレスには、各種フラグや各種計数カウンタに用いるための記憶領域が確保されている。
【００５８】
サブ制御基板９０には、画像制御基板１００、音声制御基板１０６、ランプ制御基板１０７が接続されている。尚、サブ制御基板９０（サブ制御部）や画像制御基板１００（画像制御部）、音声制御基板１０６（音声制御部）、ランプ制御基板１０７（ランプ制御部）は、遊技の状況に応じて表示演出や音演出、ランプ演出（光演出）等の各種演出を、対応する演出用の装置や部材等（演出手段）に実行させる演出実行手段として機能するものである。また、後述するチャンス目予告や保留変化予告等の各種予告演出を実行させる予告演出実行手段としても機能する。
【００５９】
サブ制御基板９０の演出制御用マイコン９１は、主制御基板８０から受信したコマンドに基づいて、画像制御基板１００の画像制御用ワンチップマイコン１０１（「画像制御用マイコン」）のＣＰＵに、画像表示装置７、演出表示器１０２、演出第１特図保留表示器１０３ａおよび演出第２保留表示器１０３ｂの表示制御を行わせる。画像制御基板１００のＲＡＭは、画像データを展開するためのメモリである。画像制御基板１００のＲＯＭには、画像表示装置７に表示される静止画データや動画データ、具体的にはキャラクタ、アイテム、図形、文字、数字および記号等（演出図柄、保留図柄等を含む）や背景画像等の画像データが格納されている。画像制御用マイコン１０１は、演出制御用マイコン９１からの指令に基づいてＲＯＭから画像データを読み出す。そして、読み出した画像データに基づいて表示制御を実行する。
【００６０】
演出表示器１０２は、２個のＬＥＤからなり、演出図柄８の変動表示および停止表示に合わせて変動表示および停止表示を行い、２個のＬＥＤの点灯・消灯または色の組合せにより、演出図柄８の表示結果（特別図柄当否判定の結果）を示す表示態様で停止表示する。また、演出第１特図保留表示器１０３ａおよび演出第２保留表示器１０３ｂも同様に２個のＬＥＤからなる。そして、２個のＬＥＤの点灯・消灯または色の組合せにより、演出第１特図保留表示器１０３ａは第１演出保留表示領域９ｃに表示される保留個数および第１特図保留表示器４３ａで表示される保留個数と同じ保留個数を示す表示態様で表示制御される。また、演出第２特図保留表示器１０３ｂは第２演出保留表示領域９ｄに表示される保留個数および第２特図保留表示器４３ｂで表示される保留個数と同じ保留個数を示す表示態様で表示制御される。これは、キャラクタ図柄を表示画面７ａ（演出図柄表示部）の略全体に表示したり、可動装飾部材１４を動作させて表示画面７ａの演出図柄表示領域７ｂ（演出図柄表示部）の略全体を被覆したりすることで、演出図柄８や第１演出保留９ａ、第２演出保留９ｂ等、表示画面７ａに表示される各種画像の一部または全部が視認できない状態になることがあるため、この様な表示器が設けられている。尚、画像制御基板１００の画像制御用ワンチップマイコン１０１に換えて、または加えて、ＶＤＰ（Video Display Processor）を設けてもよい。
【００６１】
また、演出制御用マイコン９１は、主制御基板８０から受信したコマンドに基づいて、音声制御基板１０６を介してスピーカ６７から音声、楽曲、効果音等を出力する。スピーカ６７から出力する音声等の音データは、サブ制御基板９０のＲＯＭに格納されている。尚、音声制御基板１０６にＣＰＵを実装してもよく、その場合、そのＣＰＵに音声制御を実行させてもよい。さらにこの場合、音声制御基板１０６にＲＯＭを実装してもよく、そのＲＯＭに音データを格納してもよい。また、スピーカ６７を画像制御基板１００に接続し、画像制御用マイコン１０１に音声制御を実行させてもよい。この場合、画像制御基板１００のＲＯＭに音データを格納してもよい。
【００６２】
また、演出制御用マイコン９１は、主制御基板８０から受信したコマンドに基づいて、枠ランプ６６や盤面ランプ５等のランプの発光態様を決める発光パターンデータ（点灯/消灯や発光色等を決めるデータ、ランプデータともいう）を、ＲＯＭに格納されているデータから決定し、ランプ制御基板１０７を介して枠ランプ６６や盤面ランプ５等のランプ（ＬＥＤ）の点灯制御を行う。
【００６３】
さらに、演出制御用マイコン９１は、主制御基板８０から受信したコマンドに基づいて、ランプ制御基板１０７に中継基板１０８を介して接続された可動装飾部材１４を動作させる。前述したように、可動装飾部材１４は、センター装飾体１０の後方に設けられた可動式のいわゆるギミックのことである。演出制御用マイコン９１は、可動装飾部材１４を所定の動作態様で動作させるための動作パターンデータ（「駆動データ」ともいう）を、サブ制御基板９０のＲＯＭに格納されているデータから決定し、決定した動作パターンデータに基づいて可動装飾部材１４の動作を制御する。尚、ランプ制御基板１０７にＣＰＵを実装してもよく、その場合、そのＣＰＵにランプの点灯制御や可動装飾部材１４の動作制御を実行させてもよい。さらにこの場合、ランプ制御基板１０７にＲＯＭを実装してもよく、そのＲＯＭに発光パターンや動作パターンに関するデータを格納してもよい。
【００６４】
また、サブ制御基板９０には、第１演出ボタン６３ａまたは第２演出ボタン６３ｂ（図１を参照）が操作（押す、回転、引く等）されたことを検知する第１演出ボタン検知スイッチ６３ｃおよび第２演出ボタン検知スイッチ６３ｄが接続されている。従って、第１演出ボタン６３ａまたは第２演出ボタン６３ｂに対して遊技者が所定の入力操作を行うと、対応する演出ボタン検知スイッチからの信号がサブ制御基板９０に入力される。尚、第１演出ボタン検知スイッチ６３ｃおよび第２演出ボタン検知スイッチ６３ｄを総称して単に「演出ボタン検知スイッチ」ともいう。
【００６５】
次に、本実施例のパチンコ遊技機１における当否判定に係る制御（判定手段）について説明する。本実施例では、特別図柄当否判定の結果として「大当り」と「外れ」がある。「大当り」のときには特別図柄表示部４１に「大当り図柄」が停止表示され、「外れ」のときには特別図柄表示部４１に「外れ図柄」が停止表示される。特別図柄当否判定で大当りと判定されると、停止表示された特別図柄の種類（大当り種別）に応じた開放パターンにて大入賞口３０を開放する「特別遊技」が実行される。大当りとなって実行される特別遊技を「大当り遊技」という。
【００６６】
本実施例の大当りには複数の種別がある。具体的には、図６に示すように、大当りとして「１６Ｒ（ラウンド）第１大当り」、「６Ｒ第２〜第５大当り」、「１６Ｒ第６大当り」、「１６Ｒ第７大当り」、「１２Ｒ第８大当り」、「６Ｒ第９大当り」、「２Ｒ第１０大当り」、「１６Ｒ第１１大当り」および「２Ｒ第１２大当り」の計１２種類を設けている。これらの大当りのうち、「１６Ｒ第１大当り」および「６Ｒ第２〜第５大当り」は第１特別図柄に係る大当りであり、「１６Ｒ第６大当り」、「１６Ｒ第７大当り」、「１２Ｒ第８大当り」、「６Ｒ第９大当り」、「２Ｒ第１０大当り」、「１６Ｒ第１１大当り」および「２Ｒ第１２大当り」は、第２特別図柄に係る大当りである。特別図柄表示部４１には、これらの大当り種別に応じた大当り図柄が停止表示される。
【００６７】
具体的には、「１６Ｒ第１大当り」、「１６Ｒ第６大当り」および「１６Ｒ第１１大当り」は、何れも、ラウンド数が「１６」、１ラウンドでの大入賞口３０の開放回数が「１回」、１ラウンドでの大入賞口３０の開放時間が「２５秒」の大当りである。また、「６Ｒ第２〜第５大当り」は、何れも、ラウンド数が「６」、１ラウンドでの大入賞口３０の開放回数が「１回」、１ラウンドでの大入賞口３０の開放時間が「２５秒」の大当りである。尚、ラウンドを、単に「Ｒ」ともいい、「ラウンド遊技」ともいう。
【００６８】
さらに、「１６Ｒ第７大当り」、「１２Ｒ第８大当り」および「６Ｒ第９大当り」は、それぞれ、ラウンド数が「１６」「１２」「６」に分かれており、１ラウンドでの大入賞口３０の開放回数が「複数回（２回以上）」、１ラウンドでの大入賞口３０の総開放時間（複数回の開放を通じての合計開放時間）が「２５秒」の大当りである。また、「２Ｒ第１０大当り」および「２Ｒ第１２大当り」は、何れも、ラウンド数が「２」、１ラウンドでの大入賞口３０の開放回数が「１回」、１ラウンドでの大入賞口３０の開放時間が「０．１秒」の大当りである。
【００６９】
尚、１６Ｒ第１大当り、１６Ｒ第６大当り、１６Ｒ第７大当りおよび１６Ｒ第１１大当りのことを総じて「１６Ｒ大当り」ともいい、６Ｒ第２〜第５大当りおよび６Ｒ第９大当りのことを総じて「６Ｒ大当り」ともいい、２Ｒ第１０大当りおよび２Ｒ第１２大当りのことを総じて「２Ｒ大当り」ともいう。また、１２Ｒ第８大当りのことを単に「１２Ｒ大当り」ともいう。
【００７０】
本実施例のパチンコ遊技機１では、発生（当選）した大当りの種別に応じて、その大当り遊技の終了後の遊技状態を、後述の高確率状態や時短状態、高ベース状態等に移行させる。すなわち、特別図柄当否判定の結果が大当りで、その大当りの種別が前述の１６Ｒ第１大当り、６Ｒ第２大当り、１６Ｒ第６大当り、１６Ｒ第７大当り、１２Ｒ第８大当り、６Ｒ第９大当りおよび２Ｒ第１０大当りの何れかとなった場合には、大当り遊技終了後の遊技状態を後述の「高確率状態かつ時短状態かつ高ベース状態」とする。これに対して、特別図柄当否判定の結果が大当りで、その大当りの種別が前述の６Ｒ第３〜第５大当り、１６Ｒ第１１大当りおよび２Ｒ第１２大当りの何れかとなった場合には、大当り遊技終了後の遊技状態を後述の「低確率状態かつ時短状態かつ高ベース状態」とする。このことから、１６Ｒ第１大当り、６Ｒ第２大当り、１６Ｒ第６大当り、１６Ｒ第７大当り、１２Ｒ第８大当り、６Ｒ第９大当りおよび２Ｒ第１０大当りは「確変大当り」として捉えることができ、６Ｒ第３〜第５大当り、１６Ｒ第１１大当りおよび２Ｒ第１２大当りは「非確変大当り」（通常大当り、時短大当り）として捉えることができる。
【００７１】
また、２Ｒ大当り（２Ｒ第１０大当り、２Ｒ第１２大当り）は、前述したように大入賞口３０を１ラウンドにつき０．１秒で開放（一瞬開閉）させる大当りであり、このように極短時間で開放する大入賞口３０に遊技球が入球する可能性は低く、したがって、大入賞口３０への入球の基づく賞球を獲得できる可能性も低い。このような２Ｒ大当りは、所謂「出球なし大当り」ともいい、そのうち２Ｒ第１０大当りのことを「出球なし確変大当り」ともいい、２Ｒ第１２大当りのことを「出球なし通常（時短）大当り」ともいう。
【００７２】
さらに、本実施例では、第２特別図柄に係る大当りのうち、１６Ｒ第７大当り、１２Ｒ第８大当りおよび６Ｒ第９大当りについては、前述したように、１ラウンドにおける大入賞口３０の開放回数を複数回としているため、ラウンドの区切りが把握し難いものとなっている。これに加えて、これらの大当りの発生や大当り遊技の開始の際には、何れのラウンド数の大当り遊技が行われるのかを、遊技者にとって分かり難いものとしている。すなわち、これらの大当りについては、画像表示装置７（表示画面７ａ）に表示される演出図柄８の停止表示態様やその他の演出を通じて、これから行われる大当り遊技の正確なラウンド数を把握（判別）し難くしている。このため、これらの大当りは、ラウンドがどこまで続く分からない状況下でラウンドを消化しつつ、６ラウンドや１２ラウンドの終了を迎えるタイミング（ラウンド分岐）で、ラウンドがさらに続くか否かに注目するといった遊技性となっている。このような大当りは、所謂「ランクアップボーナス」と呼ばれるもので、以下、この大当りのことを「ＲＵＢ」と表記することもある。
【００７３】
第１特別図柄（特図１）の当否判定にて大当りとなった場合における各大当りへの振分確率は、１６Ｒ第１大当りが５％、６Ｒ第２大当りが５５％、６Ｒ第３大当りが５％、６Ｒ第４大当りが１５％、６Ｒ第５大当りが２０％となっている。これに対して、第２特別図柄（特図２）の当否判定にて大当りとなった場合における各大当りへの振分確率は、１６Ｒ第６大当りが３５％、１６Ｒ第７大当り、１２Ｒ第８大当りおよび６Ｒ第９大当りがそれぞれ８％（つまり、ＲＵＢが２４％）、２Ｒ第１０大当りが１％、１６Ｒ第１１大当りが２０％、２Ｒ第１２大当りが２０％となっている。すなわち、後述の開放延長機能の作動（高ベース状態の発生）により入球容易となった第２始動口２１への入球に基づく当否判定（特図２当否判定）により大当りとなった場合には、第１始動口２０への入球に基づく当否判定（特図１当否判定）により大当りとなった場合に比べ、１６Ｒ大当りの出現率（振分確率）が高くなっている。このように本パチンコ遊技機１では、第１始動口２０に遊技球が入球して行われる当否判定（特図１当否判定）において大当りとなるよりも、第２始動口２１に遊技球が入球して行われる当否判定（特図２当否判定）において大当りとなる方が、遊技者にとって有利となる可能性が高くなるように設定されている。このため、遊技者は、第２始動口２１への入球を期待して遊技を行う。特に第２始動口２１への入球頻度が高まる開放延長機能の作動中においては顕著である。
【００７４】
ここで、本パチンコ遊技機１では、大当りか外れかの判定は「特別図柄当否判定用乱数（「当否判定用情報」ともいう）」に基づいて行われ、大当りとなった場合の大当りの種別の判定は「大当り種別決定用乱数（「図柄決定用乱数」、「図柄決定用情報」ともいう）」に基づいて行われる。図７（Ａ）に示すように、特別図柄当否判定用乱数は「０〜６２９」までの範囲で値をとり、大当り種別決定用乱数は「０〜９９」までの範囲で値をとる。また、第１始動口２０や第２始動口２１への入球に基づいて取得される乱数（取得情報）には、特別図柄当否判定用乱数および大当り種別決定用乱数の他に「変動パターン乱数（「変動パターン情報」ともいう）」がある。
【００７５】
変動パターン乱数は、変動時間を含む変動パターンを決めるための乱数であり、「０〜１９８」までの範囲で値をとる。また、ゲート２８の通過に基づいて取得される乱数には、図７（Ｂ）に示す普通図柄当否判定用乱数がある。普通図柄当否判定用乱数は、第２始動口２１を開放させる補助遊技を行うか否かの判定（普通図柄抽選）のための乱数であり、「０〜２４０」までの範囲で値をとる。
【００７６】
次に、本実施例のパチンコ遊技機１の遊技状態に関して説明する。パチンコ遊技機１は、特別図柄および普通図柄に対する確率変動機能、変動時間短縮機能および開放延長機能の各機能が作動状態または非作動状態となる組合せにより、複数の遊技状態を有している。特別図柄（第１特別図柄及び第２特別図柄）について確率変動機能が作動している状態を「高確率状態」や「確変状態」といい、作動していない状態を「低確率状態」や「通常状態」という。高確率状態では、特別図柄当否判定において大当りと判定される確率が通常状態よりも高くなっている。すなわち、通常状態では通常状態用の大当り判定テーブルを用いて当否判定を行うものの、高確率状態では、大当りと判定される特別図柄当否判定用乱数の値が多い高確率状態用の大当り判定テーブルを用いて、当否判定を行う（図８（Ａ）を参照）。つまり、特別図柄の確率変動機能が作動すると、作動していないときに比して、特別図柄の変動表示の結果が大当りとなる（停止図柄が大当り図柄となる）確率が高くなる。
【００７７】
また、特別図柄（第１特別図柄および第２特別図柄）について変動時間短縮機能が作動している状態を「時短状態」といい、作動していない状態を「非時短状態」という。時短状態では、特別図柄の変動時間（変動表示の開始時から確定表示時までの時間）の平均値が、非時短状態における特別図柄の変動時間の平均値よりも短くなっている。すなわち、時短状態においては、変動時間の短い変動パターンが選択されることが非時短状態よりも多くなるように定められた変動パターンテーブルを用いて、変動パターンの判定を行う（図９を参照）。その結果、時短状態では、特図保留の消化のペースが速くなり、始動口への有効な入球（特図保留として記憶され得る入球）が発生しやすくなる。そのため、スムーズな遊技の進行のもとで大当りを狙うことができる。
【００７８】
特別図柄（第１特別図柄および第２特別図柄）についての確率変動機能と変動時間短縮機能とは同時に作動することもあるし、片方のみが作動することもある。そして、普通図柄についての確率変動機能および変動時間短縮機能は、特別図柄の変動時間短縮機能に同期して作動するようになっている。すなわち、普通図柄の確率変動機能および変動時間短縮機能は、特別図柄の時短状態において作動し、非時短状態において作動しないものとなっている。このため、時短状態では、普通図柄当否判定における当り確率が非時短状態よりも高くなる。具体的に、時短状態では、当りと判定される普通図柄乱数（当り乱数）の値が非時短状態で用いる普通図柄当り判定テーブルよりも多い普通図柄当り判定テーブルを用いて、普通図柄当否判定（普通図柄の判定）を行う（図８（Ｃ）を参照）。
【００７９】
また時短状態では、普通図柄の変動時間が非時短状態よりも短くなっている。本実施例では、普通図柄の変動時間は非時短状態では３０秒であるが、時短状態では１秒である（図８（Ｄ）を参照）。さらに時短状態では、可変入賞装置２２（第２始動口２１）の開放時間延長機能が作動し、補助遊技における第２始動口２１の開放時間が、非時短状態よりも長くなっている。加えて時短状態では、可変入賞装置２２の開放回数増加機能が作動し、補助遊技における第２始動口２１の開放回数が非時短状態よりも多くなっている。具体的には、非時短状態において普通図柄当否判定の結果が当りになると、可変入賞装置２２（第２始動口２１）の可動部材２３が０．２秒の開放動作を１回行い、時短状態において普通図柄当否判定の結果が当りになると、可変入賞装置２２（第２始動口２１）の可動部材２３が２．０秒の開放動作を３回行うものとなっている。
【００８０】
普通図柄についての確率変動機能および変動時間短縮機能、並びに、可変入賞装置２２の開放時間延長機能および開放回数増加機能が作動している状況下では、これらの機能が作動していない場合に比して、第２始動口２１が頻繁に開放され、第２始動口２１へ遊技球の入球頻度が高くなる（「高頻度状態」ともいう）。その結果、発射球数に対する賞球数の割合であるベースが高くなる。従って、これらの機能が作動している状態を「高ベース状態」といい、作動していない状態を「低ベース状態」という。高ベース状態では、手持ちの遊技球（持ち球）を大きく減らすことなく大当りを狙うことができる。
【００８１】
高ベース状態（高頻度状態）は、上記の全ての機能が作動するものでなくてもよい。すなわち、普通図柄についての確率変動機能および変動時間短縮機能、並びに、可変入賞装置２２の開放時間延長機能および開放回数増加機能のうち少なくとも一つの機能の作動によって、その機能が作動していないときよりも第２始動口２１が開放され易く（入球頻度が高く）なっていればよい。また、高ベース状態は、特別図柄の時短状態に付随せずに独立して制御されるようにしてもよい。この様な高ベース状態を発生する機能を「高ベース発生機能」ということもできる。
【００８２】
本実施例のパチンコ遊技機１では、前述したように、１６Ｒ第１大当り、６Ｒ第２大当り、１６Ｒ第６大当り、１６Ｒ第７大当り、１２Ｒ第８大当り、６Ｒ第９大当りおよび２Ｒ第１０大当りの何れかの何れかになった場合の大当り遊技後（特別遊技後）の遊技状態は、特別図柄の高確率状態かつ特別図柄の時短状態かつ高ベース状態となる（図６を参照）。この遊技状態を特に「高確高ベース状態」という。高確高ベース状態は、予め定められた回数の特別図柄の変動表示が実行されるか、又は、大当りとなって大当り遊技が実行されることにより終了する。この高確高ベース状態は、高確率状態であることが遊技者にとって明らかな状態であり、遊技者にとってはいわゆる「確変状態」となる。
【００８３】
また、６Ｒ第３〜第５大当り、１６Ｒ第１１大当りおよび２Ｒ第１２大当りの何れかになった場合の大当り遊技後（特別遊技後）の遊技状態は、特別図柄の通常状態（低確率状態）になるとともに、特別図柄の時短状態かつ高ベース状態となる（図６を参照）。この遊技状態を特に「低確高ベース状態」という。低確高ベース状態は、所定回数（例えば１００回）の特別図柄の変動表示が実行されるか、大当りに当選してその大当り遊技が実行されることにより終了する。
【００８４】
尚、本実施例のパチンコ遊技機１では、遊技状態として「低確低ベース状態」、「低確高ベース状態」、「高確高ベース状態」の３つの遊技状態を設定可能としているが、これに加え、特別図柄の高確率状態かつ特別図柄の非時短状態かつ低ベース状態、すなわち「高確低ベース状態」を設定可能としてもよい。
【００８５】
高確高ベース状態や低確高ベース状態といった高ベース状態では、右打ちにより右遊技領域３Ｂへ遊技球を進入させた方が有利に遊技を進行できる。高ベース状態では、低ベース状態と比べて第２始動口２１が開放されやすくなっており、第１始動口２０への入球よりも第２始動口２１への入球の方が容易となっているからである。このため、普通図柄当否判定の契機となるゲート２８へ遊技球を通過させつつ、第２始動口２１へ遊技球を入球させるべく右打ちを行う。これにより、左打ちを行う場合に比べ、多数の始動入球（特別図柄当否判定の機会）を得ることができる。この状態のとき、発射方向表示器４７が所定の態様で点灯制御され、右遊技領域３Ｂを狙って遊技球を発射すべきことを報知する（右打ち指示報知）。
【００８６】
これに対して、低ベース状態（例えば低確低ベース状態）では、左打ちにより左遊技領域３Ａへ遊技球を進入させた方が有利に遊技を進行できる。低ベース状態では、高ベース状態と比べて第２始動口２１が開放されにくくなっており、第２始動口２１への入球よりも第１始動口２０への入球の方が容易となっているからである。そのため、第１始動口２０へ遊技球を入球させるべく左打ちを行う。これにより、右打ちを行う場合に比べ、多数の始動入球（特別図柄当否判定の機会）を得ることができる。この状態のとき、発射方向表示器４７が所定の態様で点灯制御（表示制御）され、左遊技領域３Ａを狙って遊技球を発射すべきことを報知する（左打ち指示報知）。
【００８７】
ここで、発射方向表示器４７は「ｙｚ」の２個のＬＥＤで構成されており、遊技状態に応じてＬＥＤを点灯させることにより発射方向を示すものである。例えば、低ベース状態では、「ｙ□ｚ□」（例えば、□：消灯、■：点灯とする）というように両ＬＥＤを消灯する表示態様として左遊技領域へ発射すべきことを報知することができる。また、高ベース状態では、「ｙ■ｚ■」（例えば、□：消灯、■：点灯とする）というように両ＬＥＤを点灯する表示態様として右遊技領域へ発射すべきことを報知することができる。
【００８８】
［主制御メイン処理］
次に、図１０〜図３６に基づいて遊技制御用マイコン８１の動作（主制御部８０による制御処理）について説明する。尚、遊技制御用マイコン８１の動作説明にて登場するカウンタ、フラグ、ステータス、バッファ等は、主制御基板８０のＲＡＭに設けられている。主制御基板８０に備えられた遊技制御用マイコン８１は、パチンコ遊技機１の電源がオンされると、主制御基板８０のＲＯＭから図１０に示す主制御メイン処理のプログラムを読み出して実行する。同図に示すように、主制御メイン処理では、まず、初期設定を行う（S101）。初期設定では、例えば、スタックの設定、定数設定、割り込み時間の設定、主制御基板８０のＣＰＵの設定、ＳＩＯ、ＰＩＯ、ＣＴＣ（割り込み時間用コントローラ）の設定や、各種のフラグ、ステータス及びカウンタのリセット等を行う。フラグの初期値は「０」つまり「ＯＦＦ」であり、ステータスの初期値は「１」であり、カウンタの初期値は「０」である。初期設定（S101）は、電源投入後に一度だけ実行され、それ以降は実行されない。
【００８９】
初期設定（S101）に次いで、割り込みを禁止し（S102）、普通図柄・特別図柄主要乱数更新処理（S103）を実行する。この普通図柄・特別図柄主要乱数更新処理（S103）では、図７に示した種々の乱数カウンタの値を１加算する更新を行う。各乱数カウンタの値は上限値に至ると「０」に戻って再び加算される。尚、各乱数カウンタの初期値は「０」以外の値であってもよく、ランダムに変更されるものであってもよい。更新された乱数カウンタ値は主制御基板８０のＲＡＭの所定の更新値記憶領域（図示せず）に逐次記憶される。
【００９０】
普通図柄・特別図柄主要乱数更新処理（S103）が終了すると、割り込みを許可する（S104）。割り込み許可中は、割り込み処理（S105）の実行が可能となる。この割り込み処理（S105）は、例えば４ｍｓ周期で主制御基板８０のＣＰＵに繰り返し入力される割り込みパルスに基づいて実行される。そして、割り込み処理（S105）が終了してから、次に割り込み処理（S105）が開始されるまでの間に、普通図柄・特別図柄主要乱数更新処理（S103）による各種カウンタ値の更新処理が繰り返し実行される。尚、割り込み禁止状態のときにＣＰＵに割り込みパルスが入力された場合は、割り込み処理（S105）はすぐには開始されず、割り込み許可（S104）がされてから開始される。
【００９１】
［割り込み処理］
次に、割り込み処理（S105）について説明する。図１１に示すように、割り込み処理（S105）では、まず、出力処理（S201）を実行する。出力処理（S201）では、以下に説明する各処理において主制御基板８０のＲＡＭに設けられた出力バッファにセットされたコマンド（制御信号）等を、サブ制御基板９０や払出制御基板１１０等に出力する。ここで出力するコマンド等には、遊技状態、特別図柄当否判定の結果、大当り種別としての図柄、変動パターン等に関する情報等が挙げられる。尚、コマンドは、例えば２バイトの情報からなる。上位１バイトは、コマンドの種類に関する情報であり、下位１バイトはコマンドの内容に関する情報である。
【００９２】
出力処理（S201）に次いで行われる入力処理（S202）では、主にパチンコ遊技機１に取り付けられている各種センサ（第１始動口センサ２０ａ、第２始動口センサ２１ａ、大入賞口センサ３０ａ、第２大入賞口センサ３５ａ等（図５を参照））が検知した検知信号を読み込み、賞球情報としてＲＡＭの出力バッファに記憶する。また、下皿６２の満杯を検知する下皿満杯検知センサ（図示せず）からの検知信号も取り込み、下皿満杯データとしてＲＡＭの出力バッファに記憶する。
【００９３】
次に行われる普通図柄・特別図柄主要乱数更新処理（S203）は、図１０の主制御メイン処理で行う普通図柄・特別図柄主要乱数更新処理（S103）と同じである。即ち、図７に示した各種乱数カウンタ値（普通図柄乱数カウンタ値も含む）の更新処理は、タイマ割り込み処理（S105）の実行期間と、それ以外の期間（割り込み処理（S105）の終了後、次の割り込み処理（S105）が開始されるまでの期間）との両方で行われている。
【００９４】
普通図柄・特別図柄主要乱数更新処理（S203）に次いで、後述する始動口センサ検知処理（S204）、始動入球時処理（S205）、普図動作処理（S206）、特図動作処理（S207）、保留球数処理（S208）および電源断監視処理（S209）を実行する。その後、本発明に深く関連しないその他の処理（S210）を実行して、割り込み処理（S105）を終了する。そして、次に主制御基板８０のＣＰＵに割り込みパルスが入力されるまでは主制御メイン処理のS102〜S104の処理が繰り返し実行され（図１０を参照）、割り込みパルスが入力されると（約４ｍｓ後）、再び割り込み処理（S105）が実行される。再び実行された割り込み処理（S105）の出力処理（S201）においては、前回の割り込み処理（S105）にてＲＡＭの出力バッファにセットされたコマンド等が出力される。
【００９５】
［始動口センサ検知処理］
図１２に示すように、始動口センサ検知処理（S204）では、まず、遊技球がゲート２８を通過したか否か、即ち、ゲートセンサ２８ａによって遊技球が検知されたか否かを判定する（S301）。遊技球がゲート２８を通過していなければ（S301でNO）、S305の処理に移行し、ゲート２８を遊技球が通過していれば（S301でYES）、普通図柄保留球数（普図保留の数、具体的にはＲＡＭに設けた普図保留の数をカウントするカウンタの値）が４未満であるか否か判定する（S302）。
【００９６】
普通図柄保留球数が４未満でなければ（S302でNO）、S305の処理に移行する。一方、普通図柄保留球数が４未満であれば（S302でYES）、普通図柄保留球数に「１」を加算し（S303）、普通図柄乱数取得処理（S304）を行う。普通図柄乱数取得処理（S304）では、ＲＡＭの更新値記憶領域（図示せず）に記憶されている普通図柄当否判定用乱数カウンタの値（ラベル−ＴＲＮＤ−Ｈ、図７（Ｂ））を取得し、その取得乱数値（取得情報）を、主制御基板８０のＲＡＭに設けられた普図保留記憶部のうち現在の普通図柄保留球数に応じたアドレス空間に格納する。
【００９７】
S305では、第２始動口２１に遊技球が入球したか否か、即ち、第２始動口センサ２１ａによって遊技球が検知されたか否かを判定する（S305）。第２始動口２１に遊技球が入球していない場合（S305でNO）には、S309の処理に移行し、第２始動口２１に遊技球が入球した場合には（S305でYES）、特図２保留球数（第２特図保留の数、具体的には主制御部８０のＲＡＭに設けた第２特図保留の数をカウントするカウンタの数値）が４（上限数）未満であるか否か判定する（S306）。そして、特図２保留球数が４未満でない場合（S306でNO）には、S309の処理に移行し、特図２保留球数が４未満である場合には（S306でYES）、特図２保留球数に１を加算する（S307）。
【００９８】
続いて特図２関係乱数取得処理（S308）を行う。特図２関係乱数取得処理（S308）では、ＲＡＭの更新値記憶領域（図示せず）に記憶されている特別図柄当否判定用乱数カウンタの値（ラベル−ＴＲＮＤ−Ａ）、大当り種別決定用乱数カウンタの値（ラベル−ＴＲＮＤ−ＡＳ）及び変動パターン乱数カウンタの値（ラベル−ＴＲＮＤ−Ｔ１）を取得し（つまり図７（Ａ）に示す乱数の値を取得し）、それら取得乱数値（取得情報）を第２特図保留記憶部８５ｂのうち現在の特図２保留球数に応じたアドレス空間に格納する。
【００９９】
続いて第１始動口２０に遊技球が入球したか否か、即ち、第１始動口センサ２０ａによって遊技球が検知されたか否かを判定する（S309）。第１始動口２０に遊技球が入球していない場合（S309でNO）には処理を終えるが、第１始動口２０に遊技球が入球した場合には（S309でYES）、特図１保留球数（第１特図保留の数、具体的には主制御部８０のＲＡＭに設けた第１特図保留の数をカウントするカウンタの数値）が４（上限数）未満であるか否か判定する（S310）。そして、特図１保留球数が４未満でない場合（S310でNO）には、処理を終えるが、特図１保留球数が４未満である場合には（S310でYES）、特図１保留球数に「１」を加算する（S311）。
【０１００】
続いて特図１関係乱数取得処理（S312）を行う。特図１関係乱数取得処理（S312）では、特図２関係乱数取得処理（S308）と同様に、ＲＡＭの更新値記憶領域（図示せず）に記憶されている特別図柄当否判定用カウンタの値（ラベル−ＴＲＮＤ−Ａ）、大当り種別決定用乱数カウンタの値（ラベル−ＴＲＮＤ−ＡＳ）および変動パターン乱数カウンタの値（ラベル−ＴＲＮＤ−Ｔ１）を取得し（つまり図７（Ａ）に示す乱数値を取得し）、それら取得乱数値を第１特図保留記憶部のうち現在の特図１保留球数に応じたアドレス空間に格納する。
【０１０１】
［始動入球時処理］
図１１に示すように遊技制御用マイコン８１は、始動口センサ検知処理（S204）に次いで始動入球時処理（S205）を行う。図１３に示すように、始動入球時処理（S205）では、まず、特図２保留球数が「１」増加したか否かを判定する（S315）。そして、特図２保留球数が「１」増加したと判定した場合（S315でYES）、S316の処理に移行する。これは、第２始動口に遊技球が入球したことに基づいて、始動口センサ検知処理(S204)におけるS307で特図２保留球数に「１」を加算した場合が該当する。一方、特図２保留球数が増加していないと判定した場合(S315でNO)、S319の処理に移行する。
【０１０２】
S316では、直前の始動口センサ検知処理(S204)における特図２関係乱数取得処理（S308）で取得して第２特図保留記憶部に記憶した最新の取得乱数値（取得情報）を読み出す（S316）。次いで、読み出した第２特別図柄に係る取得乱数値を判定する（S317）。S317では、読み出した取得乱数値のうち、特別図柄当否判定用乱数カウンタの値（特別図柄当否判定用乱数値）については、現在の遊技状態（低確率状態か高確率状態か）に応じて大当りか外れかを判定し、当該判定の結果が大当りである場合には、さらに大当りの種別を判定する。このS317による判定は、特図２保留についての当否判定（大当りか否かの判定）を、後述の特図２当否判定処理（S1202）における当否判定（S1303,S1304）に先立って行う事前判定（所謂「保留先読み」）に相当するものである。
【０１０３】
尚、大当りか否かの事前判定は、大当り判定テーブル（図８（Ａ）を参照）、すなわち、高確率状態であれば高確率状態用の大当り判定テーブル、通常状態（低確率状態）であれば通常状態用の大当り判定テーブルに基づいて、大当り判定値と一致するか否かを判定することが可能である。また、他の事前判定態様として、変動パターン情報を判定可能な変動パターン情報判定テーブルとして、通常状態用（低確率状態用）の変動パターン情報判定テーブルと、高確率状態用（高確率状態用）の変動パターン情報判定テーブルと、を有するものとする。そして、事前判定においては、取得乱数値（特別図柄当否判定用乱数カウンタの値等）と、遊技状態に応じた変動パターン情報判定テーブルと、に基づいて、所定の変動パターン情報を選択するものとすることが可能である。そして、この選択した変動パターン情報から、大当りかどうかや大当り種別、大当り信頼度の高い遊技演出が実行されるかどうか等を識別可能とすることができる。
【０１０４】
次いでS318では、S317による事前判定の結果に係る遊技情報（事前判定情報）、具体的には、特別図柄当否判定用乱数値が大当り判定値と一致するか否かを示す情報（当否情報）や、大当り種別決定用乱数カウンタの値（大当り種別決定用乱数値）を示す情報、変動パターン乱数カウンタの値（変動パターン乱数値）を示す情報等を含むコマンドデータを、特図２始動入球コマンドとして生成し、当該コマンドをＲＡＭの出力バッファにセットする（S318）。尚、特図２始動入球コマンドとして、S316で読み出した特図２取得乱数の値の一部または全部を、そのままサブ制御基板に送信するようにしてもよいし、特図２取得乱数の値はそのまま送信せず、特図２取得乱数の値に基づいて取得した遊技情報（例えば、前述の変動パターン情報等）を送信するようにしてもよい。
【０１０５】
また、主制御部８０から送信した特図２始動入球コマンドをサブ制御部９０で解析することで、大当りに係る情報であるか、大当り種別は何れであるか、変動パターンは何れであるか等を、サブ制御部９０が識別できるものとされている。また、本実施例では、これに加えて、特図２始動入球コマンドを解析することで、取得した特図２取得乱数が高確率状態で判定した場合に大当りとなるかどうか、及び低確率状態で判定した場合に大当りとなるかどうか、を特定可能とされている。これにより、サブ制御部９０は、受信した特図２始動入球コマンドを保留（演出保留情報）として記憶し、特定のタイミングで当該演出保留情報を事前判定し、低確率状態で当否判定した場合に大当りと判定される演出保留情報が記憶されているかどうかを判定することが可能となる。
【０１０６】
尚、不正防止の観点から、S316で読み出した取得乱数値のうち特別図柄当否判定用乱数値を、そのままサブ制御部に送信することはせず、その他の大当り種別決定用乱数カウンタの値（大当り種別決定用乱数値）と変動パターン乱数カウンタの値（変動パターン乱数値）を示す情報と、事前判定の結果を示す情報とを含むコマンドデータを特図２始動入球コマンドとして生成し、これをセットすることが可能である。
【０１０７】
次いでS319では、前述の特図２に係る処理と同様に、特図１保留球数が「１」増加したか否かを判定する（S319）。そして、特図１保留球数が「１」増加したと判定した場合（S319でYES）、S320の処理に移行する。これは、第１始動口に遊技球が入球したことに基づいて、始動口センサ検知処理(S204)におけるS311で特図１保留球数に「１」を加算した場合が該当する。一方、S319で、特図１保留球数が増加していないと判定した場合（S319でNO）、そのまま処理を終える。
【０１０８】
S320では、時短フラグがＯＮであるか否かを判定し（S320）、時短フラグがＯＮである、すなわち高ベース状態であると判定した場合（S320でYES）、そのまま処理を終える。一方、S320で時短フラグがＯＦＦである、すなわち低ベース状態であると判定した場合（S320でNO）、S321以降の事前判定に係る処理に進む。ここで、時短フラグがＯＮである場合、すなわち現在の遊技状態が高ベース状態である場合、第２始動口２１への入球頻度が高まる開放延長機能が作動しており、特図２の当否判定（図８（Ｂ）を参照）が行われやすい状態となっている。また、本実施例では、後述するように特図２保留の消化（第２特別図柄の変動表示）を特図１保留の消化（第１特別図柄の変動表示）に優先して実行するもの（所謂特図２優先変動機）としている。このような構成において、例えば、特図１の事前判定を行い、その結果を予告等の演出により遊技者に報知し、その事前判定の結果が大当りであることが明示された場合、遊技者は、特図２保留消化の優先を利用して、任意のタイミングで特図２保留を意図的に無くして（「０」にして）、事前判定の結果が示された特図１に係る大当りを意図的に発生させるといった技術介入が可能となる。このように大当りの発生タイミングを遊技者が調整できることは、遊技の公平性の観点から好ましくない。このため、現在の遊技状態が低ベース状態でなく高ベース状態である場合には（S320でYES）、S321以降の特図１の事前判定に係る処理を行わず、本処理を終えることとしている。
【０１０９】
S321〜S323の処理は、前述したS316〜S318と同様の処理を特図１について行うものである。すなわち、始動口センサ検知処理(S204)における特図１関係乱数取得処理（S312）で取得して第１特図保留記憶部に記憶した最新の取得乱数値（取得情報）を読み出し（S321）、読み出した取得乱数値について事前判定を行う（S322）。そして、この事前判定に係る遊技情報を含むコマンドデータを特図１始動入球コマンドとして生成し、当該コマンドをＲＡＭの出力バッファにセットする（S323）。尚、S322の事前判定（保留先読み）は、後述の特図１当否判定処理（S1207）における当否判定（S1603,S1604）に先立って行うものである。
【０１１０】
[普図動作処理]
遊技制御用マイコン８１は、始動入球時処理（S205）に次いで、図１４に示す普図動作処理（S206）を行う。普図動作処理（S206）では、普通図柄表示器４２及び可変入賞装置２２に関する処理を４つの段階に分け、それらの各段階に「普図動作ステータス１、２、３、４」を割り当てている。そして、「普図動作ステータス」が「１」である場合には（S401でYES）、普通図柄待機処理（S402）を行い、「普図動作ステータス」が「２」である場合には（S401でNO、S403でYES）、普通図柄変動中処理（S404）を行い、「普図動作ステータス」が「３」である場合には（S401、S403で共にNO、S405でYES）、普通図柄確定処理（S406）を行い、「普図動作ステータス」が「４」である場合には（S401、S403、S405の全てがNO）、普通電動役物処理（S407）を行う。尚、普図動作ステータスは、初期設定では「１」である。
【０１１１】
［普通図柄待機処理］
図１５に示すように、普通図柄待機処理（S402）では、まず、普通図柄の保留球数が「０」であるか否かを判定し（S501）、「０」であれば（S501でYES）、この処理を終える。一方「０」でなければ（S501でNO）、後述の普通図柄当否判定処理を行い（S502）、次いで、普通図柄変動パターン選択処理を行う（S503）。普通図柄変動パターン選択処理では、図８（Ｄ）に示す普通図柄変動パターン選択テーブルを参照して、遊技状態が時短状態であれば、普通図柄の変動時間が１秒の普通図柄変動パターンを選択する。一方、遊技状態が非時短状態であれば、普通図柄の変動時間が３０秒の普通図柄変動パターンを選択する。普通図柄変動パターン選択処理（S503）を終えたら、後述の普通図柄乱数シフト処理（S504）を行い、次いで、普通図柄変動開始処理（S505）を行い、処理を終える。普通図柄変動開始処理では、S503で選択した普通図柄変動パターンに基づいて普通図柄の変動表示を開始するとともに、普通動作ステータスを「２」にセットする。また、普通図柄変動開始処理では、サブ制御基板９０に普通図柄の変動開始を知らせるため、普通図柄変動開始コマンドをセットする。
【０１１２】
［普通図柄当否判定処理］
図１６に示すように、普通図柄当否判定処理（S502）では、まず、普図保留記憶部に格納されている普通図柄当否判定用乱数カウンタの値（ラベル−ＴＲＮＤ−Ｈ）を読み出す（S601）。次いで、時短フラグがＯＮであるか否か（すなわち遊技状態が時短状態であるか否か）を判定する（S602）。S602で、時短フラグがＯＮである、すなわち時短状態であると判定した場合（S602でYES）、図８（Ｃ）に示す普通図柄当り判定テーブルのうち時短状態用のテーブル（当り判定値が「０」〜「２３９」）に基づく高確率普図当否判定により、当りか否かを判定し（S604）、S605の処理に移行する。すなわち、読み出した普通図柄当否判定用乱数カウンタの値（ラベル−ＴＲＮＤ−Ｈ）が当り判定値の何れかと一致するか否かを判定する。一方、S602で、時短フラグがＯＮでない、すなわち、非時短状態であると判定した場合（S602でNO）、図８（Ｃ）に示す普通図柄当り判定テーブルのうち非時短状態用のテーブル（当り判定値が「０」、「１」）に基づく低確率普図当否判定により、当りか否かを判定し（S603）、S605の処理に移行する。そして、普図当否判定（S603,S604）の結果が、当り（普図当り）か否かを判定し（S605）、外れと判定された場合（S605でNO）、停止表示する外れ普通図柄（普図外れ図柄）を決定し（S606）、処理を終える。一方、S605で当り（普図当り）と判定された場合（S605でYES）、停止表示する当り普通図柄（普図当り図柄）を決定し（S607）、普図当りフラグをＯＮにして（S608）、処理を終える。
【０１１３】
［普通図柄乱数シフト処理］
図１７に示すように、普通図柄乱数シフト処理（S504）では、まず、普通図柄保留球数を１ディクリメントする（S701）。次いで、普図保留記憶部における各普図保留の格納場所を、現在の位置から読み出される側に一つシフトする（S702）。そして、普図保留記憶部における最上位の保留記憶の格納場所であるアドレス空間を空（「０」）にして、即ち普図保留の４個目に対応するＲＡＭ領域を０クリアして（S703）、処理を終える。このようにして、普図保留が保留順に消化されるようにしている。
【０１１４】
［普通図柄変動中処理］
図１８に示すように、普通図柄変動中処理（S404）では、まず、普通図柄の変動時間が経過したか否か判定し（S801）、経過していなければ（S801でNO）、処理を終える。一方、経過していれば（S801でYES）、普通図柄変動停止コマンドをセットする（S802）とともに、普図動作ステータスを「３」にセットする（S803）。そして、普通図柄の変動表示を、普通図柄当否判定用乱数の判定結果に応じた表示結果（当り普通図柄又は外れ普通図柄）で停止させる等のその他の処理を行って（S804）、この処理を終える。
【０１１５】
［普通図柄確定処理］
図１９に示すように、普通図柄確定処理（S406）では、まず、普図当りフラグがＯＮであるか否かを判定する（S901）。普図当りフラグがＯＮでなければ（S901でNO）、普図動作ステータスを「１」にセットして（S905）、この処理を終える。一方、普図当りフラグがＯＮであれば（S901でYES）、続いて時短フラグがＯＮであるか否か、すなわち時短状態中か否かを判定する（S902）。そして、時短状態中であれば（S902でYES）、可変入賞装置２２（第２始動口２１）の開放パターンとして時短状態中の開放パターンをセットする（S903）。時短状態中の開放パターンとは、前述の通り、２．０秒の開放を３回繰り返す開放パターンである。従って、第２始動口２１の開放回数をカウントする第２始動口開放カウンタに「３」をセットする。
【０１１６】
これに対して、非時短状態中であれば（S902でNO）、可変入賞装置２２（第２始動口２１）の開放パターンとして非時短状態中の開放パターンをセットする（S906）。非時短状態中の開放パターンとは、前述の通り、０．２秒の開放を１回行う開放パターンである。従って、第２始動口開放カウンタに「１」をセットする。そして、開放パターンのセット（S903、S906）に続いて、普図動作ステータスを「４」にセットし（S904）、この処理を終える。
【０１１７】
［普通電動役物処理］
図２０に示すように、普通電動役物処理（S407）では、まず、普図当り終了フラグがＯＮであるか否かを判定する（S1001）。普図当り終了フラグは、当りとなって実行された補助遊技において、第２始動口２１の開放が終了したことを示すフラグである。
【０１１８】
普図当り終了フラグがＯＮでなければ（S1001でNO）、第２始動口２１の開放中か否かを判定する（S1002）。開放中でなければ（S1002でNO）、第２始動口２１を開放させる時期（タイミング）に至ったか否かを判定し（S1003）、至っていなければ（S1003でNO）、処理を終え、至っていれば（S1003でYES）、第２始動口２１を開放させ（S1004）、処理を終える。一方、第２始動口２１の開放中であれば（S1002でYES）、第２始動口２１を閉鎖させる時期（タイミング）に至ったか否か（すなわち第２始動口２１を開放してから予め定められた開放時間が経過したか否か）を判定し（S1005）、至っていなければ（S1005でNO）処理を終え、至っていれば（S1005でYES）、第２始動口２１を閉状態（閉鎖）とする（S1006）。
【０１１９】
そして、第２始動口２１の閉鎖処理（S1006）に次いで、第２始動口開放カウンタの値を１ディクリメントし（S1007）、第２始動口開放カウンタの値が「０」であるか否か判定する（S1008）。「０」でなければ（S1008でNO）、再び第２始動口２１を開放させるためにそのまま処理を終える。一方「０」であれば（S1008でYES）、補助遊技を終了させる普図当り終了処理を行う（S1009）とともに、普図当り終了フラグをセットして（S1010）処理を終える。尚、第２始動口開放カウンタは、時短状態中であれば第２始動口２１の開放（可動部材２３の開放動作）が３回なされると「０」になり、非時短状態中であれば第２始動口２１の開放が１回なされると「０」になる。
【０１２０】
これに対して、S1001において普図当り終了フラグがＯＮであれば（S1001でYES）、S903またはS906にてセットされた回数の第２始動口２１の開放動作は終了しているので、普図当り終了フラグをＯＦＦにするとともに（S1011）、普図当りフラグをＯＦＦにし（S1012）、普図動作ステータスを「１」にセットして（S1013）処理を終える。これにより、次回の割り込み処理において、普図動作処理（図１３）として再び普通図柄待機処理（S402）が実行されることになる。
【０１２１】
［特図動作処理］
図１１に示すように遊技制御用マイコン８１は、普図動作処理（S206）に次いで特図動作処理（S207）を行う。特図動作処理（S207）では、図２１に示すように、特別図柄表示器４１および大入賞装置３１に関する処理を４つの段階に分け、それらの各段階に「特図動作ステータス１、２、３、４」を割り当てている。そして、「特図動作ステータス」が「１」である場合には（S1101でYES）、特別図柄待機処理（S1102）を行い、「特図動作ステータス」が「２」である場合には（S1101でNO、S1103でYES）、特別図柄変動中処理（S1104）を行い、「特図動作ステータス」が「３」である場合には（S1101,S1103で共にNO、S1105でYES）、特別図柄確定処理（S1106）を行い、「特図動作ステータス」が「４」である場合には（S1101,S1103,S1105の全てがNO）、大当り遊技としての特別電動役物処理（S1107）を行う。尚、特図動作ステータスは、初期設定では「１」である。
【０１２２】
［特別図柄待機処理］
図２２に示すように、特別図柄待機処理（S1102）では、まず、第２始動口２１の保留球数（即ち特図２保留球数）が「０」であるか否かを判定する（S1201）。特図２保留球数が「０」である場合（S1201でYES）、即ち、第２始動口２１への入球に起因して取得した乱数カウンタ値の記憶がない場合には、第１始動口２０の保留球数（即ち特図１保留球数）が「０」であるか否かを判定する（S1206）。そして、特図１保留球数も「０」である場合（S1206でYES）、即ち、第１始動口２０への入球に起因して取得した乱数カウンタ値の記憶もない場合には、画像表示装置７の表示画面７ａを待機画面とする処理中（客待ち用のデモ画面の実行中）であるか否かを判定し（S1211）、待機画面とする処理中であれば（S1211でYES）、処理を終え、待機画面とする処理中でなければ（S1211でNO）、待機画面を表示するために待機画面設定処理を実行する（S1212）。
【０１２３】
S1201において特図２保留球数が「０」でない場合（S1201でNO）、即ち、第２始動口２１への入球に起因して取得した乱数カウンタ値の記憶が１つ以上ある場合には、後述の特図２当否判定処理（S1202）、特図２変動パターン選択処理（S1203）、特図２乱数シフト処理（S1204）、特図２変動開始処理（S1205）をこの順に行う。また、特図２保留球数が「０」であるが特図１保留球数が「０」でない場合（S1201でYES、S1206でNO）、即ち、第２始動口２１に係る乱数カウンタ値の記憶はないが、第１始動口２０への入球に起因して取得した乱数カウンタ値の記憶が１つ以上ある場合には、後述の特図１当否判定処理（S1207）、特図１変動パターン選択処理（S1208）、特図１乱数シフト処理（S1209）、特図１変動開始処理（S1210）をこの順に行う。このように本実施例では、第１特図保留に基づく第１特別図柄の変動表示は、第２特図保留が「０」の場合（S1201でYES）に限って行われる。すなわち第２特図保留の消化（第２特別図柄の変動表示）は、第１特図保留の消化（第１特別図柄の変動表示）に優先して実行される。そして本実施例では、第２特図保留に基づく当否判定の方が、第１特図保留に基づく当否判定よりも、遊技者にとって利益の大きい大当りになりやすくなっている（図８（Ｂ）を参照）。
【０１２４】
［特図２当否判定処理］
図２３に示すように、特図２当否判定処理（S1202）では、まず、判定値として、ＲＡＭの第２特図保留記憶部８５ｂの最下位の領域（即ち第２特図保留の１個目に対応するＲＡＭ領域）に記憶されている（最も古い記憶の）特別図柄当否判定用乱数カウンタの値（ラベル−ＴＲＮＤ−Ａ）を読み出す（S1301）。次いで、確変フラグがＯＮであるか否か、すなわち高確率状態であるか否かを判定する（S1302）。そして、高確率状態でなければ（S1302でNO）、すなわち通常状態であれば、図８（Ａ）に示す大当り判定テーブルのうち通常状態用の大当り判定テーブル（大当り判定値が「３」及び「３９７」）に基づいて当否判定を行う（S1303）。一方、高確率状態であれば（S1302でYES）、大当り判定テーブルのうち高確率状態用の大当り判定テーブルに基づいて当否判定を行う（S1304）。高確率状態用の大当り判定テーブルでは、大当り判定値は、「３」、「５３」、「１１３」、「１７３」、「２２７」、「２８１」、「３３７」、「３９７」、「４４９」、「５０３」とされている。
【０１２５】
大当り判定（S1303,S1304）の結果が「大当り」であると判定した場合（S1305でYES）、大当り種別決定用乱数カウンタの値（ラベル−ＴＲＮＤ−ＡＳ）を読み出して、図８（Ｂ）に示す大当り種別判定テーブルに基づいて大当り種別を判定し（S1307）、当該大当り種別決定用乱数の値に基づいて大当り図柄を決定し（S1308）、大当りフラグをＯＮにして（S1309）、処理を終える。一方、大当り判定（S1303、S1304）の結果が「大当り」でないと判定した場合（S1305でNO）、外れ図柄を決定し（S1306）、処理を終える。尚、第１特別図柄に係る当否判定の場合は、第１特別図柄用の大当り種別判定テーブルを用いて大当り種別を判定し、第２特別図柄に係る当否判定の場合は、第２特別図柄用の大当り種別判定テーブルを用いて大当り種別を判定する。ここで、大当り判定（特別図柄当否判定）や大当り種別決定判定を、夫々「判定」といってもよいし、大当り判定を行い何れの大当り図柄となるかを含めて「判定」といってもよい。また、これらの結果を「判定結果」ということもある。
【０１２６】
ここで、ラウンド表示器４５は、２Ｒ用ランプ、６Ｒ用ランプ、１２Ｒ用ランプ及び１６Ｒ用ランプの４個のＬＥＤで構成されている（図４を参照）。そして、例えば２Ｒ大当りになると、対応する大当り図柄が確定表示するタイミングで、２Ｒ用ランプが点灯表示される。具体的には、「２Ｒ▲６△１２△１６Ｒ△」（例えば、▲：点灯、△：消灯とする）の様な表示態様となる。また、６Ｒ大当りになると、対応する大当り図柄が確定表示するタイミングで、６Ｒ用ランプが点灯表示される。具体的には、「２Ｒ△６▲１２△１６Ｒ△」の様な表示態様となる。また、１２Ｒ大当りになると、対応する大当り図柄が確定表示するタイミングで、１２Ｒ用ランプが点灯表示される。具体的には、「２Ｒ△６△１２▲１６Ｒ△」の様な表示態様となる。また、１６Ｒ大当りになると、対応する大当り図柄が確定表示するタイミングで、１６Ｒ用ランプが点灯表示される。具体的には、「２Ｒ△６△１２△１６Ｒ▲」の様な表示態様となる。
【０１２７】
［特図２変動パターン選択処理］
特別図柄待機処理（図２２）では、特図２当否判定処理（S1202）に次いで、特図２変動パターン選択処理を行う（S1203）。図２４及び図２５に示すように、特図２変動パターン選択処理（S1203）では、まず、遊技状態が時短状態であるか否か（時短フラグがＯＮであるか否か）を判定する（S1401）。S1401で、時短状態でないと判定した場合（S1401でNO）、すなわち非時短状態であれば、次いで、大当りフラグがＯＮであるか否かを判定する（S1402）。S1402で、大当りフラグがＯＮであると判定した場合（S1402でYES）、非時短状態大当り用テーブル（図９に示す変動パターンテーブルのうち非時短状態かつ大当りに該当する部分）を参照して、変動パターン乱数カウンタ値（ラベル−ＴＲＮＤ−Ｔ１）に基づいて変動パターンを選択する（S1403）。本実施例では、変動パターンＰ１乃至Ｐ３の何れかが選択される。尚、本実施例では、変動パターンが決まれば変動時間も決まるものとされている。次いで、S1404の処理に移行する。
【０１２８】
一方、S1402で、大当りフラグがＯＮでないと判定した場合（S1402でNO）、次いで第２特別図柄の保留数が「１」又は「２」であるか否かを判定する（S1405）。ここでいう保留数とは、本処理により変動パターンを決定している情報も含めた記憶数であるので、保留記憶の数は「１」〜「４」の何れかの値とされる。そして、S1405で、保留数が「１」又は「２」であると判定した場合（S1405でYES）、第１保留数外れ用テーブル（図９に示す変動パターンテーブルのうち非時短状態かつ外れかつ保留球数「１，２」に該当する部分）を参照して、変動パターン乱数カウンタ値（ラベル−ＴＲＮＤ−Ｔ１）に基づいて変動パターンを選択する（S1406）。本実施例では、変動パターンＰ４乃至Ｐ７の何れかが選択される。一方、S1405で、保留数が「１」又は「２」でない、すなわち「３」又は「４」であると判定した場合（S1405でNO）、第２保留数外れ用テーブル（図９に示す変動パターンテーブルのうち非時短状態かつ外れかつ保留球数「３，４」に該当する部分）を参照して、変動パターン乱数カウンタ値（ラベル−ＴＲＮＤ−Ｔ１）に基づいて変動パターンを選択する（S1407）。本実施例では、変動パターンＰ８乃至Ｐ１１の何れかが選択される。また、第１保留数外れ用テーブルは、第２保留数外れ用テーブルよりも、比較的長時間の変動時間の変動パターンを選択する可能性が高く設定されている。また、選択可能な最も短時間の変動時間（１２０００ｍｓ）も、第２保留数外れ用テーブルのもの（４０００ｍｓ）よりも長い時間とされている。
【０１２９】
また、S1401で、時短状態であると判定した場合（S1401でYES）、大当りフラグがＯＮであるか否かを判定する（S1408）。S1408で、大当りフラグがＯＮであると判定した場合（S1408でYES）、時短状態大当り用テーブル（図９に示す変動パターンテーブルのうち時短状態かつ大当りに該当する部分）を参照して、変動パターン乱数カウンタ値（ラベル−ＴＲＮＤ−Ｔ１）に基づいて変動パターンを選択する（S1409）。本実施例では、変動パターンＰ１２乃至Ｐ１４の何れかが選択される。
【０１３０】
一方、S1408で、大当りフラグがＯＮでないと判定した場合（S1408でNO）、次いで保留数が「１」であるか否かを判定する（S1410）。ここでいう保留数も前述と同様であり、保留数は「１」〜「４」の何れかの値とされている。S1410で、保留数が「１」であると判定した場合（S1410でYES）、第３保留数外れ用テーブル（図９に示す変動パターンテーブルのうち時短状態かつ外れかつ保留球数「１」に該当する部分）を参照して、変動パターン乱数カウンタ値（ラベル−ＴＲＮＤ−Ｔ１）に基づいて変動パターンを選択する（S1411）。本実施例では、変動パターンＰ１５乃至Ｐ１８の何れかが選択される。また、S1410で、保留数が「１」でない、すなわち、保留数が「２」〜「４」の何れかであると判定した場合（S1410でNO）、第４保留数外れ用テーブル（図９に示す変動パターンテーブルのうち時短状態かつ外れかつ保留球数「２〜４」に該当する部分）を参照して、変動パターン乱数カウンタ値（ラベル−ＴＲＮＤ−Ｔ１）に基づいて変動パターンを選択する（S1411）。本実施例では、変動パターンＰ１９乃至Ｐ２２の何れかが選択される。ここで、時短状態でかつ外れの場合に選択される変動パターンは、非時短状態でかつ外れの場合に選択される変動パターンと比較して、短い変動パターンが選択される可能性が高くされている。これは、時短状態において変動時間の短い変動パターンがより多く選択されようにすることで、特図保留の消化スピードを早める（時短中の遊技を迅速に進行させる）ためである。
【０１３１】
前述のようにして変動パターンの選択を行った後は、図２４に示すその他の処理を行い（S1404）、処理を終える。その他の処理（S1404）では、選択した変動パターンに応じた変動パターン指定コマンドをＲＡＭの出力バッファにセットする等の処理を行う。また、この処理でセットされた変動パターン指定コマンドは、後述の変動開始コマンドに含められて、出力処理（S201）によりサブ制御部９０に送信される。
【０１３２】
［特図２乱数シフト処理］
図２６に示すように、特図２乱数シフト処理（S1204）では、まず、特図２保留球数を１ディクリメントする（S1501）。次いで、第２特図保留記憶部８５ｂにおける各種カウンタ値の格納場所を、１つ下位側（例えば第２特図保留記憶部８５ｂがアドレス「００００」〜「０００３」に対応するアドレス空間からなる場合、アドレス「００００」側）にシフトする（S1502）。そして、第２特図保留記憶部８５ｂの最上位のアドレス空間に「０」をセットして、即ち、（上限数まで記憶されていた場合）第２特図保留の４個目に対応するＲＡＭ領域を０クリアして（S1503）、この処理を終える。
【０１３３】
特図２乱数シフト処理（S1204）を実行した後は、図２２に示す特図２変動開始処理（S1205）を実行する。特図２変動開始処理（S1205）では、特図動作ステータスを「２」にセットすると共に、変動開始コマンドをＲＡＭの出力バッファにセットして、第２特別図柄の変動表示を開始する。
【０１３４】
図２２の特別図柄待機処理（S1102）において、特図２保留球数が「０」であり、かつ、特図１保留球数が「０」でない場合（S1201でYES、S1206でNO）には、特図１当否判定処理（S1207）、特図１変動パターン選択処理（S1208）、特図１乱数シフト処理（S1209）、特図１変動開始処理（S1210）をこの順に行う。
【０１３５】
［特図１当否判定処理］
図２７に示すように、特図１当否判定処理（S1207）では、図２３に示した特図２当否判定処理（S1202）と同様の流れで処理（S1601〜S1609）を行う。従って、本処理の詳細な説明は省略する。但し、本処理は特図１に関する処理であるので、S1601では、ＲＡＭの第１特図保留記憶部８５ａの最下位の領域（即ち第１特図保留の１個目に対応するＲＡＭ領域）に記憶されている特別図柄当否判定用乱数カウンタ値（ラベル−ＴＲＮＤ−Ａ）を読み出して処理を行う。
【０１３６】
［特図１変動パターン選択処理］
図２８及び図２９に示すように、特図１変動パターン選択処理（S1208）では、図２４及び図２５に示した特図２変動パターン選択処理（S1403）と同様の流れで処理（S1701〜S1712）を行う。従って本処理の詳細な説明は省略する。
【０１３７】
［特図１乱数シフト処理］
図３０に示すように、特図１乱数シフト処理（S1209）では、まず、特図１保留球数を１ディクリメントする（S1801）。次いで、第１特図保留記憶部における各種カウンタ値の格納場所を、１つ下位側にシフトする（S2002）。そして、第１特図保留記憶部の最上位のアドレス空間に「０」をセットして、即ち、（上限数まで記憶されていた場合）第１特図保留の４個目に対応するＲＡＭ領域を０クリアして（S1803）、この処理を終える。
【０１３８】
特図１乱数シフト処理（S1209）を実行した後は、図２２に示す特図１変動開始処理（S1210）を実行する。特図１変動開始処理（S1210）では、特図動作ステータスを「２」にセットすると共に、変動開始コマンドをＲＡＭの出力バッファにセットして、第１特別図柄の変動表示を開始する。
【０１３９】
［特別図柄変動中処理］
図３１に示すように、特別図柄変動中処理（S1104）では、まず、特別図柄の変動時間、すなわち、前述のS1203又はS1208で選択された変動パターンに応じて決まる変動時間（図９を参照）が経過したか否かを判定する（S1901）。変動時間が経過していないと判定した場合（S1901でNO）、処理を終える。これにより特別図柄の変動表示が継続される。
【０１４０】
一方、変動時間が経過したと判定した場合（S1901でYES）、変動停止コマンドをセットする（S1902）。そして、確変フラグがＯＮであるか否か判定し（S1903）、ＯＮであれば（S1903でYES）、確変カウンタを１減算し（S1904）、確変カウンタの値が「０」であるか否かを判定する（S1905）。S1905で確変カウンタが「０」であると判定した場合、確変フラグをＯＦＦし、S1907の処理に移行する。一方、確変フラグがＯＮでないと判定した場合と（S1903でNO）、確変カウンタが「０」でないと判定した場合には（S1905でNO）、S1907の処理に移行する。
【０１４１】
そしてS1907では、時短フラグがＯＮであるか否かを判定し（S1907）、時短フラグがＯＮであると判定した場合（S1907でYES）、時短状態中に実行した特別図柄の変動表示回数をカウントする時短カウンタの値を１減算し（S1908）、時短カウンタの値が「０」か否かを判定し（S1909）、「０」であれば（S1909でYES）、時短フラグをＯＦＦにし（S1910）、S1911の処理に進む。また、時短フラグがＯＮでないと判定した場合と（S1907でNO）時短カウンタの値が「０」でないと判定した場合には（S1909でNO）、S1911の処理に移行する。
【０１４２】
S1911では、特図動作ステータスを「３」にセットする（S1911）。そして、特別図柄の変動表示を、特別図柄当否判定乱数及び大当り種別決定用乱数の判定結果に応じた結果で停止させる等のその他の処理を行い（S1912）、この処理を終える。
【０１４３】
［特別図柄確定処理］
図３２に示すように、特別図柄確定処理（S1106）では、まず、大当りフラグがＯＮであるか否かを判定する（S2001）。大当りフラグがＯＮであれば（S2001でYES）、次いで確定した大当りの種別が１６Ｒ大当りであるか否かを判定し、１６Ｒ大当りであると判定した場合（S2002でYES）、大当り遊技中に実行するラウンドの回数をカウントするラウンドカウンタの値に「１６」をセットし（S2003）、S2009の処理に移行する。一方、S2002で、大当りの種別が１６Ｒ大当りでないと判定した場合（S2002でNO）、確定した大当りの種別が１２Ｒ大当りであるか否かを判定し（S2004）、１２Ｒ大当りであると判定した場合（S2004でYES）、ラウンドカウンタの値に「１２」をセットし（S2005）、S2009の処理に移行する。一方、S2004で、大当り種別が１２Ｒ大当りでないと判定した場合（S2004でNO）、確定した大当りの種別が６Ｒ大当りであるか否かを判定し（S2006）、６Ｒ大当りであると判定した場合（S2006でYES）、ラウンドカウンタの値に「６」をセットし（S2007）、S2009の処理に移行する。一方、S2006で、大当りの種別が６Ｒ大当りでないと判定した場合（S2006でNO）、確定した大当りの種別は２Ｒ大当りであるため、ラウンドカウンタの値に「２」をセットし（S2008）、S2009の処理に移行する。
【０１４４】
S2009では、確定した大当りの種別（種類）に応じた大入賞口開放パターンをセットし（S2009）、S2010の処理に移行する。ここで、前述したように、大入賞口の開放パターンは、大当りの種別に応じて定められているので、今回確定した大当りに対応する大入賞口開放パターンをセットする（図６を参照）。そして、夫々の大当り遊技において、S2009でセットした大入賞口開放パターンに基づく大入賞口３０の開放動作が実行される。
【０１４５】
S2010では、大当り遊技を開始するべく、大当りのオープニングコマンドをセットする（S2010）。本実施例では、オープニングコマンドとして、１６Ｒ第１大当りに対応する第１オープニングコマンド、６Ｒ第２〜第５大当りに対応する第２オープニングコマンド、１６Ｒ第６大当りに対応する第３オープニングコマンド、ＲＵＢ（１６Ｒ第７大当り、１２Ｒ第８大当り、６Ｒ第９大当り）に対応する第４オープニングコマンド、２Ｒ大当り（２Ｒ第１０大当り、２Ｒ第１２大当り）に対応する第５オープニングコマンドおよび１６Ｒ第１１大当りに対応する第６オープニングコマンドの計６種類が設けられている。S2010では、今回確定した大当り（開始する大当り）の種別に応じたオープニングコマンドがセットされる。そして、主制御部８０（遊技制御用マイコン８１）は、セットしたオープニングコマンドを、出力処理（S201）により、所定のタイミングでサブ制御部９０に対して送信し、当該オープニングコマンドを受信したサブ制御部９０は、当該オープニングコマンドに基づいて所定の遊技演出の実行処理を行う。
【０１４６】
オープニングコマンドをセットしたら、大当り遊技のオープニング期間を開始し（S2011）、特図動作ステータスを「４」にセットする（S2012）。また、S2001において大当りフラグがＯＮでないと判定した場合（S2001でNO）、特図動作ステータスを「１」にセットし（S2013）、処理を終える。尚、オープニング期間は、大当り遊技における大入賞口の最初の開放動作を開始する前であって、特別図柄（演出図柄）の変動表示を実行不能とした後に設定される期間であり、「開始期間」ともいう。また、この「開始期間」において実行する演出を「開始演出（オープニング演出）」ともいう。本実施例では、確定した大当りの種別と、その大当りが確定したとき（つまり、大当り図柄が停止表示されたとき）の遊技状態とによって、オープニング期間（オープニング時間）が決まるものとなっており、前述のオープニングコマンドによってオープニング期間が特定可能となっている。よって、オープニングコマンドを受信したサブ制御部９０は、当該オープニングコマンドにより特定される大当り種別およびオープニング期間に基づいて、オープニング演出を行うことが可能となっている。
【０１４７】
［特別電動役物処理（大当り遊技）］
図３３に示すように、特別電動役物処理（S1107）ではまず、確変フラグがＯＮであるか否かを判定し（S2101）、確変フラグがＯＮであると判定した場合（S2101でYES）、確変フラグをＯＦＦにし（S2102）、次いで、時短フラグがＯＮであるか否かを判定する（S2103）。S2103で、時短フラグがＯＮであると判定した場合（S2103でYES）、時短フラグをＯＦＦにし（S2104）、S2105の処理に移行する。尚、S2101で確変フラグがＯＮでないと判定した場合（S2101でNO）、S2102の処理を行うことなくS2103の処理に移行し、S2103で時短フラグがＯＮでないと判定した場合（S2103でNO）、S2104の処理を行うことなくS2105の処理に移行する。つまり、大当り遊技の実行中は、低確率状態かつ非時短状態に制御される。本実施例では、非時短状態中は常に低ベース状態であるので、大当り遊技の実行中は低ベース状態に制御されることにもなる。
【０１４８】
次に、大当り終了フラグがＯＮであるか否かを判定する（S2105）。大当り終了フラグは、大当り遊技において大入賞装置３１の動作処理（大入賞口３０の開放処理）が全て終了（大当り遊技が終了）したことを示すフラグである。大当り終了フラグがＯＮでなければ（S2105でNO）、次いでラウンドの開始時期であるか否かを判定する（S2106）。これは、前述した大当り種別毎に設定した大入賞口開放パターンに基づいて判定する。例えば、１ラウンド目の開始前であれば、オープニング期間が終了して１ラウンド目の最初の開放処理を実行するタイミングであるか否かによって判定する。また、既に１ラウンド目を開始した後であれば、前のラウンドが終了し、かつ、所定のインターバル期間が終了している否かによって判定する。
【０１４９】
S2106で、ラウンド開始時期であると判定した場合（S2106でYES）、対応するラウンドのラウンド開始コマンドをセットし（S2107）、大入賞口開放処理を行う（S2108）。これにより、大入賞口（大入賞口３０又は第２大入賞口３５）が開放状態となり所定のラウンドが開始することとなる。尚、S2107では、１ラウンド目の開始であれば「１Ｒ開始コマンド」、２ラウンド目の開始であれば「２Ｒ開始コマンド」のように、開始するラウンドを特定可能なラウンド開始コマンドがセットされる。セットされたラウンド開始コマンドは、S201の出力処理により、サブ制御部９０に送信される。S2108の大入賞口開放処理では、実行される大当りの種別に応じて定められた大入賞口開放パターン、すなわち、前述のS2009でセットした大入賞口開放パターンに基づいて大入賞口３０を開放させるべく、開閉部材３２を動作（開動作）させる。
【０１５０】
一方、S2106で、ラウンド開始時期でないと判定した場合（S2106でNO）、S2112の処理に移行する。ここで、ラウンド開始時期でないと判定する場合として、例えば、１ラウンド開始前のオープニング期間中やラウンド遊技中、ラウンド遊技終了後のインターバル期間中（大入賞口閉鎖処理中）等を挙げることができる。
【０１５１】
S2112では、大入賞口開放動作の実行中であるか否か、すなわち、S2108の処理によって開放された大入賞口が未だ開放中（ラウンド遊技中）であるか否かを判定する（S2112）。その結果、大入賞口開放動作の実行中（ラウンド遊技中）でないと判定した場合（S2112でNO）、S2116の処理に移行し、大入賞口開放動作の実行中（ラウンド遊技中）であると判定した場合（S2112でYES）、実行中のラウンド遊技の終了条件（ラウンド終了条件）が成立したか否かを判定する（S2113）。
【０１５２】
ここで、本実施例のラウンド終了条件として、（１）実行中のラウンド遊技において定められた大入賞口の開放時間（例えば、２５ｓ）、つまりラウンド遊技の実行時間が経過したこと、（２）実行中のラウンド遊技において大入賞口に予め定められた規定数（例えば、１０球）の遊技球が入球したこと、の２つの条件が定められている。そして、何れか一方の条件が成立すると、当該先に成立した条件に基づいてラウンド終了条件が成立したこととなる。S2113で、ラウンド終了条件が成立していないと判定した場合（S2113でNO）、処理を終える。
【０１５３】
一方、S2113で、ラウンド終了条件が成立したと判定した場合（S2113でYES）、対応するラウンドのラウンド終了コマンドをセットし（S2114）、S2115の処理に移行する。S2114では、１ラウンド目の終了であれば「１Ｒ終了コマンド」、２ラウンド目の終了であれば「２Ｒ終了コマンド」のように、終了するラウンドを特定可能なラウンド終了コマンドがセットされる。セットされたラウンド終了コマンドは、S201の出力処理により、サブ制御部９０に送信される。
【０１５４】
S2115では、大入賞口閉鎖処理を行い（S2115）、大入賞口３０の開閉部材３２を動作（閉動作）させて、大入賞口３０を閉鎖状態とする。また、大入賞口閉鎖処理では、大入賞口３０を閉鎖状態に保つ閉鎖時間、すなわちインターバル時間をセットする。次いで、S2116でインターバル時間が経過したか否かを判定し（S2116）、経過していない（インターバル期間中である）と判定した場合（S2116でNO）、処理を終える。一方、S2116でインターバル時間が経過したと判定した場合（S2116でYES）、ラウンドカウンタの値を１ディクリメントし（S2117）、ラウンドカウンタの値が「０」であるか否かを判定する（S2118）。S2118で、ラウンドカウンタの値が「０」でないと判定した場合（S2118でNO）、処理を終える。一方、ラウンドカウンタの値が「０」であると判定した場合（S2118でYES）、大当り遊技を終了させる大当り終了処理として、大当りのエンディングコマンドをセットすると共に（S2119）、大当りのエンディング期間を開始し（S2120）、大当り終了フラグをＯＮにし（S2121）、処理を終える。尚、ラウンドカウンタの値は、実行する大当り遊技における全てのラウンド遊技を終了すると「０」になる。
【０１５５】
S2119では、予め定められた複数のエンディングコマンドの中から、今回の大当り発生時の遊技状態や今回の大当りの種別、大当り遊技後の遊技状態等に応じたエンディングコマンドが選択され、当該選択されたコマンドがセットされる。こうしてセットされるエンディングコマンドの種類によって、実行される（設定される）エンディング期間（エンディング時間）が決まるものとなっている。エンディング期間は、大当り遊技における大入賞口３０の全ての開放動作を終了した後であって、特別図柄（演出図柄）の変動表示を実行可能とする前に設定される期間であり、「終了期間」ともいう。エンディング期間（終了期間）では、大入賞口３０および第２大入賞口３５は閉鎖状態とされている。この「終了期間」に実行する演出を「終了演出（エンディング演出）」ともいう。
【０１５６】
そして、主制御部８０（遊技制御用マイコン８１）は、S2119でセットしたエンディングコマンドを、出力処理（S201）により、所定のタイミングでサブ制御部９０に対して送信し、当該エンディングコマンドを受信したサブ制御部９０は、当該エンディングコマンドに基づいて所定のエンディング演出の実行処理を行う。
【０１５７】
また、S2105において、大当り終了フラグがＯＮであると判定した場合（S2105でYES）、大当り遊技における最終ラウンドが終了しているので、大当りのエンディング時間が経過したか否か、すなわち、前述のS2120の処理で開始したエンディング期間の終了タイミングか否かを判定し（S2122）、エンディング時間が経過していないと判定した場合（S2122でNO）、処理を終える。一方、エンディング時間が経過したと判定した場合（S2122でYES）、大当り終了フラグをＯＦＦにし（S2123）、後述する遊技状態設定処理（S2124）を行う。次いで、大当りフラグをＯＦＦにし（S2125）、特図動作ステータスを「１」にセットし（S2126）、処理を終える。これにより、次回の割り込み処理において、特図動作処理（図２１）として再び特別図柄待機処理（S1102）が実行されることになる。尚、以上の特別電動役物処理（S1108）を実行する遊技制御用マイコン８１は、「特別遊技実行手段」として機能するものといえる。
【０１５８】
［遊技状態設定処理］
図３４に示すように、遊技状態設定処理（S2124）ではまず、今回終了した大当り遊技が確変大当りに係るものであるか否かを判定する（S2201）。本実施例では、前述したように、１６Ｒ第１大当り、６Ｒ第２大当り、１６Ｒ第６大当り、１６Ｒ第７大当り、１２Ｒ第８大当り、６Ｒ第９大当りおよび２Ｒ第１０大当りの７種類を確変大当りとしていることから、S2201では、それら７種類のうちの何れかに該当するか否かを判定する。そして、今回終了したのが確変大当りであると判定した場合（S2201でYES）、確変フラグをＯＮにするとともに（S2202）、確変カウンタに「１０，０００」をセットし（S2203）、さらに時短フラグをＯＮにするとともに（S2204）、時短カウンタに「１０，０００」をセットして（S2205）、処理を終える。
【０１５９】
ここで、確変カウンタにセットする値は、高確率における特別図柄当否判定を実行可能な回数である。本実施例においてセットする「１０，０００」という値（１０，０００回）は、高確率状態における大当り確率や遊技店の１日の営業時間、当該営業時間内に実行可能な特図当否判定の回数等を考慮すると、実質的には次回の大当りが発生するまで又は営業時間が終了するまで、高確率状態を保証しているのと同じことである。従って、遊技状態が高確率状態に設定された場合には、次回の大当りが発生するまで高確率状態が保証されるといってもよい（実質的に同義である）。また、確変フラグがＯＮの場合には、時短カウンタにも同様に「１０，０００」がセットされるため、この高確率状態が設定されている間、時短状態（開放延長状態）も共に設定されるといってよい。尚、本実施例の様に、確変カウンタおよび時短カウンタに「１０，０００」の値を設定して、実質的に次回大当りまで高確高ベース状態を設定するようにしてもよいし、確変フラグおよび時短フラグがＯＮの場合には、カウンタに値をセットすることなく、次回大当りが発生するまで高確高ベース状態を設定する様な制御を採用してもよい。
【０１６０】
一方、S2201で、確変大当りでないと判定した場合（S2201でNO）、すなわち、今回終了したのが非確変大当り（通常大当り）に係る大当り遊技である場合、確変フラグをＯＮにすることなく、時短フラグをＯＮにするとともに（S2206）、時短カウンタに「１００」をセットして（S2207）、処理を終える。本実施例では、前述したように、６Ｒ第３〜第５大当り、１６Ｒ第１１大当りおよび２Ｒ第１２大当りの５種類を非確変大当り（通常大当り）としているので、これら５種類のうちの何れかに係る大当り遊技が終了すると、遊技状態が、低確率状態かつ時短状態かつ高ベース状態（すなわち低確高ベース状態）となる。この低確高ベース状態は、特別図柄の変動表示が１００回行われること（特別図柄当否判定が１００回行われること）、及び次の大当りが発生すること、の何れかの条件の成立により終了する。尚、時短カウンタおよび確変カウンタは、第１特別図柄の変動表示回数と第２特別図柄の変動表示回数とを合算した回数を計数するものである。
【０１６１】
［保留球数処理］
図１１に示すように遊技制御用マイコン８１は、特図動作処理（S207）に次いで、保留球数処理（S208）を行う。図３５に示すように、保留球数処理（S208）では、まず、主制御基板８０のＲＡＭに記憶されている特図１保留球数、特図２保留球数および普通図柄保留球数を読み出す（S2501）。次いで、その保留球数のデータ（その保留球数情報をサブ制御基板９０等に送信するための保留球数コマンド）を、ＲＡＭの出力バッファにセットする（S2502）。この保留球数に係るデータ（保留球数コマンド）は、次回の割り込み処理（S105）での出力処理（S201）によって出力され、割り込み処理毎に、保留球数に係るデータ（保留球数コマンド）の出力バッファへのセット（S2502）と、出力処理（S201）とが順次行われる。当該保留球数コマンドを受信したサブ制御部９０は、受信した保留球数コマンドに基づいて特図保留球数に増減が生じたと判断した場合、これに応じて、画像表示装置７の表示画面７ａにおける演出保留表示領域（第１演出保留表示領域９ｃ、第２演出保留表示領域９ｄ）の表示内容を更新する。具体的には、例えば、特図１保留球数が「３」から「４」に１増加した場合、その増加した分の特図１保留球数「４」に対応する第１演出保留９ａを第１演出保留表示領域９ｃに追加表示する。また、特図１保留球数が「２」から「１」に１減少した場合（つまり、第１特図保留が消化された場合）、第１演出保留表示領域９ｃの左端（特図１保留球数「１」に対応する箇所、図３を参照）に表示されている第１演出保留９ａを変動保留表示領域９ｅ（図３を参照）に移動するとともに、これに伴って第１演出保留表示領域９ｃに表示されている第１演出保留９ａを左側に１つ移動（シフト）する。
【０１６２】
尚、特図保留球数が加算された際の特図保留球数のデータ、すなわち始動入球（始動入賞）の発生に伴う特図保留球数のデータについては、前述の始動入球コマンドに含めるか、加算後（始動入球後）の特図保留球数を示す保留球数コマンドを始動入球コマンドとともに出力バッファにセットするものとしてもよい。また、特図保留球数が減算された際の保留球数のデータ、すなわち特別図柄の変動開始（特図保留の消化）に伴う特図保留球数のデータについては、前述の変動開始コマンドに含めるか、減算後（特図保留消化後）の特図保留球数を示す保留球数コマンドを変動開始コマンドとともに出力バッファにセットするものとしてもよい。
【０１６３】
［電源断監視処理］
図１１に示すように遊技制御用マイコン８１は、保留球数処理（S208）に次いで電源断監視処理（S209）を行う。図３６に示すように、電源断監視処理（S209）では、まず、電源断信号の入力の有無を判定し（S2601）、入力がなければ（S2601でNO）、処理を終了する。一方、電源断信号の入力があれば（S2601でYES）、現在の遊技機の状態（確変か否か、当り遊技中か否か、保留球数はいくつか、確変・時短の残り変動回数はいくつか等）に関するデータをＲＡＭに記憶するとともに（S2602）、電源断フラグをＯＮにし（S2603）、その後は割り込み処理（図１１）に戻ることなくループ処理をする。
【０１６４】
［サブ制御メイン処理］
次に、図３７〜図４６に基づいて、演出制御用マイコン９１の動作（サブ制御部９０による制御処理）について説明する。尚、演出制御用マイコン９１の動作説明にて登場するカウンタ、フラグ、ステータス、バッファ、タイマ等は、サブ制御基板９０（サブ制御部）のＲＡＭに設けられている。サブ制御基板９０に備えられた演出制御用マイコン９１は、パチンコ遊技機１の電源がオンされると、サブ制御基板９０のＲＯＭから図３７に示すサブ制御メイン処理のプログラムを読み出して実行する。同図に示すように、サブ制御メイン処理では、まず、ＣＰＵ初期化処理を行う（S4001）。ＣＰＵ初期化処理（S4001）では、スタックの設定、定数設定、ＣＰＵ９２の設定、ＳＩＯ、ＰＩＯ、ＣＴＣ（割り込み時間用コントローラ）等の設定や各種のフラグ、ステータス及びカウンタのリセット等を行う。
【０１６５】
続いて、S4002で、電源断信号がＯＮでかつサブ制御基板９０のＲＡＭの内容が正常であるか否かを判定する（S4002）。そして、この判定結果がＮＯであれば（S4002でNO）、サブ制御基板９０のＲＡＭの初期化をし（S4003）、S4004に進む。一方、判定結果がＹＥＳであれば（S4002でYES）、サブ制御基板９０のＲＡＭを初期化することなくS4004に進む。すなわち、電源断信号がＯＮでない場合、又は電源断信号がＯＮであってもＲＡＭの内容が正常でない場合には（S4002でNO）、サブ制御基板９０のＲＡＭを初期化するが、停電などで電源断信号がＯＮとなったがＲＡＭの内容が正常に保たれている場合には（S4002でYES）、ＲＡＭを初期化しない。ＲＡＭを初期化すれば、各種のフラグ、ステータス及びカウンタの値はリセットされる。尚、このS4001〜S4003は、電源投入後に（電源投入に際して）一度だけ実行され、それ以降は実行されない。また、本実施例では、演出制御用マイコン９１においても、図１１に示す遊技制御用マイコン８１による電源断監視処理（S209）と同様の処理を行うこととしており、停電などで電源断信号がＯＮになると、そのときの演出制御に係るデータがサブ制御基板９０のＲＡＭに記憶されるものとなっている。つまり、停電などの電源断発生時における演出制御に係るデータがバックアップされるものとなっている。このため、停電等の電源断から復帰した後の電源投入時（電断復帰時）に、サブ制御基板９０のＲＡＭの初期化（S4003）が行われない限り、演出制御用マイコン９１による演出制御の状態は電源断発生前の状態に復帰する。
【０１６６】
S4004では、割り込みを禁止する。次いで、乱数シード更新処理を実行する（S4005）。乱数シード更新処理（S4005）では、種々の演出決定用乱数カウンタの値を更新する。更新された乱数カウンタ値は、サブ制御基板９０のＲＡＭの所定の更新値記憶領域（図示せず）に逐次記憶される。演出決定用乱数には、実行する演出図柄遊技演出の態様（変動演出パターン）を決定する変動演出決定用乱数や、予告演出を決定する予告演出決定用乱数、演出図柄を決定する演出図柄決定用乱数等がある。乱数の更新方法は、前述の主制御基板８０が行う乱数更新処理と同様の方法をとることができる。尚、乱数の更新に際して、乱数値を１ずつ加算するのではなく、２ずつ加算するなどしてもよい。演出決定用乱数は、予め定められたタイミングで取得される。このタイミングとしては、例えば主制御基板８０から始動入球があった旨を通知する制御信号（始動入球コマンド）が送信されてきたときや、主制御基板８０から変動開始を通知する制御信号（変動開始コマンド）が送信されてきたときや、後述の変動演出パターンを決定するときなどとすることができる。取得した演出決定用乱数の格納場所は、サブ制御基板９０のＲＡＭの所定の乱数カウンタ値記憶領域（図示せず）である。
【０１６７】
乱数シード更新処理（S4005）が終了すると、コマンド送信処理を実行する（S4006）。コマンド送信処理では、サブ制御基板９０のＲＡＭ内の出力バッファ（「サブ出力バッファ」ともいう）に格納されている各種のコマンド（制御信号）を、画像制御基板１００、音声制御基板１０６およびランプ制御基板１０７のうち、対応するコマンド送信先となる制御基板に送信する。コマンドを受信した各制御基板（各制御部）は、受信したコマンドに従い各種の演出装置（画像表示装置７、スピーカ６７、盤面ランプ５、枠ランプ６６及び可動装飾部材１４等）を用いて各種の演出（演出図柄遊技演出や、大当り遊技に係る特別遊技演出等）を実行する。演出制御用マイコン９１は続いて、割り込みを許可する（S4007）。以降、S4004〜S4007をループさせる。割り込み許可中においては、受信割り込み処理（S4008）、２ｍｓタイマ割り込み処理（S4009）、及び１０ｍｓタイマ割り込み処理（S4010）の実行が可能となる。これらの制御処理を実行することで、画像表示装置７の表示画面７ａ（演出図柄表示領域７ｂ）上で実行される演出図柄等の表示制御や、各種ランプの点灯制御や、可動装飾部材の動作制御や、スピーカからの音声出力制御等を行うことが可能となる。
【０１６８】
［受信割り込み処理］
受信割り込み処理（S4008）では、図３８に示すように、ストローブ信号（ＳＴＢ信号）がＯＮか否か、すなわち主制御基板８０から送られたストローブ信号が演出制御用マイコン９１の外部ＩＮＴ入力部に入力されたか否かを判定する（S4101）。そして、S4101で、ストローブ信号がＯＮでないと判定した場合（S4101でNO）、処理を終える。一方、S4101で、ストローブ信号がＯＮであると判定した場合（S4101でYES）、主制御基板８０から送信されてきた各種のコマンドをサブ制御基板９０のＲＡＭに格納し（S4102）、処理を終える。この受信割り込み処理（S4008）は、他の割り込み処理（S4009、S4010）に優先して実行される処理である。
【０１６９】
［２ｍｓタイマ割り込み処理］
２ｍｓタイマ割り込み処理（S4009）は、サブ制御基板９０に２ｍｓｅｃ周期の割り込みパルスが入力する度に実行する処理である。図３９に示すように、２ｍｓタイマ割り込み処理（S4009）では、まず、演出ボタン検知スイッチ６３ｃ、６３ｄからの検知信号に基づいてスイッチデータ（エッジデータ及びレベルデータ）を作成する入力処理を行う（S4201）。次いで、枠ランプ６６や盤面ランプ５等のランプを発光させるためのランプデータを出力するランプデータ出力処理（S4202）と、可動装飾部材１４（電気的駆動源）を駆動するための駆動データを出力する駆動データ出力処理（S4203）とを行う。尚、ランプデータおよび駆動データは、後述の１０ｍｓタイマ割り込み処理で作成される。そして、ウォッチドッグタイマのリセット処理を行うウォッチドッグタイマ処理を行う（S4204）。
【０１７０】
［１０ｍｓタイマ割り込み処理］
１０ｍｓタイマ割り込み処理（S4010）は、サブ制御基板９０に１０ｍｓｅｃ周期の割り込みパルスが入力する度に実行する処理である。図４０に示すように、１０ｍｓタイマ割り込み処理（S4010）では、まず、後述する受信コマンド解析処理（S4302）を行う。次いで、２ｍｓタイマ割り込み処理で作成したスイッチデータを１０ｍｓタイマ割り込み処理用のスイッチデータとしてサブ制御基板９０のＲＡＭに格納するスイッチ状態取得処理を行い（S4303）、当該スイッチ状態取得処理にて格納したスイッチデータに基づいて表示画面７ａの表示内容等を設定するスイッチ処理を行う（S4304）。その後、ランプデータ（盤面ランプ５や枠ランプ６６の点灯を制御するデータ）を作成したり、演出決定用乱数を更新したりするなどのその他の処理を実行する（S4305）。
【０１７１】
［受信コマンド解析処理］
図４１に示すように、受信コマンド解析処理（S4302）では、まず、主制御基板８０から始動入球コマンドを受信したか否かを判定し（S4390）、始動入球コマンドを受信していないと判定した場合（S4390でNO）、S4401の処理に移行し、始動入球コマンドを受信したと判定した場合（S4390でYES）、演出保留情報記憶処理（S4395）とチャンス目予告設定処理（S4400）を行って、S4401の処理に移行する。演出保留情報記憶処理（S4395）は、S4390で受信した始動入球コマンド（特図１始動入球コマンド又は特図２始動入球コマンド）に含まれる各種情報を、特別図柄の種類（第１特別図柄、第２特別図柄）及び始動入球コマンドの送受信時（コマンド生成時）の特図保留球数に応じて、シフトメモリ形式でサブ制御基板９０のＲＡＭの所定の演出保留情報記憶領域に記憶する。前述したように、主制御基板８０から送られてくる始動入球コマンド（特図１始動入球コマンド、特図２始動入球コマンド）には、始動入球に基づき事前判定が行われた場合の当該事前判定の結果に関する情報（保留先読み情報）、具体的には、特別図柄当否判定に係る当否情報や、大当り種別決定用乱数値を示す情報、変動パターン乱数値を示す情報等が含まれているので（図１３を参照）、これらの情報を演出保留情報として記憶する。例えば、受信した始動入球コマンドが特図１の保留球数「４」に対応する特図１始動入球コマンドである場合、その特図１始動入球コマンドに含まれる事前判定結果や当り種別等の情報を、特図１演出保留情報記憶領域のうち保留数４に対応する領域に、特図１演出保留情報として記憶する。こうして記憶される演出保留情報は、後述する変動演出や予告演出、演出モード等の各種演出の実行に用いられる。サブ制御基板９０における演出保留情報記憶領域の記憶内容（演出保留情報）は、前述の主制御基板（主制御部）８０における特図保留記憶部（第１特図保留記憶部、第２特図保留記憶部）の記憶内容（取得情報）と一致するものである。このことから、サブ制御基板９０の演出保留情報記憶領域も「取得情報記憶手段」といえる。尚、演出保留情報記憶処理（S4395）に続くチャンス目予告設定処理（S4400）については後述する。
【０１７２】
次に、S4401では、主制御基板８０から変動開始コマンドを受信したか否かを判定し（S4401）、変動開始コマンドを受信したと判定した場合（S4401でYES）、後述する変動演出開始処理（S4402）を行って、S4403の処理に移行し、変動開始コマンドを受信していないと判定した場合（S4401でNO）、変動演出開始処理を行うことなく、S4406の処理に移行する。S4403では、主制御基板８０から変動停止コマンドを受信したか否かを判定し（S4403）、変動停止コマンドを受信したと判定した場合（S4403でYES）、演出図柄８を停止表示して変動演出を終了させる変動演出終了処理を行う（S4404）。変動停止コマンドの受信に基づく演出図柄８の停止表示は、演出図柄８の停止図柄を確定的に停止表示するものである。停止表示する演出図柄８（「停止演出図柄」ともいう。）は、後述する停止演出図柄設定処理（S4506）により設定される。変動演出終了処理（S4404）では、演出図柄８を停止表示して変動演出を終了させるための変動演出終了コマンドをサブ出力バッファにセットする。セットした変動演出終了コマンドがコマンド送信処理（S4006）により画像制御基板１００に送信されると、画像制御用マイコン１０１は、画像表示装置７の表示画面７ａ上で変動表示していた演出図柄８を停止表示して、変動演出（演出図柄遊技演出）を終了させる。一方、S4403で、変動停止コマンドを受信していないと判定した場合（S4403でNO）、変動演出終了処理を行うことなく、S4405の処理に移行する。尚、変動演出とは、演出図柄８の変動表示やリーチ演出など、特別図柄の変動表示に合わせて行われる種々の演出を指す。
【０１７３】
続いて、S4405では、主制御基板８０から大当り遊技関連コマンドを受信したか否かを判定する（S4408）。ここで、大当り遊技関連コマンドとは、大当り遊技の実行にあたり主制御基板８０から送信されるコマンドのことであり、具体的には、大当り遊技の開始（大当りの発生）に際して送信されるオープニングコマンド（S2010を参照）、ラウンドの開始に際して送信されるラウンド開始コマンド（S2107を参照）、ラウンドの終了に際して送信されるラウンド終了コマンド（S2114を参照）、大当り遊技の終了に際して送信されるエンディングコマンド（S2119を参照）等が該当する。S4405では、これらの大当り遊技関連コマンドの何れかを受信したか否かを判定し、受信していなければ（S4405でNO）、S4407の処理に移行し、受信していれば（S4405でYES）、当該受信したコマンドの種類に応じた演出（大当り遊技関連演出）の実行に係る処理を行う（S4406）。例えば、受信したコマンドがオープニングコマンドであれば、当該コマンドに基づき特定される大当りの種別に応じたオープニング演出を指定するオープニング演出コマンドをサブ出力バッファにセットし、ラウンド開始コマンドであれば、当該コマンドに基づき特定されるラウンドに応じたラウンド演出を指定するラウンド演出コマンドをサブ出力バッファにセットし、エンディングコマンドであれば、当該コマンドに基づき特定される大当りの種別に応じたエンディング演出を指定するエンディング演出コマンドをサブ出力バッファにセットする。これらのセットした大当りに係る各種の演出コマンドがコマンド送信処理（S4006）により画像制御基板１００に送信されると、画像制御用マイコン１０１は、大当り遊技の進行状況に合わせて、オープニング演出やラウンド演出等の大当り遊技に関連する演出を画像表示装置７の表示画面７ａ上で実行する。
【０１７４】
最後にS4407の処理を行い、本処理を終える。S4407では、その他の処理として、前述した各種コマンドを除いた他の受信コマンド（例えば、普通図柄変動開始コマンドや普通図柄変動停止コマンド、保留球数コマンド等）に基づく処理を行う（S4407）。
【０１７５】
［チャンス目予告設定処理］
次に、受信コマンド解析処理（S4302）にて実行されるチャンス目予告設定処理（S4400）について説明する。ここで、チャンス目予告とは、一回または連続する複数回の演出図柄（特別図柄）の変動表示（図柄変動遊技）にて、演出図柄８をバラケ目（外れ態様）のうち特定のバラケ目（以下、「チャンス目」ともいう）で停止表示するものであって、当該停止表示態様（チャンス目）によって、特図保留の消化による大当り発生（つまり、大当り遊技の実行）に対する期待度（大当り期待度）を示唆する予告演出のことである。前述のように、本実施例では、演出図柄８を赤図柄（３，７）、緑図柄（１，５，９）および青図柄（２，４，６，８）の３つに分類することができるため、例えば「３３７」や「１５５」や「２４８」など、３つの演出図柄８Ｌ，８Ｃ，８Ｒがすべて同じ色となる外れ態様（非特定態様）をチャンス目としている。そして、本実施例では、赤図柄のチャンス目（「３３７」、「７３３」など）を大当り期待度が最も高いチャンス目としており、以下、緑図柄の外れ態様（「１５５」、「１５９」など）、青図柄の外れ態様（「２４６」、「４６８」など）の順で、大当り期待度が低くなるものとしている。このようなチャンス目（特定のバラケ目）のことを「特殊表示」や「予告表示」ともいい、あるいは「特殊表示態様」や「予告表示態様」ともいう。尚、チャンス目予告で停止表示するチャンス目は、原則、３つの演出図柄８Ｌ，８Ｃ，８Ｒのうち、少なくとも、左演出図柄８Ｌと右演出図柄８Ｒについては異なる数字の図柄となるように定めてある。
【０１７６】
本実施例では、記憶されている特図保留のうち、記憶順の最も新しい特図保留（最新の取得情報）がチャンス目予告の実行契機となり得るものとしている。つまり、新たに特図保留が記憶された場合、当該記憶された特図保留がチャンス目予告の実行契機となり得る。また、チャンス目予告は、同じ種類の特図保留単位（第１特図保留または第２特図保留）で行う。具体的には、例えば、保留球数「４」の第１特図保留を契機としてチャンス目予告を行う場合、保留球数「１」〜「３」の第１特図保留の消化に伴う変動演出でチャンス目を停止表示する。すなわち、遊技状態が低ベース状態にあるときには、第１始動口２０への入球に基づく第１特別図柄の変動表示が主として行われることから、低ベース状態でのチャンス目予告は、原則、第１特図保留に基づいて行う。一方、遊技状態が高ベース状態にあるときには、第２始動口２１への入球に基づく第２特別図柄の変動表示が主として行われることから、高ベース状態でのチャンス目予告は、原則、第２特図保留に基づいて行う。
【０１７７】
図４２に示すように、チャンス目予告設定処理（S4400）では、まず、予告カウンタの値が「０」であるか否かを判定する（S4451）。ここで、予告カウンタとは、チャンス目予告の実行回数を計数するカウンタ（計数手段）のことであり、予告カウンタの値が「０」以外（「１」以上）の場合、チャンス目予告が行われる状況（チャンス目予告実行期間）にあることを示す。よって、予告カウンタは、チャンス目予告の実行回数を計数する手段であるとともに、チャンス目予告の実行期間中であるか否かを示す手段であるともいえる。予告カウンタの値は、演出図柄８がチャンス目で停止表示して変動演出が終了する毎、すなわち、チャンス目予告実行期間中に特別図柄の変動停止コマンドを受信する毎に、１減算される。
【０１７８】
S4451にて予告カウンタの値が「０」でないと判定した場合（S4451でNO）、既にチャンス目予告の実行が決定されて、現在、チャンス目予告実行期間中にあるため、本処理（チャンス目予告設定処理）を終える。この場合、チャンス目予告を新たに行う（開始する）か否かの決定は行わないこととなる。一方、予告カウンタの値が「０」であると判定した場合（S4451でYES）、先のS4390で受信した始動入球コマンドが特図１始動入球コマンドであるか否かを判定し（S4452）、そうであれば（S4452でYES）、当該特図１始動入球コマンドに係る始動入球分を含めた最新の特図１保留球数が「２」以上であるか否かを判定し（S4453）、そうでなければ（S4452でNO）、すなわち、受信した始動入球コマンドが特図２始動入球コマンドであれば、当該特図２始動入球コマンドに係る始動入球分を含めた最新の特図２保留球数が「２」以上であるか否かを判定する（S4454）。そして、特図１または特図２の何れの場合においても、保留球数が「２」以上でない場合（S4453でNOまたはS4454でNO）、本処理を終え、「２」以上である場合（S4453でYESまたはS4454でYES）、チャンス目予告の実行判定を行う（S4455）。
【０１７９】
ここで、特図保留球数（特図１保留球数または特図２保留球数）が「２」以上でない場合、すなわち「１」以下である場合、チャンス目予告は行わないこととなる。これは、チャンス目予告が、先の特図保留の消化に伴う変動演出でチャンス目を停止表示することによって、後に行われる特図保留の消化（変動表示）についての大当り期待度を示唆するものであり、このためには、少なくとも「２」以上の特図保留が必要だからである。
【０１８０】
チャンス目予告の実行判定（S4455）は、予め定められた条件に基づいて行われる。本実施例では、前述したように、記憶順が最も新しい特図保留（最新の取得情報）を予告対象（チャンス目予告の実行契機）として、その最新の特図保留（以下「対象保留」ともいう。）についての大当り期待度を、それより前に記憶されている特図保留の消化に伴う変動演出で停止表示されるチャンス目（特殊表示）によって示唆することが可能となっている。このことから、本実施例では、チャンス目予告を実行するための条件として、対象保留よりも前に記憶されている特図保留が、すべて特別図柄当否判定の結果が外れとなる保留（外れ保留）であることを定めている。また、対象保留よりも前に記憶されている特図保留がすべて外れ保留ある場合、その外れ保留に対応する変動パターンが、すべて変動時間１２０００ｍｓ以下の変動パターンとなること、すなわち、後述するリーチ無し変動演出が実行される変動パターン（「リーチ無し外れ変動パターン」ともいう。）となることを、チャンス目予告を実行するための条件として定めている。これは、例えば、チャンス目予告の実行契機となる対象保留が消化される前のチャンス目予告実行期間中に、リーチ演出を経てチャンス目が確定停止表示されるとすると、連続する複数回の変動表示の各々の結果として表示されるチャンス目の出現間隔（停止表示間隔）に長短が生じて、チャンス目予告の流れ（リズム）が悪くなってしまうからである。尚、保留に係る変動パターンの種別の判断は、始動入球時に取得した変動パターン乱数の値に基づいて行うことが可能である。
【０１８１】
さらに、本実施例では、チャンス目予告の実行抽選に当選することを、チャンス目予告を実行するための条件として定めている。具体的には、演出決定用乱数として、チャンス目予告実行決定用乱数を設けており、S4455にて当該乱数を取得して、その取得値を図示しない抽選テーブルに基づいて判定することで、チャンス目予告の実行抽選（乱数抽選）を行う。本実施例では、対象保留の事前判定結果（保留として記憶されている取得情報）に応じた複数の抽選テーブルを設けてあり、当該テーブルの種類（つまり、対象保留の事前判定結果）によって、チャンス目予告の実行抽選に当選する確率が異なるものとなっている。
【０１８２】
具体的に、例えば、対象保留が大当り保留である場合や、対象保留が外れ保留であって当該外れ保留を消化する際の特別図柄の変動パターン（特図変動パターン）が変動時間３００００ｍｓ以上のパターンとなり得る場合には（例えば、非時短中の特図変動パターン乱数値「０〜１９」、時短中の特図変動パターン乱数値「０〜９」。図９を参照。）、実行抽選の当選確率が相対的に高い抽選テーブルを用いることとして、チャンス目予告が出現し易くなるようにしてある。特に、変動時間が３００００ｍｓ以上の変動パターンは、後述するようにリーチ演出が行われるので、チャンス目予告を経てリーチ演出に繋がるといった流れの一連の演出を得ることが可能となり、これにより遊技興趣を高めることが可能となるからである。
【０１８３】
一方、対象保留が外れ保留であって当該外れ保留を消化する際の特図変動パターンが変動時間１２０００ｍｓ以下のパターンとなり得る場合には（例えば、非時短中の特図変動パターン乱数値「２０〜１９８」、時短中の特図変動パターン乱数値「１０〜１９８」。図９を参照。）、実行抽選の当選確率が相対的に低い抽選テーブルを用いることとして、チャンス目予告が出現し難くなるようにしてある。変動時間が１２０００ｍｓ以下の変動パターンは、リーチ無し外れ変動演出（リーチ無し演出図柄遊技演出）が行われるので、チャンス目予告が出現したにもかかわらず、対象保留の消化に伴う変動演出が単純に外れで終わってしまうといったケース（所謂「ガセ」のチャンス目予告）を極力減らすためである。これにより、興趣低下の抑制を図ることが可能となる。
【０１８４】
尚、対象保留が保留球数「４」に該当する場合、その前に保留球数「１」〜「３」の特図保留が存在することから、チャンス目予告を３回実行可能となるが、チャンス目予告が３回出現したにもかかわらず、対象保留の消化に伴う変動演出がリーチ無し外れとなった場合、遊技者の期待感を大きく損なうこととなる。よって、本実施例では、対象保留が、保留球数「４」の外れ保留であって、変動時間１２０００ｍｓ以下の変動パターンとなり得る場合には、チャンス目予告を実行しないものとする禁則を設けている。
【０１８５】
S4455では、上記したチャンス目予告の実行に係る条件（実行条件）に基づいて実行判定を行い、各条件をすべて満たした場合（対象保留前の特図保留がすべてリーチ無し外れ保留、実行抽選に当選、変動パターンに係る禁則非該当）、チャンス目予告の実行条件が成立したものとして（S4456でYES）、チャンス目予告の実行パターン（チャンス目予告パターン）を設定する（S4457）。一方、上記した条件のうち１つでも満たしていない場合、チャンス目予告の実行条件が成立しなかったものとして（S4456でNO）、本処理を終える。
【０１８６】
ここで、チャンス目予告の実行条件を満たしてチャンス目予告の実行契機となる保留（対象保留）に係る取得情報のことを「所定取得情報」ともいう。尚、上記したチャンス目予告の実行条件はあくまでも一例であり、上記した条件以外の条件を定めることは勿論可能であり、条件の数も任意である。
【０１８７】
チャンス目予告を行うことなった場合のS4457におけるチャンス目予告パターンの設定は、次のようにして行う。本実施例では、演出決定用乱数として、チャンス目予告パターン決定用乱数（乱数範囲０〜９９）を設けており、当該乱数の取得値と、図４７，４８に示すチャンス目予告決定テーブルとに基づいて、チャンス目予告の実行パターン（チャンス目予告パターン）を決定（選択）し、これを設定する。チャンス目予告決定テーブルには、チャンス目予告の実行契機となった対象保留が大当り保留である場合に対応する大当り保留用のテーブル（図４７を参照）と、対象保留が外れ保留である場合に対応する外れ保留用のテーブル（図４８を参照）とが存在する。また、大当り保留用と外れ保留用のテーブルは、それぞれ、チャンス目予告が実行可能な特図保留球数（「２」〜「４」）に応じて設けられている（図４７，４８を参照）。この特図保留球数は、チャンス目予告の実行契機となった対象保留の保留球数に対応している。したがって、チャンス目予告パターンを決定する際には、対象保留の「当り外れ」と「保留球数」に応じたチャンス目予告決定テーブルが用いられる。例えば、対象保留が大当り保留で、その保留球数が「４」の場合、図４７（ｃ）に示すチャンス目予告決定テーブルＣが用いられ、対象保留が外れ保留で、その保留球数が「２」の場合、図４８（ａ）に示すチャンス目予告決定テーブルＤが用いられる。この他の場合も同様にして、対応するチャンス目予告決定テーブルが用いられる。
【０１８８】
本実施例のチャンス目予告決定テーブルは、複数のチャンス目予告パターンの各々について、チャンス目予告パターン決定用乱数の値を割り当てたデータ構造となっている。具体的には、チャンス目予告パターン決定用乱数の乱数範囲「０〜９９」の範囲内で乱数値（判定用データ）を割り当てている。チャンス目予告パターンは、チャンス目の停止表示回数（つまり、チャンス目予告の実行回数）と、チャンス目で停止表示する演出図柄８Ｌ，８Ｃ，８Ｒの色（図柄色）を定めるものとなっている。前述したように、本実施例では、３つの演出図柄８Ｌ，８Ｃ，８Ｒがすべて同じ色となる外れ態様をチャンス目としているため、チャンス目予告パターンは図柄色を基準にしたものとなっている。
【０１８９】
例えば、チャンス目予告実行契機の対象保留が保留球数「２」である場合、チャンス目の停止表示回数は１回であることから、保留球数「２」に対応するチャンス目予告決定テーブルＡ，Ｄでは、その１回分のチャンス目停止表示に係る態様（チャンス目予告パターン）を複数定めている（図４７（ａ）、図４８（ａ）を参照）。具体的には、停止表示されるチャンス目が、赤図柄となるパターンＡ１と、緑図柄となるパターンＡ２と、青図柄となるパターンＡ３と、を定めている。よって、チャンス目予告実行契機の対象保留が保留球数「２」である場合、当該チャンス目予告決定テーブルＡまたはＤに基づいてパターンＡ１〜Ａ３の何れかが設定される。
【０１９０】
また、チャンス目予告実行契機の対象保留が保留球数「３」である場合、チャンス目の停止表示回数は２回であることから、保留球数「３」に対応するチャンス目予告決定テーブルＢ，Ｅでは、その２回分のチャンス目停止表示に係る態様（チャンス目予告パターン）を複数定めている（図４７（ｂ）、図４８（ｂ）を参照）。具体的には、停止表示されるチャンス目が、１回目と２回目の双方で赤図柄となるパターンＢ１と、１回目は緑図柄で２回目は赤図柄となるパターンＢ２など、パターンＢ１〜Ｂ５の５種類を定めている。よって、チャンス目予告実行契機の対象保留が保留球数「３」である場合、当該チャンス目予告決定テーブルＢまたはＥに基づいてパターンＢ１〜Ｂ５の何れかが設定される。
【０１９１】
また、チャンス目予告実行契機の対象保留が保留球数「４」である場合、チャンス目の停止表示回数は３回であることから、保留球数「４」に対応するチャンス目予告決定テーブルＣ，Ｆでは、その３回分のチャンス目停止表示に係る態様（チャンス目予告パターン）を複数定めている（図４７（ｃ）、図４８（ｃ）を参照）。具体的には、停止表示されるチャンス目が、１回目〜３回目のすべてで赤図柄となるパターンＣ１と、１回目は緑図柄で２回目と３回目は赤図柄となるパターンＣ２と、１回目は青図柄で２回目は緑図柄で３回目は赤図柄となるパターンＣ３など、パターンＣ１〜Ｃ６の６種類を定めている。よって、チャンス目予告実行契機の対象保留が保留球数「４」である場合、当該チャンス目予告決定テーブルＣまたはＦに基づいてパターンＣ１〜Ｃ６の何れかが設定される。
【０１９２】
ここで、本実施例では、前述したように、チャンス目が示す大当り期待度は、赤図柄が最も高く、以下、緑図柄、青図柄の順で低くなるものとしている。これに準じて、図４７，４８に示すチャンス目予告決定テーブルにおける乱数値の振り分け態様からも明らかな通り、チャンス目予告パターンの選択率は、対象保留が大当り保留の場合（図４７）、青図柄を含むチャンス目予告パターン、緑図柄を含むチャンス目予告パターン、赤図柄を含むチャンス目予告パターンの順で高くなり、対象保留が外れ保留の場合（図４８）、それとは逆に、赤図柄を含むチャンス目予告パターン、緑図柄を含むチャンス目予告パターン、青図柄を含むチャンス目予告パターンの順で高くなる。尚、チャンス目予告実行契機の対象保留が保留球数「４」である場合のパターンＣ１は、３回のチャンス目停止表示のすべてでチャンス目が赤図柄となるが、これについては、大当り期待度が極めて高いパターン（所謂「激熱」のパターン）とすべく、対象保留が大当り保留の場合であってもその選択率は低めに設定しており（本例では１０％）、外れ保留の場合には、その選択率は極めて低くしてある（１％）。
【０１９３】
S4457では、以上のように、チャンス目予告パターン決定用乱数とチャンス目予告決定テーブルとに基づいてチャンス目予告パターンを選択し、当該選択したチャンス目予告パターンを設定する。この後、対象保留より前に記憶されている特図保留の消化に伴う変動演出に係る停止演出図柄の設定に際し（後述のS4506）、S4457で設定したチャンス目予告パターンを参照し、当該チャンス目予告パターンに即した演出図柄８の停止図柄（つまり、チャンス目）を設定する。このことから、本実施例では、S4457でチャンス目予告パターンを設定した場合、このことを示す情報をフラグ等によって併せて記憶する。
【０１９４】
尚、本実施例では、前述したように、チャンス目予告を同じ種類の特図保留単位（第１特図保留または第２特図保留）で行うこととしているが、本パチンコ遊技機１は特図２優先変動機であるため、第１特図保留を契機とする複数回のチャンス目予告の実行期間中に第２特図保留が記憶された場合、当該第２特図保留の消化に伴う第２特別図柄の変動表示が、チャンス目予告を伴う第１特図保留の消化の合間に割り込んで行われることとなる。この場合、その第２特別図柄の変動表示が外れ変動であれば、これに対応する変動演出での演出図柄８の停止表示態様を、既に実行しているチャンス目予告の実行パターンに即した態様に合わせることとしている。これにより、稀ではあるが、例えば、低ベース状態での第１特図保留を契機とする複数回のチャンス目予告の実行期間中に遊技球が第２始動口２１に入球して第２特図保留が記憶されたとしても、チャンス目予告を問題なく行うことが可能となっている。
【０１９５】
次いで、S4458では、今回のチャンス目予告の実行回数（チャンス目停止表示回数）を予告カウンタにセットし（S4458）、処理を終える。具体的には、チャンス目予告実行契機の対象保留が保留球数「４」であれば「３」をセットし、保留球数「３」であれば「２」をセットし、保留球数「２」であれば「１」をセットする。
【０１９６】
［変動演出開始処理］
次に、受信コマンド解析処理（S4302）にて実行される変動演出開始処理（S4402）について説明する。図４３に示すように、変動演出開始処理（S4402）では、まず、変動演出決定用乱数や予告演出決定用乱数、演出図柄決定用乱数等の各種演出決定用乱数を取得する演出決定用乱数処理（S4501）を行う。本実施例では、主制御部８０から変動開始コマンドを受信したタイミングでS4501の処理を行い、夫々の乱数から所定の値（取得情報）を取得する。この取得した値（取得情報）に基づいて、実行する演出図柄遊技演出（変動演出）の態様や予告演出の態様、停止表示する演出図柄等を決定する。
【０１９７】
次いで、S4502では、受信した変動開始コマンドを解析する（S4502）。変動開始コマンドには、第１特別図柄または第２特別図柄の変動パターン選択処理で選択された変動パターンを指定する変動パターン指定コマンド（変動パターンを指定する情報）が含まれている。そして、変動パターンを指定する情報には、図９に示す変動パターン情報（Ｐ１乃至Ｐ２２）や、現在の遊技状態を指定する遊技状態情報や、第１特別図柄当否判定または第２特別図柄当否判定の判定結果や、大当り種別を指定する図柄情報等が含まれている（図８を参照）。また、変動パターン指定コマンドには、第１特別図柄に対応するものと第２特別図柄に対応するものとが存在することから、変動パターン指定コマンドを解析することで、今回開始する演出図柄遊技演出（演出図柄の変動表示）が特図１に係るものなのか特図２に係るものなのかを判別することが可能となる。尚、変動パターン情報や遊技状態情報や図柄情報等は、これ以降に実行する変動演出開始処理以外の他の処理においても利用可能である。
【０１９８】
次いで、S4503では、演出制御用マイコン９１が現在のモードステータスを参照する（S4503）。モードステータスは、実行する演出モードを決めるためのものである。モードステータスは「１」〜「５」までの何れかの値とされ、各値は演出モードＡ〜Ｅに対して割り当てられている。具体的には、モードステータス「１」が演出モードＡに対応し、モードステータス「２」が演出モードＢに対応し、モードステータス「３」が演出モードＣに対応し、モードステータス「４」が演出モードＤに対応し、モードステータス「５」が演出モードＥに対応する。現在のモードステータスを参照することで、現在の演出モードを特定することが可能である。
【０１９９】
ここで演出モードとは、画像表示装置７における演出の態様であり、演出モードが異なると、予告演出やリーチ演出等の遊技演出の演出態様の一部又は全部が異なるものとされる。具体的に、演出図柄８の表示態様（例えば、図柄デザイン、数字デザインなど）が異なったり、登場するキャラクタ、アイテム、背景画像が異なったりする等、画像表示装置７に表示される画像が演出モードによって異なるものとされる。また、演出図柄遊技演出も演出モードに応じた態様で実行されるものとすることができ、複数の遊技演出（予告演出やリーチ演出等）を設ける場合に、演出モードによって異なる遊技演出を実行可能とすることができる。本実施例では、演出モードＡは低確低ベース状態に制御されているときに実行され、演出モードＢは低確高ベース状態に制御されているときに実行され、演出モードＣは高確高ベース状態に制御されているときに実行され、演出モードＤ，Ｅは低確高ベース状態および高確高ベース状態の何れかに制御されているときに実行される。従って、演出モードがＡ〜Ｃの何れかである場合、遊技者は演出モードを確認することで、現在の遊技状態が低確低ベース状態であるのか高確高ベース状態（確変遊技状態）であるのかを把握することができる。一方、演出モードがＤまたはＥである場合、遊技者は演出モードを確認しても、現在の遊技状態が低確高ベース状態（時短状態）であるのか高確高ベース状態（確変遊技状態）であるのかを把握することは困難である。その意味において演出モードＤ，Ｅは、確率非報知モードといえる。尚、本実施例では、１６Ｒ第１大当り、１６Ｒ第６大当りおよびＲＵＢの何れかに係る大当り遊技の終了後は演出モードＣとなり、６Ｒ第２〜第５大当りの何れかに係る大当り遊技の終了後は演出モードＤとなり、１６Ｒ第１１大当りに係る大当り遊技の終了後は演出モードＢとなり、２Ｒ大当りに係る大当り遊技の終了後は演出モードＥとなる。
【０２００】
次いで、S4504では、画像表示装置７、盤面ランプ５、可動装飾部材１４等を用いて行う変動演出のパターン（変動演出パターン）を決めるための図示しない変動演出パターン決定テーブルをセットする（S4504）。具体的には、S4503で参照したモードステータス（現在の演出モード）と主制御部８０から受信した変動パターン指定コマンドに基づいて、使用する変動演出パターン決定テーブルをセットする。例えば、受信した変動パターン指定コマンドが指定する変動パターン情報が「Ｐ１（変動パターンＰ１）」（図９を参照）であった場合、変動演出パターン決定テーブルとして、現在の演出モードに対応した大当り時変動演出パターン決定テーブルがセットされる。変動演出パターン決定テーブルは、主に、演出図柄遊技演出の実行態様（演出図柄の変動態様等）を決定するためのもので、演出モード（モードステータス）に対応する複数の変動演出パターン決定テーブル（図示せず）がサブ制御基板９０のＲＯＭに予め格納されている。S4504では、それらの変動演出パターン決定テーブルの中から、S4503で参照したモードステータス（現在の演出モード）に対応するテーブルが選択されてセットされる。
【０２０１】
次いで、S4505では、S4501において取得した変動演出決定用乱数およびS4504においてセットした変動演出パターン決定テーブルに基づいて、指定された変動パターンに適合した変動演出パターンを選択し、これを設定する（S4505）。変動演出パターンとしては、演出図柄表示領域７ｂで表示される演出図柄８の変動態様（演出図柄遊技演出の実行態様）が設定される。これにより、演出図柄遊技演出（変動演出）において、リーチ演出を実行する場合（リーチ有り演出図柄遊技演出）や、特定のキャラクタを用いて行うキャラクタ演出を実行する場合（キャラクタ演出図柄遊技演出）、リーチ演出やキャラクタ演出を実行しない場合（リーチ無し演出図柄遊技演出）等が決定される。尚、リーチ演出とは、例えば、特別図柄当否判定の結果が大当りであることを示す場合の演出図柄８の表示態様として、３つの演出図柄８Ｌ，８Ｃ，８Ｒがすべて同一（ゾロ目）となる態様（大当り態様、特定態様）を設けている場合において、３つの演出図柄８Ｌ，８Ｃ，８Ｒのうちの２個の演出図柄８Ｌ，８Ｒが大当り態様（特定態様）を構成する図柄（「リーチ図柄」ともいう）で停止表示（仮停止）して、残り１個の演出図柄８Ｃが変動表示する演出のことをいう。このようなリーチ演出のことを「特定演出」ともいう。当該リーチ演出では、最後に停止する演出図柄（最終停止図柄、本例では中演出図柄８Ｃ。）が大当り態様を完成させる図柄となるか否かを示す演出が展開される。
【０２０２】
本実施例のパチンコ遊技機１には、演出図柄８の変動態様（変動演出パターン）として、リーチＡ、リーチＢ、リーチＣ、スーパーリーチ（「ＳＰリーチ」ともいう）Ａ、スーパーリーチＢ、スーパーリーチＣ、キャラクタ演出等が設定されており、S4505で、変動演出パターン決定テーブルに基づいて、これらのうち何れの演出を行うか、又はこれらの演出を行わない（これを「ノーマル変動」ともいう）かが決定される。そして、リーチ有り変動演出が実行される場合には、変動パターン指定コマンド及び変動演出パターン決定テーブルに基づいて、何れかのリーチ演出が設定される。ここで、ＳＰリーチＡはリーチＡの発展系であり、ＳＰリーチＢはリーチＢの発展系であり、ＳＰリーチＣはリーチＣの発展系である。そして、演出図柄遊技演出としてスーパーリーチ演出が実行される場合には、ノーマルリーチ演出が実行される場合と比較して、大当りとなる可能性が高くなるように設定されている。すなわち、スーパーリーチ演出はリーチ（ノーマルリーチ）演出と比較して大当り信頼度（大当りとなる可能性）の高い遊技演出であるといえる
【０２０３】
本実施例では、主として、変動時間が３００００ｍｓ以上の変動パターン（図９を参照）を指定する変動パターン指定コマンドを受信した場合に、リーチ演出が実行されるものとなっている。具体的に、変動時間が３００００ｍｓの変動パターンの場合には、リーチＡ〜Ｃのいずれか、すなわちノーマルリーチ演出が実行される。また、変動時間が４５０００ｍｓの変動パターンの場合には、ＳＰリーチＡ，Ｂの何れかが実行され、変動時間が７５０００ｍｓの変動パターンの場合には、ＳＰリーチＣが実行される。つまり、変動時間が４５０００ｍｓ又は７５０００ｍｓの変動パターンの場合には、スーパーリーチ演出が実行される。
【０２０４】
本実施例のスーパーリーチ演出（ＳＰリーチＡ〜Ｃ）は、リーチ成立後、３つの演出図柄８Ｌ，８Ｃ，８Ｒが外れ態様で一旦（一時的に）停止表示した後、中演出図柄８Ｃが変動表示を再開して、当該変動表示中に、再開前よりも大当り期待度の高まる発展演出を実行した上で、３つの演出図柄８Ｌ，８Ｃ，８Ｒを当否判定の結果に応じた態様で確定的に停止表示するものとなっている。一方、本実施例のノーマルリーチ演出（リーチＡ〜Ｃ）は、スーパーリーチ演出における変動表示の再開（再変動）や発展演出を行うことなく、３つの演出図柄８Ｌ，８Ｃ，８Ｒを確定的に停止表示するものとなっている。
【０２０５】
尚、３つの演出図柄８Ｌ，８Ｃ，８Ｒの全部または少なくとも一部を一時的に停止表示することを「仮停止表示」や単に「仮停止」ともいい、３つの演出図柄８Ｌ，８Ｃ，８Ｒの全部を確定的に停止表示することを「確定停止表示」や単に「確定停止」ともいう。また、仮停止表示（仮停止）とは、演出図柄８のスクロール表示は停止（終了）しているものの、図柄が完全に停止（所謂ビタ止まり）せず、僅かに動いた状態（微動状態）で表示される停止表示の態様をいう。このように僅に動かして表示することを「揺れ変動」ともいう。一方、確定停止表示（確定停止）とは、演出図柄８のスクロール表示が停止（終了）して、図柄が完全に停止（ビタ止まり）した状態で表示される停止表示の態様をいう。尚、仮停止による演出図柄８の停止表示態様（図柄組み合わせ）と、確定停止による演出図柄８の停止表示態様（図柄組み合わせ）は、何れも演出図柄８の変動表示の結果を一時的または確定的に示す「結果表示態様」といえる。
【０２０６】
また、本実施例のスーパーリーチ演出においては、３つの演出図柄８Ｌ，８Ｃ，８Ｒが仮停止するまでは、ノーマルリーチ演出と略同じ態様（演出パターン）で演出が進行するものとなっている。リーチ成立後にリーチの態様（演出展開）が早々に判明してしまうのを回避するためである。さらに、リーチＡ〜ＣおよびＳＰリーチＡ〜Ｃの各リーチ演出には、当否判定の結果が大当りの場合に対応するもの（大当りリーチ演出）と、外れの場合に対応するもの（外れリーチ演出）とが存在するものとなっている。すなわち、大当りリーチＡ〜Ｃ、外れリーチＡ〜Ｃ、大当りＳＰリーチＡ〜Ｃ、外れＳＰリーチＡ〜Ｃ、がそれぞれ設けられている。大当りリーチ演出と外れリーチ演出とでは、リーチ演出（変動演出）の結末が大当りになるのか外れになるのかで相違するものであり、その結末に至るまでの演出の過程は、基本的に略同様となっている。
【０２０７】
ここで、演出図柄８の変動態様（変動演出パターン）のうち、リーチやＳＰリーチに係る変動態様（リーチ変動演出パターン）、すなわち、リーチ演出（特定演出）を含む変動態様のことを「特定変動態様」ともいう。また、リーチ演出を含む変動態様（リーチ変動演出パターン）のうち、ＳＰリーチに係る変動態様、すなわち、スーパーリーチ演出の変動態様のことを「第１特定変動態様」ともいい、リーチに係る変動態様、すなわち、ノーマルリーチ演出の変動態様のことを「第２特定変動態様」ともいう。尚、「第１特定変動態様」には、大当りＳＰリーチに係る変動態様と外れＳＰリーチに係る変動態様が含まれ、「第２特定変動態様」には、大当りリーチに係る変動態様と外れリーチに係る変動態様が含まれる。また、少なくとも外れリーチに係る変動態様のことを指して「第２特定変動態様」ということもある。
【０２０８】
次いで、S4506では、S4505にて設定した変動演出パターンに基づく変動演出（今回の変動演出）にて停止表示する演出図柄８の設定に係る停止演出図柄設定処理を行う（S4056）。この停止演出図柄設定処理では、S4501において取得した演出図柄決定用乱数や停止演出図柄決定用のテーブル、S4505で設定した変動演出パターン、更には今回の変動演出がチャンス目予告の実行期間中のものであるか否か等に基づいて、停止演出図柄（結果表示態様）を決定し、これを設定する。尚、チャンス目予告実行期間中であるか否かの判定や、チャンス目予告実行期間中である場合のチャンス目停止表示回数が何回目であるのか等の判定は、予告カウンタやチャンス目予告パターンの設定情報（フラグ等）を参照することにより行うことができる（後述のS4507においても同様）。停止演出図柄設定処理（S4506）の詳細については後述する。
【０２０９】
次いで、S4507では、予告演出の設定に係る予告演出設定処理を行う（S4507）。本実施例では、事前判定結果に基づく予告演出（保留先読み予告）や、現在の特図変動表示（変動演出）に係る予告演出（当該変動予告）など、種々の予告演出が実行可能となっていることから、S4507では、各予告演出について、実行するか否か（実行有無）を含めた予告演出の実行パターン（予告演出パターン）を設定する。具体的には、S4501において取得した予告演出決定用乱数と、サブ制御基板９０のＲＯＭに記憶された予告決定テーブルとに基づいて、予告演出パターンを、予告演出の実行有無を含めて決定し、この決定結果に基づいて予告演出パターンを設定する。
【０２１０】
尚、S4502での変動開始コマンドの解析結果により特定される特別図柄当否判定の結果、すなわち、今回の特図変動表示に係る当否判定（大当り判定）の結果（大当り又は外れ）や、同じく変動開始コマンドの解析結果により特定される特別図柄の変動パターン情報、すなわち、今回の特図変動表示に係る変動パターンによって、S4507で設定する予告演出パターン、すなわち、実行する予告演出の種類（予告種）や態様、予告演出の有無等は異なるものとなる。また、予告演出を実行する場合、複数の予告演出のうち、一の予告演出（一種類の予告演出）を行うこともあれば、二以上の予告演出（複数種の予告演出）を複合して行うこと、すなわち、一の変動表示中（変動演出中）に複数種の予告演出を各々の実行タイミングで行うこともある。
【０２１１】
また、S4507では、今回の変動演出がチャンス目予告を行うもの（チャンス目予告実行期間中の変動演出）である場合、当該チャンス目予告に係るチャンス目停止表示に付随する予告演出の実行パターン（予告演出パターン）を設定する。本実施例では、チャンス目の停止表示に次いで、チャンス目予告の実行契機となった特図保留（対象保留）に対応する演出保留（第１演出保留９ａまたは第２演出保留９ｂ）の色を変化させる保留変化予告（変化演出）を行うものとしている。そこで、S4507では、今回の変動演出がチャンス目予告を行うものである場合、当該チャンス目予告の実行パターン（チャンス目予告パターン）に対応した保留変化予告パターンを設定する。例えば、今回の変動演出で停止表示するチャンス目が赤図柄である場合、当該チャンス目予告の実行契機となった対象保留に対応する演出保留の色を赤色に変化させるパターンを設定する。尚、チャンス目予告を２回以上行う場合、各回のチャンス目停止表示に伴って演出保留の色が当該チャンス目の図柄色と同じ色に変化する。但し、各回で同じ色のチャンス目が停止表示される場合には、後のチャンス目停止表示に基づく演出保留の色変化は行わない。
【０２１２】
ここで、本実施例のチャンス目予告について、図４９を用いて説明しておく。図４９は、画像表示装置７（表示画面７ａ）にてチャンス目予告を伴う変動演出が行われる場合の表示例を示すものである。尚、ここでは、遊技状態が低ベース状態であって、第１始動口２０への入球に基づく第１特別図柄の変動表示（第１特図保留の消化）が行われる場合を例に説明する。また、説明が煩雑になることを避けるため、変動中に特図保留（取得情報）が新たに記憶されることはないものとする。
【０２１３】
図４９（ａ）は、第１特図保留が４個記憶された状態で特別図柄が停止表示するとともに、これに伴い演出図柄８が停止表示して、次の変動表示を開始する前の状況を示している。このとき、画像表示装置７の表示画面７ａに設けられる第１演出保留表示領域９ｃには、４個の第１特図保留の各々に対応する第１演出保留９ａが表示される。尚、本実施例では、特図保留球数が増加するにつれて演出保留表示領域の左から右に向かって演出保留が追加表示され、特図保留球数が減少するにつれて演出保留表示領域の右から左に向かって演出保留がシフト表示される。また、変動中の特別図柄（当該変動）に係る特図保留に対応する演出保留が変動保留表示領域９ｅに表示される。さらに、本例では、第１演出保留９ａの通常（デフォルト）の表示色を白色としている。
【０２１４】
図４９（ａ）において、４個の第１特図保留のうち最も新しく記憶された第１特図保留が、チャンス目予告の実行契機となる対象保留となり、これに伴い、チャンス目予告パターンとして、「青図柄のチャンス目」→「緑図柄のチャンス目」→「赤図柄のチャンス目」の順でチャンス目の停止表示が３回（チャンス目予告が３回）行われる「パターンＣ３」が設定されたとする（S4455〜S4457、図４７，４８を参照）。この場合、対象保留より前に記憶された３個の第１特図保留の各々の消化に伴う変動演出で、パターンＣ３に基づくチャンス目予告が行われる。
【０２１５】
この条件下で、４個の第１特図保留のうち最も古い第１特図保留の消化により第１特別図柄の変動表示が開始されると、演出図柄８が変動表示を開始し、これに伴って、その第１特図保留に対応する第１演出保留９ａ（第１演出保留表示領域９ｃ内の左端に位置していた第１演出保留９ａ）が変動保留表示領域９ｅに移動するとともに、第１演出保留表示領域９ｃ内の残り３つの第１演出保留９ａがそれぞれ左側に１つシフト（移動）する（図４９（ｂ）を参照）。そして、当該変動表示の終了（第１特別図柄の停止表示）に合わせて、演出図柄８Ｌ，８Ｃ，８Ｒが、青図柄である「２」「４」「８」の組み合わせからなるチャンス目（特殊表示）を構成する態様（特殊表示態様）で停止表示するとともに（１回目のチャンス目予告）、これに伴って、第１演出保留表示領域９ｃに表示されている３つの第１演出保留９ａのうち、対象保留に対応する右端の第１演出保留９ａの表示色（白）が、今回のチャンス目の図柄色と同じ「青」に変化する（図４９（ｂ），（ｃ）を参照）。このとき、青図柄のチャンス目で停止表示された３つの青図柄演出図柄８Ｌ，８Ｃ，８Ｒから、色変化（保留変化）の対象となる第１演出保留９ａに対して、青色の閃光が放たれる演出が行われ、これを契機に当該第１演出保留９ａの表示色が白から青に変化する（図４９（ｃ）を参照）。
【０２１６】
続いて、残り３個の第１特図保留のうち最も古い第１特図保留の消化により第１特別図柄の変動表示が開始されると、演出図柄８が変動表示を開始し、これに伴って、その第１特図保留に対応する第１演出保留９ａ（第１演出保留表示領域９ｃ内の左端に位置していた第１演出保留９ａ）が変動保留表示領域９ｅに移動するとともに、第１演出保留表示領域９ｃ内の残り２つの第１演出保留９ａがそれぞれ左側に１つシフト（移動）する（図４９（ｄ）を参照）。そして、当該変動表示の終了（第１特別図柄の停止表示）に合わせて、演出図柄８Ｌ，８Ｃ，８Ｒが、緑図柄である「１」「５」「９」の組み合わせからなるチャンス目（特殊表示）を構成する態様（特殊表示態様）で停止表示するとともに（２回目のチャンス目予告）、これに伴って、第１演出保留表示領域９ｃに表示されている２つの第１演出保留９ａのうち、対象保留に対応する右端の第１演出保留９ａの表示色（青）が、今回のチャンス目の図柄色と同じ「緑」に変化する（図４９（ｄ），（ｅ）を参照）。このとき、緑図柄のチャンス目で停止表示された３つの演出図柄８Ｌ，８Ｃ，８Ｒから、色変化（保留変化）の対象となる第１演出保留９ａに対して、緑色の閃光が放たれる演出が行われ、これを契機に当該第１演出保留９ａの表示色が青から緑に変化する（図４９（ｅ）を参照）。
【０２１７】
続いて、残り２個の第１特図保留のうち最も古い第１特図保留の消化により第１特別図柄の変動表示が開始されると、演出図柄８が変動表示を開始し、これに伴って、その第１特図保留に対応する第１演出保留９ａ（第１演出保留表示領域９ｃ内の左端に位置していた第１演出保留９ａ）が変動保留表示領域９ｅに移動するとともに、第１演出保留表示領域９ｃ内の残り１つの第１演出保留９ａが左側に１つシフト（移動）する（図４９（ｆ）を参照）。そして、当該変動表示の終了（第１特別図柄の停止表示）に合わせて、演出図柄８Ｌ，８Ｃ，８Ｒが、赤図柄である「３」「７」「７」の組み合わせからなるチャンス目（特殊表示）を構成する態様（特殊表示態様）で停止表示するとともに（３回目のチャンス目予告）、これに伴って、第１演出保留表示領域９ｃに表示されている１つの第１演出保留９ａ（対象保留）の表示色（緑）が、今回のチャンス目の図柄色と同じ「赤」に変化する（図４９（ｆ），（ｇ）を参照）。このとき、赤図柄のチャンス目で停止表示された３つの演出図柄８Ｌ，８Ｃ，８Ｒから、色変化（保留変化）の対象となる第１演出保留９ａに対して、赤色の閃光が放たれる演出が行われ、これを契機に当該第１演出保留９ａの表示色が緑から赤に変化する（図４９（ｇ）を参照）。
【０２１８】
この後、残り１個の第１特図保留、すなわち対象保留である第１特図保留の消化により第１特別図柄の変動表示が開始されると、演出図柄８が変動表示を開始し、これに伴って、その第１特図保留に対応する赤色の第１演出保留９ａが変動保留表示領域９ｅに移動する（図４９（ｈ）を参照）。そして、対象保留が大当り保留であった場合には、当該変動表示の結果として演出図柄８が大当り態様（ゾロ目）で停止表示され、外れ保留であった場合には、該変動表示の結果として演出図柄８が外れ態様（バラケ目）で停止表示される。尚、チャンス目（特殊表示）を構成する態様（特殊表示態様）で演出図柄８を停止表示するチャンス目予告のことを「第１予告演出」ともいい、チャンス目の停止表示に次いで行われる保留変化予告のことを「第２予告演出」ともいい、チャンス目予告とこれに付随する保留変化予告からなる一連の予告のことを「特定予告演出」ともいう。
【０２１９】
図４３に戻り、S4507の処理に次いで、S4508では、S4505で設定した変動演出パターン、S4506で設定した停止演出図柄およびS4507で設定した予告演出パターンに基づいて、演出図柄遊技演出（変動演出表示、予告演出等）を開始するための変動演出開始コマンドをサブ出力バッファにセットし（S4508）、変動演出開始処理を終える。S4508でセットされた変動演出開始コマンドがコマンド送信処理（S4006）により画像制御基板１００に送信されると、画像制御用マイコン１０１は、変動演出開始コマンドに基づき特定される変動演出パターン、すなわちS4505で設定された変動演出パターンに対応する所定の変動演出用画像データと、変動演出開始コマンドに基づき特定される予告演出パターン、すなわちS4507で設定された予告演出パターンに対応する所定の予告演出用画像データを画像制御基板１００のＲＯＭから読み出して、該読み出した画像データによる変動演出表示や予告演出等を画像表示装置７の表示画面７ａ上で実行する。また、演出表示器１０２での２個のＬＥＤによる変動表示（点滅表示）も実行する。
【０２２０】
［停止演出図柄設定処理］
次に、変動演出開始処理（S4402）にて実行される停止演出図柄設定処理（S4506）について説明する。停止演出図柄設定処理（S4506）では、前述のS4502での解析結果やS4505で設定した変動演出パターン等に基づいて、停止演出図柄を選択（決定）して設定する。具体的に、図４４に示すように、停止演出図柄設定処理（S4506）では、まず、今回開始する変動演出（演出図柄遊技演出）が大当りに係る変動演出（大当り変動演出）であるか否かを判定する（S4601）。この結果、大当り変動演出である場合（S4601でYES）、演出図柄８のリーチ図柄を選択して設定する（S4602）。大当りに係る特別図柄の変動パターンは、図９に示すように、変動時間が３００００ｍｓ以上の変動パターン（Ｐ１〜Ｐ３、Ｐ１２〜Ｐ１４）となる。前述したように、本実施例では、変動時間が３００００ｍｓ以上の変動パターンについてはリーチ演出（特定演出）を行うものとしていることから、今回の変動演出が大当り変動演出である場合（S4601でYES）、リーチ図柄を設定する（S4602）。ここで、変動演出では、３つの演出図柄８Ｌ，８Ｃ，８Ｒが変動表示するところ、そのうちの第１停止図柄である左演出図柄８Ｌと、第２停止図柄である右演出図柄８Ｒとが同じ演出図柄で停止した場合、リーチ成立となって、リーチ演出が行われる。S4602は、そのリーチ成立時の図柄種を設定するものである。
【０２２１】
S4602でのリーチ図柄の選択（決定）は、前述のS4501で取得した演出図柄決定用乱数の一種であるリーチ図柄決定用乱数と、図示しない大当り用リーチ図柄決定テーブルとに基づいて行われる。本実施例では、大当りの種別に応じて、確定停止する演出図柄８の表示態様、すなわち大当り態様（特定態様）を予め定めている。具体的には、１６Ｒ第１大当りおよび１６Ｒ第６大当りに対応する大当り態様を「７７７」のゾロ目（赤奇数図柄のゾロ目）としており、６Ｒ第２大当りおよびＲＵＢに対応する大当り態様を「１１１」「３３３」「５５５」「９９９」の何れかのゾロ目（「７」以外の奇数図柄のゾロ目）としており、６Ｒ第３〜第５大当りおよび１６Ｒ第１１大当りに対応する大当り態様を「２２２」「４４４」「６６６」「８８８」の何れかのゾロ目（偶数図柄のゾロ目）としている。また、本実施例では、２Ｒ第１０大当り（２Ｒ確変大当り）および２Ｒ第１２大当り（２Ｒ通常大当り）に対応する演出図柄８の大当り態様を「１２１」「２３２」「４５４」「６７６」等、中演出図柄８Ｃ（第３停止図柄）がリーチ図柄と図柄色も含めて異なる「色違いリーチ外れ目」としている。尚、「色違いリーチ外れ目」とは、第１停止図柄および第２停止図柄（つまり、リーチ図柄）が同じ数字・色であって、第３停止図柄のみが異なる数字・色である図柄組み合わせのことをいう。２Ｒ大当りに係る演出図柄８の大当り態様を「色違いリーチ外れ目」とするのは、２Ｒ大当りに係る大当り遊技では賞球の獲得可能性が極めて低いことと、３つの演出図柄８Ｌ，８Ｃ，８Ｒがすべて同じ色となる外れ態様をチャンス目としていることから、賞球が獲得可能な他の大当りとの同一視を回避するとともに、チャンス目との同一視を回避するためである。
【０２２２】
このように、本実施例では、大当りの種別に応じた大当り態様で演出図柄８を確定停止するものとしており、これに準じて所定の選択率の下で選択可能（設定可能）なリーチ図柄を規定した大当り種別毎のリーチ図柄決定テーブルを、サブ制御基板９０のＲＯＭに記憶している。よって、S4602では、今回の変動演出に係る大当りの種別に応じたリーチ図柄決定テーブルを参照して、リーチ図柄決定用乱数による乱数抽選のもとリーチ図柄を選択し、これを設定する。具体的には、例えば、今回の大当りが１６Ｒ第１大当りであれば「７」をリーチ図柄として設定し、６Ｒ第２大当りであれば「１」「３」「５」「９」の何れかをリーチ図柄として設定し、６Ｒ第３大当りであれば「２」「４」「６」「８」の何れかをリーチ図柄として設定する。
【０２２３】
次いで、S4603では、今回の大当り変動演出に係る演出図柄８の変動態様、すなわち、S4505で設定した変動演出パターンが、ＳＰリーチ（大当りＳＰリーチ）であるか否かを判定する（S4603）。前述したように、本実施例では、変動時間が４５０００ｍｓの特図変動パターン（ここでは変動パターンＰ２またはＰ１３）の場合には、ＳＰリーチＡ，Ｂの何れかが実行され、変動時間が７５０００ｍｓの特図変動パターン（ここでは変動パターンＰ１またはＰ１２）の場合には、ＳＰリーチＣが実行される。
【０２２４】
S4603にて、ＳＰリーチでないと判定した場合（S4603でNO）、すなわち、今回の大当り変動演出に係る演出図柄８の変動態様が大当りリーチＡ〜Ｃの何れか（ノーマルリーチ演出）である場合、今回の大当り変動演出に係る大当りの種別が２Ｒ大当り以外の大当りであれば、第３停止図柄として、S4602で設定したリーチ図柄と同じ図柄、すなわちゾロ目を構成する図柄を設定して（S4604）、本処理を終える。一方、今回の変動演出に係る大当りの種別が２Ｒ大当りであれば、第３停止図柄として、S4602で設定したリーチ図柄と異なる図柄であって図柄色もリーチ図柄と異なる図柄、すなわち「色違いリーチ外れ目」を構成する図柄を設定して（S4604）、本処理を終える。
【０２２５】
ここで、変動演出の終了に際しては、主制御基板８０からの変動停止コマンドの受信に基づいて演出図柄８を確定停止することで変動演出を終了させるが（S4403,S4404を参照）、主制御基板８０が変動停止コマンドを送信するタイミングよりも若干早めのタイミングで演出図柄８を仮停止しておき、主制御基板８０からの変動停止コマンドを受信したタイミングで、その仮停止した演出図柄８を確定停止して、変動演出を終了させるものとしている。本実施例では、ノーマルリーチ演出（リーチＡ〜Ｃ）の場合やリーチ無し変動演出（ノーマル変動）の場合には、仮停止後の再変動表示や発展演出を実行しないため、第１〜第３停止図柄（演出図柄８Ｌ，８Ｃ，８Ｒ）が仮停止した後、間もなくして確定停止するように演出の設計がなされている。したがって、S4602で設定するリーチ図柄およびS4604で設定する第３停止図柄は、仮停止用の停止図柄（以下「仮停止図柄」ともいう。）でもあり、確定停止用の停止図柄（以下「確定停止図柄」ともいう。）でもある。
【０２２６】
一方、S4603にて、今回の大当り変動演出に係る演出図柄８の変動態様がＳＰリーチであると判定した場合（S4603でYES）、すなわち、今回の大当り変動演出に係る演出図柄８の変動態様が大当りＳＰリーチＡ〜Ｃの何れか（スーパーリーチ演出）である場合、当該スーパーリーチ演出の中で発展演出に移行するにあたり同色発展を行うか否かを判定する（S4605）。ここで前述したように、ＳＰリーチの変動態様は、リーチ成立後、３つの演出図柄８Ｌ，８Ｃ，８Ｒが外れ態様（リーチ外れ態様）で仮停止した後、中演出図柄８Ｃ（第３停止図柄）が変動表示を再開して、当該変動表示中に発展演出を行い、その後、３つの演出図柄８Ｌ，８Ｃ，８Ｒを最終的に確定停止するものとなっている。このようなＳＰリーチに係る変動演出の進行過程において、第１停止図柄および第２停止図柄が同じ数字であって（リーチ図柄）、第３停止図柄のみ異なる数字であるものの（リーチ外れ）、３つの図柄がすべて同じ色となる「同色リーチ外れ目」で演出図柄８が仮停止した後、発展演出に移行する態様が、「同色発展」である。この同色発展を行うか否かは、前述のS4505にてＳＰリーチの変動演出パターンを設定する場合に、併せて決定される。同色発展を行うか否かの決定は、S4505でのＳＰリーチの設定契機となった変動演出決定用乱数値に基づいて行われ、行うことが決定された場合には、その旨を示すフラグ（同色発展フラグ）がセットされるものとなっている。したがって、S4605では、同色発展フラグを参照して同色発展を行うか否かを判定する。
【０２２７】
尚、大当り変動演出でのＳＰリーチにおいて、同色発展を行う可能性と、同色発展を行わない可能性とでは、同色発展を行う可能性の方が高くなっている。また、ＳＰリーチは外れの場合にも実行され得るため、外れＳＰリーチにおいても同色発展が実行され得る。この点、本実施例では、外れＳＰリーチよりも大当りＳＰリーチの方が、同色発展の実行可能性が高くなっている。さらに、外れ変動演出でのＳＰリーチにおいて、同色発展を行う可能性と、同色発展を行わない可能性とでは、同色発展を行わない可能性の方が高くなっている。これにより、同色発展を大当り期待度の高い演出態様の一つとして遊技者に認識させて、同色発展により大当りの期待感が高まる印象を遊技者に与えることが可能となっている。
【０２２８】
また、同色発展に際して仮停止表示する「同色リーチ外れ目」と、チャンス目予告のチャンス目（同色外れ目）とを比較した場合、３つの図柄の色がすべて同じとなる点、すなわち、チャンス目を構成する態様である点において、両者は同じである。この点、前述のように、チャンス目予告のチャンス目は、３つの演出図柄８Ｌ，８Ｃ，８Ｒのうち、少なくとも、左演出図柄８Ｌ（第１停止図柄）と右演出図柄８Ｒ（第２停止図柄）は異なる数字の図柄となるように定めてあることから、遊技者にしてみれば、「同色リーチ外れ目」が、チャンス目予告のチャンス目（同色外れ目）と意味合いの異なるものであるということは、認識可能であると考えられる。また、「同色リーチ外れ目」は、ＳＰリーチ中に仮停止する可能性はあるものの、ＳＰリーチを経て最終的に確定停止する可能性はないものとしているので、この点において、遊技者にしてみれば、「同色リーチ外れ目」の仮停止が、チャンス目を確定停止するチャンス目予告と異なるものであることは、認識可能と考えられる。以下では、同色発展に際して仮停止表示する「同色リーチ外れ目」のことを、チャンス目予告のチャンス目と区別して「発展チャンス目」ということがある。
【０２２９】
S4605にて、同色発展を行うと判定した場合（S4605でYES）、発展演出実行前（再変動開始前）の仮停止用の第３停止図柄として、S4602で設定したリーチ図柄と異なる図柄であって図柄色が同じ図柄、すなわち「発展チャンス目」を構成する図柄を設定する（S4606）。このS4606では、リーチ図柄が赤図柄の「３」または「７」である場合には、そのリーチ図柄と異なる赤図柄、すなわち、リーチ図柄が「３」であれば「７」、「７」であれば「３」を設定する。また、リーチ図柄が緑図柄の「５」または「９」である場合と、リーチ図柄が青図柄の「２」「４」「６」「８」の何れかである場合には、スクロール表示順（昇順）で最も近い数字の同色図柄、例えば、リーチ図柄が「２」であれば「４」、「５」であれば「９」、「６」であれば「８」、「８」であれば「２」、「９」であれば「１」を設定する。さらに、リーチ図柄が緑図柄の「１」である場合には、スクロール表示順で１つ手前の「９」を設定する。そして、S4606に次いで、発展演出実行後の確定停止用の第３停止図柄として、今回の変動演出に係る大当り種別に対応した大当り態様を構成する図柄を設定し（S4610）、本処理を終える。S4610の処理は、前述のS4604と同様である。
【０２３０】
一方、S4605にて、同色発展を行わないと判定した場合（S4605でNO）、すなわち、今回のＳＰリーチの変動態様が「色違いリーチ外れ目」の仮停止を経て発展演出に移行する態様である場合、リーチ図柄が「９」であるか否かを判定する（S4607）。ここで、本実施例では、ＳＰリーチにて「色違いリーチ外れ目」の仮停止を経て発展演出に移行する場合、「色違いリーチ外れ目」を構成する中演出図柄８Ｃ（第３停止図柄）が、リーチ図柄に対して「＋（プラス）１コマ」の図柄となるものとしている。「＋１コマ」とは、演出図柄８を構成する「１」〜「９」の数字図柄の何れか１つを基準にして、スクロール表示の並び順（本例では昇順）で１つ先の図柄をいう。例えば、リーチ図柄が「２」であれば、「＋１コマ」の中演出図柄８Ｃは「３」となる。尚、基準となる図柄に対し並び順が１つ前の図柄は「−（マイナス）１コマ」の図柄となる。
【０２３１】
本実施例の演出図柄８は、「１」〜「９」の数字図柄のうち、「３」「７」が赤図柄、「１」「５」「９」が緑図柄、「２」「４」「６」「８」が青図柄となっているため、これらを「１」〜「９」の順（昇順）で並べた場合、色の並びは「１」から順に「緑（１）」「青（２）」「赤（３）」「青（４）」「緑（５）」「青（６）」「赤（７）」「青（８）」「緑（９）」となる。つまり、スクロール表示順で連続する「９」と「１」の並び（ともに緑図柄）を除いて、同じ色が連続する並びとはなっていない。このことから、ＳＰリーチにて発展演出前に仮停止する演出図柄８の「色違いリーチ外れ目」は、中演出図柄８Ｃ（第３停止図柄）を、原則、リーチ図柄に対して「＋１コマ」の図柄とすることとしている。但し、リーチ図柄が「９」の場合には、「＋１コマ」の図柄は「１」となるため、同じ緑色となってしまう。つまり、仮停止する演出図柄８の表示態様が発展チャンス目（同色リーチ外れ目）となってしまう。
【０２３２】
これを回避するために、S4607では、リーチ図柄が「９」であるか否かを判定するのである。そして、リーチ図柄が「９」でないと判定した場合（S4607でNO）、仮停止用の第３停止図柄として、リーチ図柄に対して「＋１コマ」の図柄を設定し（S4608）、リーチ図柄が「９」であると判定した場合（S4607でYES）、リーチ図柄に対して「−１コマ違い」の図柄（ここでは「８」）を設定する（S4609）。これらS4607〜S4609の処理により、仮停止する演出図柄８の停止演出図柄として設定可能な図柄種から、発展チャンス目（同色リーチ外れ目）を構成する図柄種を除くことが可能となり、演出図柄８が発展チャンス目（同色リーチ外れ目）で仮停止することを制限することが可能となる。その結果、同色発展を伴わないＳＰリーチであるにもかかわらず、演出図柄８が発展チャンス目（同色リーチ外れ目）で仮停止するのを回避することが可能となっている。そして、S4608またはS4609の処理に次いで、前述のS4610の処理を行い、本処理を終える。
【０２３３】
ここまでが、大当り変動演出である場合（S4601でYES）の停止演出図柄の設定に係る処理であるが、今回の変動演出が外れに係る変動演出（外れ変動演出）である場合には（S4601でNO）、図４５に示すS4611の処理に進む。S4611では、今回の外れ変動演出がリーチ有りの変動演出であるか否かを判定する（S4611）。今回の外れ変動演出に係る特図変動パターンが、図９に示す変動時間３００００ｍｓ以上の外れ変動パターン（Ｐ４〜Ｐ６，Ｐ８〜Ｐ１０，Ｐ１５〜Ｐ１７，Ｐ１９〜Ｐ２１の何れか）であれば、今回の外れ変動演出はリーチ有り外れ変動演出となり（S4611でYES）、変動時間３００００ｍｓ未満の外れ変動パターン（Ｐ７，Ｐ１１，Ｐ１８，Ｐ２２の何れか）であれば、今回の外れ変動演出はリーチ無し外れ変動演出となる（S4611でNO）。
【０２３４】
S4611にて、リーチ有りの外れ変動演出であると判定した場合（S4611でYES）、前述のS4501で取得したリーチ図柄決定用乱数と、図示しない外れ用リーチ図柄決定テーブルとに基づいてリーチ図柄を選択し、これを設定する（S4612）。外れ用リーチ図柄決定テーブルでは、「１」〜「９」の各図柄について、リーチ図柄決定用乱数値による選択率が予め定められており、この選択率にしたがってリーチ図柄が選択される。尚、S4612で設定するリーチ図柄は、仮停止図柄でもあり確定停止図柄でもある。
【０２３５】
次いで、S4613では、今回の外れ変動演出に係る演出図柄８の変動態様、すなわち、S4505で設定した変動演出パターンが、ＳＰリーチ（外れＳＰリーチ）であるか否かを判定する（S4613）。今回の外れ変動演出に係る特図変動パターンが、変動時間４５０００ｍｓの特図変動パターン（ここでは変動パターンＰ５，Ｐ９，Ｐ１６，Ｐ２０の何れか）である場合には、ＳＰリーチＡ，Ｂの何れかが実行され、変動時間７５０００ｍｓの特図変動パターン（ここでは変動パターンＰ４，Ｐ８，Ｐ１５，Ｐ１９の何れか）である場合には、ＳＰリーチＣが実行される。
【０２３６】
S4613にて、ＳＰリーチでないと判定した場合（S4613でNO）、すなわち、今回の外れ変動演出に係る演出図柄８の変動態様が外れリーチＡ〜Ｃの何れかである場合、前述のS4501で取得した演出図柄決定用乱数の一種である第３停止図柄決定用乱数と、図示しない第３停止図柄決定テーブルとに基づいて第３停止図柄を選択し、これを設定する（S4614）。第３停止図柄決定テーブルでは、「１」〜「９」の各図柄について、第３停止図柄決定用乱数値により選択率が予め定められており、この選択率にしたがって第３停止図柄が選択される。
【０２３７】
次いで、S4615では、S4612にて設定したリーチ図柄と、S4614にて設定した第３停止図柄とが、同じ数字の図柄であるか否かを判定し（S4615）、同じ数字の図柄でなければ（S4615でNO）、S4617の処理に移行し、同じ数字の図柄であれば（S4615でYES）、S4614で設定した第３停止図柄を、当該図柄に対して「＋１コマ」の図柄に変更して（S4616）、S4617の処理に移行する。S4616の処理により、外れ変動であるにもかかわらず、演出図柄８が大当り態様（ゾロ目）で停止表示（仮停止、確定停止）するのを回避することが可能となる。
【０２３８】
次いで、S4617では、S4612で設定したリーチ図柄（左演出図柄８Ｌと右演出図柄８Ｒ）と、S4614の処理（場合によっては更にS4616の処理）で設定した第３停止図柄（中演出図柄８Ｃ）が、すべて同じ色の図柄であるか否かを判定し（S4617）、同じ色の図柄でなければ（S4617でNO）、本処理を終え、同じ色の図柄であれば（S4617でYES）、再度、S4616の処理を行い、S4617にて同じ色の図柄でないと判定したら（S4617でNO）、本処理を終える。S4617で同色と判定された後のS4616の処理により、確定停止する演出図柄８の停止演出図柄として設定可能な図柄種から、発展チャンス目（同色リーチ外れ目）を構成する図柄種を除くことが可能となり、演出図柄８が発展チャンス目（同色リーチ外れ目）で確定停止するのを制限することが可能となる。つまり、S4617で同色と判定された後のS4616の処理は、発展チャンス目（同色リーチ外れ目）による確定停止を回避するための処理である。これにより、当該外れリーチに係る外れ変動演出の終了に伴い、発展チャンス目（同色リーチ外れ目）を構成しない態様、すなわち、色違いリーチ外れ目で、演出図柄８が確定停止することとなる。こうしてS4614の処理（場合によっては更にS4616の処理）で設定する第３停止図柄は、仮停止図柄でもあり確定停止図柄でもある。
【０２３９】
尚、本実施例の演出図柄８は、前述したように、スクロール表示順で連続する「９」と「１」の並びを除いて、同じ色が連続する並びとはなっていないため、リーチ図柄が「１」または「９」である場合には、S4617にて同色（本例では緑色）であると判定されることがあり得るが、リーチ図柄が「２」〜「８」の何れかである場合には、S4617にて同色であると判定されることはない。
【０２４０】
一方、S4613にて、ＳＰリーチであると判定した場合（S4613でYES）、すなわち、今回の外れ変動演出に係る演出図柄８の変動態様が外れＳＰリーチＡ〜Ｃの何れかである場合、当該スーパーリーチ演出の中で発展演出に移行するにあたり同色発展を行うか否かを判定する（S4618）。同色発展については、前述のS4605で説明した大当りＳＰリーチの場合と同様である。そして、同色発展を行うと判定した場合（S4618でYES）、S4612で設定したリーチ図柄が「３」または「７」であるか否かを判定し（S4619）、そうでなければ（S4619でNO）、発展演出実行前（再変動開始前）の仮停止用の第３停止図柄として、S4612で設定したリーチ図柄と異なる図柄であって図柄色が同じ図柄、すなわち「発展チャンス目」を構成する図柄を設定し（S4620）、発展演出実行後の確定停止用の第３停止図柄として、リーチ図柄に対して「＋１コマ」の図柄、すなわち、色違いリーチ外れ目を構成する図柄を設定する（S4621）。S4621の処理により、仮停止する演出図柄８の停止演出図柄として設定可能な図柄種から、発展チャンス目（同色リーチ外れ目）を構成する図柄種を除くことが可能となり、演出図柄８が発展チャンス目（同色リーチ外れ目）で仮停止するのを制限することが可能となる。尚、S4620の処理は、リーチ図柄として「３」「７」を含まない点を除いて、前述のS4606で説明した大当りＳＰリーチの同色発展の場合と同様である。また、S4621の処理で設定する確定停止用の第３停止図柄は、発展演出実行後の仮停止図柄でもある。
【０２４１】
ここで、本実施例では、外れＳＰリーチであって、リーチ図柄が「３」または「７」（赤図柄）となった場合には、同色発展を行わないこととしている。このため、S4618で同色発展を行うと判定した場合であっても、リーチ図柄が「３」または「７」である場合には（S4619でYES）、S4620の処理を行わないこととしている。つまり、リーチ図柄が「３」または「７」となって同色発展が行われるのは、大当りＳＰリーチの場合だけとしている。したがって、スーパーリーチ演出において、「３」または「７」の赤図柄でリーチが成立し、その後、演出図柄８が発展チャンス目（同色リーチ外れ目）で仮停止した場合には、その時点で大当り確定となる。
【０２４２】
これに対して、S4618にて同色発展を行わないと判定した場合（S4618でNO）と、S4619にてリーチ図柄が「３」または「７」であると判定した場合（S4619でYES）には、前述のS4607〜S4609と同様に、発展演出前に演出図柄８を「色違いリーチ外れ目」で仮停止するための処理（S4622〜S4624）を行う。つまり、同色発展を伴わないＳＰリーチであるにもかかわらず、演出図柄８が発展チャンス目（同色リーチ外れ目）で仮停止するのを回避するための処理（S4622〜S4624）を行う。この処理により、仮停止する演出図柄８の停止演出図柄として設定可能な図柄種から、発展チャンス目（同色リーチ外れ目）を構成する図柄種を除くことが可能となり、演出図柄８が発展チャンス目（同色リーチ外れ目）で仮停止するのを制限することが可能となる。そして、発展演出実行後の確定停止用の第３停止図柄として、リーチ図柄に対して「＋１コマ」の図柄を設定する（S4621）。S4621の処理の後は、前述したS4617の処理を経て、本処理を終える。これにより、当該外れＳＰリーチに係る外れ変動演出の終了に伴い、演出図柄８が発展チャンス目（同色リーチ外れ目）を構成しない態様、すなわち、色違いリーチ外れ目で確定停止することとなる。
【０２４３】
一方、今回の外れ変動演出がリーチ無し変動演出である場合（S4611でNO）、すなわち、リーチ演出を伴わない単純外れ変動演出である場合、図４６に示すS4625の処理に移行する。S4625では、現在、チャンス目予告実行期間中であるか否かを判定する（S4625）。ここで、本実施例では、前述のチャンス目予告設定処理（S4400）にて、チャンス目予告を実行するか否かの決定や実行する場合のチャンス目予告パターンの設定等を行うものとなっており、チャンス目予告が行われるチャンス目予告実行期間中は、チャンス目予告の実行契機となった対象保留が消化されるまでのリーチ無し外れ変動で、チャンス目予告、すなわち、チャンス目の停止表示（確定停止）を行うこととしている。このことに対応して、S4625では、現在、チャンス目予告実行期間中であるか否か、すなわち、今回の外れ変動演出がチャンス目予告を伴うチャンス目予告実行期間中の外れ変動演出であるか否かを判定する。
【０２４４】
S4625にてチャンス目予告実行期間中であると判定した場合（S4625でYES）、前述のS4457で設定したチャンス目予告パターンに基づいて、当該チャンス目予告パターンに即したチャンス目を停止表示（確定停止）すべく、第１〜第３停止図柄として、チャンス目を構成する図柄（チャンス目図柄）を決定し、これを設定する（S4626）。具体的には、例えば、チャンス予告パターンＡ２が設定されている場合（図４７（ａ）、図４８（ａ）を参照）、「１５５」や「１５９」等の外れ態様を構成する緑図柄を設定する。また、チャンス予告パターンＣ３が設定されている場合（図４７（ｃ）、図４８（ｃ）を参照）、チャンス目の停止表示が１回目であれば「２４６」や「４６８」等の外れ態様を構成する青図柄を設定し、２回目であれば「１５５」や「１５９」等の外れ態様を構成する緑図柄を設定し、３回目であれば「３３７」や「７３３」等の外れ態様を構成する赤図柄を設定する。チャンス目予告（チャンス目の停止表示）を２回以上行う場合であって、各回で停止表示されるチャンス目が連続して同色となる場合（チャンス目予告パターンＢ１，Ｂ３，Ｂ５，Ｃ１，Ｃ２，Ｃ４〜Ｃ６）、チャンス目の出目については同じになってもならなくても、どちらでもよい。尚、S4626で設定するチャンス目図柄は、仮停止図柄でもあり確定停止図柄でもある。
【０２４５】
一方、S4625にてチャンス目予告実行期間中でないと判定した場合（S4625でNO）、すなわち、今回の外れ変動演出が、チャンス目予告を伴わずリーチ演出も伴わない外れ変動演出（単純外れ変動演出）である場合、第１〜第３停止図柄のそれぞれを設定する（S4627）。S4627では、前述のS4501で取得した演出図柄決定用乱数の一種である第１停止図柄決定用乱数、第２停止図柄決定用乱数および第３停止図柄決定用乱数と、図示しない第１停止図柄決定テーブル、第２停止図柄決定テーブルおよび第３停止図柄決定テーブルに基づいて、第１〜第３停止図柄のそれぞれを、各テーブルで定められた選択率にしたがって選択して、これを設定する。
【０２４６】
次いで、S4628では、S4627で設定した、第１〜第３停止図柄の第１停止図柄（左演出図柄８Ｌ）と第２停止図柄（右演出図柄８Ｒ）とが、同じ数字の図柄であるか否かを判定し（S4628）、同じ数字の図柄であれば（S4628でYES）、S4627で設定した第２停止図柄を、当該図柄に対して「＋１コマ」の図柄に変更する（S4629）。これにより、第１停止図柄と第２停止図柄とがリーチ図柄を構成する態様となること、すなわち、演出図柄８がリーチ外れ目で確定停止することを回避することが可能となる。
【０２４７】
次いで、S4630では、S4627およびS4629の処理により設定した第１〜第３停止図柄がすべて同じ色の図柄であるか否かを判定し（S4630）、同じ色の図柄でなければ（S4630でNO）、本処理を終え、同じ色の図柄であれば（S4630でYES）、再度、S4629の処理を行い、S4630にて同じ色の図柄でないと判定したら（S4630でNO）、本処理を終える。S4630で同色と判定された後のS4629の処理は、演出図柄８がチャンス目（同色外れ目）で確定停止するのを回避するための処理である。
【０２４８】
これに対し、S4628にて、S4627で設定した第１停止図柄（左演出図柄８Ｌ）と第２停止図柄（右演出図柄８Ｒ）とが、同じ数字の図柄でないと判定した場合（S4628でNO）、S4627で設定した第１〜第３停止図柄がすべて同じ色の図柄であるか否かを判定し（S4631）、同じ色の図柄でなければ（S4631でNO）、本処理を終え、同じ色の図柄であれば（S4631でYES）、S4627で設定した第３停止図柄を、当該図柄に対して「＋１コマ」の図柄に変更して（S4632）、再度、S4631の処理を行い、当該S4631にて同じ色の図柄でないと判定したら（S4631でNO）、本処理を終える。S4631で同色と判定された後のS4632の処理は、演出図柄８がチャンス目（同色外れ目）で確定停止するのを回避するための処理である。こうしてS4627の処理（場合によっては更にS4629,S4632の処理）で設定する各停止図柄は、仮停止図柄でもあり確定停止図柄でもある。
【０２４９】
以上の停止図柄演出処理（S4506）により設定した停止演出図柄にしたがって、S4505で設定した変動演出パターンに基づいて実行される変動演出（演出図柄８の変動表示）において、演出図柄８が仮停止したり確定停止したりすることとなる。尚、本実施例において、演出図柄８の変動表示や停止表示（仮停止、確定停止）に係る処理を実行する演出制御用マイコン９１（サブ制御部９０）は、「変動演出実行手段」や「停止設定手段」、「変動態様設定手段」、「結果表示態様設定手段」等として機能するといえる。
【０２５０】
以上までが、本実施例に係るパチンコ遊技機１の演出制御用マイコン９１（サブ制御部９０）による主要な制御処理であるが、本演出制御により、３つの演出図柄８Ｌ，８Ｃ，８Ｒがすべて同じ色のバラケ目（非特定態様）をチャンス目（特殊表示）として定めており、当該チャンス目を変動演出（演出図柄８の変動表示）の終了に際して停止表示させるチャンス予告が実行可能となっている。このチャンス目予告は、少なくとも、特図保留が２以上記憶されていること、対象保留よりも前に記憶されている特図保留がすべて外れ保留であること、当該外れ保留に対応する変動パターンがすべて「リーチ無し外れ変動パターン」であること、を条件に実行され得るものとなっている。つまり、チャンス目予告実行期間中は、少なくとも、チャンス目予告の実行契機となった対象保留の消化前にリーチ演出が行われることがないものとなっている。
【０２５１】
このようなチャンス目予告の法則性（規則）のもと、チャンス目予告が行われない状況下（チャンス目予告実行期間中でないとき）において、リーチ演出を経て演出図柄８が外れ態様で停止表示することとなる外れ変動演出、すなわち、外れリーチＡ〜Ｃや外れＳＰリーチＡ〜Ｃの変動演出パターンに基づく変動演出（外れリーチ変動演出）が行われた場合、当該変動演出にて確定停止表示する演出図柄（停止演出図柄）として、チャンス目を構成しない態様（色違い態様）の停止演出図柄が設定される（図４５を参照）。また、同様の状況下において、外れＳＰリーチＡ〜Ｃの変動演出パターンに基づく変動演出（外れＳＰリーチ変動演出）であって当該変動演出中に同色発展が行われない場合、当該変動演出中に仮停止表示する演出図柄（停止演出図柄）として、発展チャンス目を構成しない態様（色違い態様）の停止演出図柄が設定される（図４５を参照）。つまり、これらの場合の停止演出図柄としては、演出図柄８を構成する「１」〜「９」の図柄種のうち、チャンス目や発展チャンス目を構成しない図柄種が設定可能となり、それらのチャンス目を構成する図柄種は除かれるものとなっている。換言すると、チャンス目や発展チャンス目を構成する図柄種の設定（チャンス目を構成する態様の設定）が制限されるものとなっている。このため、これらの場合には、演出図柄８（８Ｌ，８Ｃ，８Ｒ）が、必ず「色違いリーチ外れ目」で停止表示することとなり、チャンス目や発展チャンス目で停止表示することはないものとなる。これにより、外れリーチパターンに基づく変動演出が行われた際に、チャンス目を構成する態様による演出図柄８の確定停止表示が、チャンス目予告と無関係に（意味なく）出現することを排除することが可能となり、チャンス目予告の効果が損なわれるのを防ぐことが可能となる。
【０２５２】
特に、本実施例では、チャンス目予告実行期間中の対象保留消化前に行われる特別図柄の変動表示に係る変動演出は「リーチ無し外れ変動演出」となるので、リーチ演出を経て演出図柄８がチャンス目で確定停止することはない。このような仕様において、仮に、リーチ演出を経て演出図柄８がチャンス目で確定停止し得るものとすると、当該チャンス目は、チャンス目予告の実行契機となる対象保留が存在しなくても表示されるものとなり、特図保留についての大当り期待度を示すものとはならない。このようにリーチ演出を経て確定停止されるチャンス目が、次回以降の変動表示と無関係であることが遊技者に知れてしまうと、チャンス目に対する遊技者の期待を裏切ることとなり、却って遊技興趣の低下を招く虞がある。この点、本実施例では、外れリーチパターンに基づく変動演出が行われた場合には、必ず「色違いリーチ外れ目」で演出図柄８が確定停止するので、そのような懸念を排除することが可能である。
【０２５３】
また、スーパーリーチ演出を伴う変動演出、すなわち、ＳＰリーチＡ〜Ｃの変動演出パターンに基づく変動演出では、リーチ成立後、演出図柄８（８Ｌ，８Ｃ，８Ｒ）が発展チャンス目（同色リーチ外れ目）で仮停止した後、中演出図柄８Ｃが変動表示を再開して、当該再開前（仮停止前）よりも大当り期待度の高まる発展演出を実行した上で、演出図柄８（８Ｌ，８Ｃ，８Ｒ）が当否判定の結果に応じた態様で確定停止するものとなっている。これにより、リーチ演出中に演出図柄８が発展チャンス目で仮停止表示することで、大当り期待度の高まる発展演出が実行され得るといった遊技性を実現することが可能となり、発展チャンス目の仮停止表示に遊技者を注目させて遊技興趣の向上を図ることが可能となる。
【０２５４】
特に、本実施例では、外れリーチパターンに基づく変動演出において演出図柄８がチャンス目（同色外れ目）で確定停止することは無いものとしているが、確定停止よりも前の段階で演出図柄８が発展チャンス目（同色リーチ外れ目）で仮停止した場合には、その後に発展演出が行われるものとなっている。このため、リーチ演出中の「同色リーチ外れ目」は、チャンス目予告（リーチ無し外れ変動演出）での「同色外れ目」とは別に、大当り期待度の高まる発展演出の実行が確定する（約束される）チャンス目（発展チャンス目）であるとの意味合いを持たせることが可能となる。このように、リーチ演出中の発展演出の実行を示唆する発展チャンス目（リーチ演出中の意味あるチャンス目）で演出図柄８が仮停止し得る構成とすることで、意味のないチャンス目の確定停止を排除しつつ、チャンス目演出のバリエーションを増やすことが可能となる。
【０２５５】
また、スーパーリーチ演出を伴う大当り変動演出、すなわち、大当りＳＰリーチＡ〜Ｃの変動演出パターンに基づく変動演出にて、同色発展が行われる場合、リーチ図柄が「１」〜「９」の何れであっても、演出図柄８が発展チャンス目で仮停止するものとなっている。すなわち、発展チャンス目として、青図柄（「２」「４」「６」「８」）、緑図柄（「１」「５」「９」）および赤図柄（「３」「７」）の何れかの同色リーチ外れ目を仮停止するものとなっている。一方、スーパーリーチ演出を伴う外れ変動演出、すなわち、外れＳＰリーチＡ〜Ｃの変動演出パターンに基づく変動演出にて、同色発展が行われる場合、リーチ図柄が「３」または「７」である場合を除いて、演出図柄８が発展チャンス目で仮停止するものとなっている。すなわち、外れＳＰリーチでは、発展チャンス目として、青図柄（「２」「４」「６」「８」）または緑図柄（「１」「５」「９」）の同色リーチ外れ目を仮停止するものとなっており、赤図柄（「３」「７」）の同色リーチ外れ目を仮停止することはないものとなっている。このため、リーチ演出中に演出図柄８が赤図柄の発展チャンス目（赤色リーチ外れ目）で仮停止表示した場合には、その時点で大当りが確定する（約束される）こととなる。これにより、発展チャンス目を構成する図柄種によって大当り確定の意味合いを付加することも可能となるため、発展チャンス目の種類（図柄種）に遊技者の興味を惹きつけて、遊技興趣の向上を図ることが可能となる。
【０２５６】
［センター装飾体１０の構成］
次に、図３および図５０乃至図５２に基づいてセンター装飾体１０の構成等について説明する。前述したように、センター装飾体１０は、プラスチック製（樹脂製）の成型物からなるもので、中央が開口した枠状の部材（枠状装飾部材）とされている。このセンター装飾体１０の外周上面は、レール部材４との間で、遊技球を右遊技領域３Ｂに誘導する通路（以下「右遊技領域誘導通路」ともいう。）を形成する通路形成面１０ａとされている。そして、通路形成面１０ａの終端から先の部位、すなわち、センター装飾体１０の右側部には、右遊技領域誘導通路を通過してきた遊技球を下方に誘導する球通路１０ｂが設けられている。この球通路１０ｂは、センター装飾体１０に一体成型により設けられるものである。尚、球通路１０ｂのことを「成型物通路」ともいう。
【０２５７】
球通路１０ｂの通路幅は、該球通路１０ｂに進入した遊技球が、その進入順に１個ずつ通過していくのを許容する大きさとされている。すなわち、通路幅の寸法は、遊技球の直径の２倍より短い寸法とされている。このため、球通路１０ｂ内を複数（例えば２個）の遊技球が左右に並んだ状態で（並列して）通過することは不可能となっている。また、球通路１０ｂの通路内には、当該通路内を通過（流下）する遊技球の勢い（速度）を抑える（減速させる）ための複数の凹凸が形成されている。球通路１０ｂを通過する遊技球は、「右打ち」により発射される遊技球であり、「右打ち」は「左打ち」に比して発射強度が強くなるので、その分、遊技球の勢いが強くなる（速度が速くなる）からである。
【０２５８】
センター装飾体１０のうち、球通路１０ｂ（成型物通路）の終端（球出口）より下方には、ゲート２８が設けられている。このゲート２８は、次のようにして構成されている。すなわち、図５１（ａ）に示すように、ゲート２８が位置するセンター装飾体１０の裏面（後面）側には、ゲートセンサ２８ａを収容可能な収容部２８ｂが、裏面側を開口した状態で凹設されている。つまり、収容部２８ｂは、その外郭（外側部分）がセンター装飾体１０の前面側に突出して設けられている。この収容部２８ｂは、矩形状のゲートセンサ２８ａを、その長手方向が遊技盤２の表面（盤面）と平行となる向き（以下「横向き」ともいう。）にして収容することが可能な形状（横長状）とされている。また、収容部２８ｂの右側上部には、球通路１０ｂから流出する遊技球を受け入れ可能なゲート入口２８ｃ（球受口）が設けられており、収容部２８ｂの右側下部であってゲート入口２８ｃの対向位置には、ゲート入口２８ｃを通過した遊技球を下方に流出可能なゲート出口２８ｄ（球出口）が設けられている。
【０２５９】
このように、収容部２８ｂを、その外郭（外側部分）がセンター装飾体１０の前面側に突出するようにして設けるとともに、この突出した部位の一部（本実施例では右側部位）に、ゲート入口２８ｃ（球受口）およびゲート出口２８ｄ（球出口）を上下一対に設けることで、センター装飾体１０の前面側、すなわち、遊技盤２の表面（前面）側にて、ゲート入口２８ｃとゲート出口２８ｄが上下に連通した状態となり、これにより、遊技球が通過可能なゲート２８が構成される。本実施例では、このようなゲート２８がセンター装飾体１０に一体成型されており、該センター装飾体１０を遊技盤２の前面に取り付けることで、ゲート２８が遊技盤２の表面（遊技領域３）に突出して設けられる。
【０２６０】
ここで、収容部２８ｂに収容されるゲートセンサ２８ａは、いわゆる近接スイッチにより構成されるもので、矩形のケース体（筐体）の長手方向一方側に、遊技球が通過可能な通過穴２８ｈを備えるとともに、ケース体の長手方向他方側に、図示しない球検知用のコイルや回路等の電子部品を収納する収納部２８ｓ（箱部）備えてなる。このゲートセンサ２８ａを収容部２８ｂに収容する際には、ゲート入口２８ｃとゲート出口２８ｄとの間に通過穴２８ｈが位置するようにゲートセンサ２８ａを横向きにして、該センサを収容部２８ｂに挿嵌する。尚、収容部２８ｂには、収容したゲートセンサ２８ａを支持して当該センサのガタツキを抑えるための複数のリブ２８ｒが形成されている（図５１（ａ），（ｂ）を参照）。
【０２６１】
また、図５１（ｂ）に示すように、収容部２８ｂにゲートセンサ２８ａを収容した状態では、該ゲートセンサ２８ａの一側がセンター装飾体１０の裏面側に突出しないように構成されている。つまり、収容部２８ｂの内側奥行き寸法が、矩形状のゲートセンサ２８ａの短手方向の寸法と略同一となっている。さらに、図５１（ｃ）に示すように、収容部２８ｂの裏面側開口部分には、当該開口部分を覆うカバー部材２９が、センター装飾体１０の裏面（収容部２８の裏面側）に取り付けられるように構成されている。このカバー部材２９は、収容部２８ｂにゲートセンサ２８ａを収容した状態で、センター装飾体１０の裏面（収容部２８の裏面側）にネジ止めにより取付可能とされている。これにより、ゲートセンサ２８ａが収容部２８ｂから脱落するのを防止することが可能となっている。
【０２６２】
また、図５１（ｃ）に示すように、カバー部材２９には、２つの突出片２９ａ，２９ｂが設けられている。この突出片２９ａ，２９ｂは、その内側が上下貫通にした貫通穴を有する形状とされている。突出片２９ａ，２９ｂの貫通穴には、ゲートセンサ２８ａの配線や、センター装飾体１０に設けられる装飾用ＬＥＤの配線、可動装飾部材１４の配線など、各種電気部品の配線（電気配線）を通すことが可能となっている。つまり、突出片２９ａ，２９ｂは、遊技盤２やセンター装飾体１０の裏側に設けられる電気配線を所定方向に誘導可能な電気配線誘導部として機能するものとなっている。
【０２６３】
一方、センター装飾体１０の前面側において、収容部２８ｂの外郭（外側部分）のうち、その上面（外側面）であってゲート入口２８ｃを除いた部位は、左斜め下方に傾斜した傾斜面２８ｔとされている。この傾斜面２８ｔは、球通路１０ｂから流出した遊技球のうちゲート２８を通過しない遊技球を左斜め下方に誘導する誘導面（球誘導部）として機能するものである。すなわち、収容部２８ｂの外郭（外側部分）のうち、収容部２８ｂに収容したゲートセンサ２８ａの収納部２８ｓの上面（矩形ケース体の上面）を覆う部位に相当する外側上部遊技領域面が、遊技球を左斜め下方に誘導する誘導面（球誘導部）として形成されている。
【０２６４】
さらに、センター装飾体１０の右側部であって、球通路１０ｂの球出口と、ゲート入口２８ｃ（ゲート２８）との間には、前後に貫通した開口１０ｃが設けられている。このような開口１０ｃを有するセンター装飾体１０を遊技盤２の前面に取り付けると、開口１０ｃからは遊技盤２の表面が露呈するため、この露呈する箇所に遊技釘１６を設けることが可能となっている。この点、本実施例では、遊技盤２の表面（右遊技領域３Ｂ）のうち、開口１０ｃに対応する箇所には、図３および図５２（ｃ）に示すように複数の遊技釘１６が設けられている。具体的には、球通路１０ｂから流出する遊技球に最初に関与する５本の遊技釘１６ａ〜１６ｅと、主にゲート入口２８ｃへ向かう遊技球に関与する３本の遊技釘１６ｆ〜１６ｈと、主にゲート入口２８ｃから離れる側へ向かう遊技球に関与する３本の遊技釘１６ｉ〜１６ｋと、の計１１本の遊技釘が設けられている。
【０２６５】
ここで、開口１０ｃに対応する箇所に設けられた遊技釘の作用について説明する。本実施例では、センター装飾体１０の中央開口を通じて視認可能となる画像表示装置７（表示画面７ａ）として比較的大型の液晶表示器を採用し、また、その画像表示装置７の周りに可動装飾部材１４を備える構成を採ることから、遊技領域３のうち、特に右遊技領域３Ｂを可能な限り狭くして、画像表示装置７や可動装飾部材１４の設置スペース、良好な視認性等を確保するものとしている。このことから、センター装飾体１０の右側部の球通路１０ｂは、該通路に進入した遊技球を１個ずつ順に上方から下方に向けて誘導する（流下させる）一本の通路として構成されており、また、該通路の傾斜を小さくして、略鉛直に近い形で遊技球を流下させるように構成されている。そして、前述したように、球通路１０ｂを通過する遊技球は、発射強度の強い「右打ち」で発射されることから勢いがあり、球通路１０ｂ内に凹凸が形成されているとしても、その勢いを十分に抑えることは難しい。そこで、本実施例では、球通路１０ｂの球出口近傍に、５本の遊技釘１６ａ〜１６ｅを設けている。これら遊技釘１６ａ〜１６ｅは、球通路１０ｂから流出する全ての遊技球が必ず通過することとなる遊技釘通路を形成するものである。尚、遊技釘通路の通路幅についても、球通路１０ｂと同様、遊技球を１個ずつ順次通過させるべく、遊技球の直径の２倍より短い（小さい）ものとされている。
【０２６６】
遊技釘１６ａ〜１６ｅ（遊技釘通路）は、球通路１０ｂから流出する遊技球を左斜め下（左下方）に向けて流下させるべく、球通路１０ｂの球出口近傍から左斜め下（左下方）に向かって並べて設けられている。これら５本の遊技釘１６ａ〜１６ｅのうち、球通路１０ｂの球出口に最も近い２本の遊技釘１６ｂ，１６ｃは、遊技釘通路の入口を構成するもので、球通路１０ｂとの間隔を遊技球の直径より短くして（本実施例では直径の１／２以下）、通路１５１の球出口近傍に設けられている（図５２（ａ）を参照）。このため、球通路１０ｂから流出する遊技球が、２本の遊技釘１６ｂ，１６ｃと球通路１０ｂとの間から零れ落ちて、遊技釘通路を通らずに流下することはない。また、５本の遊技釘１６ａ〜１６ｅのうち、３本の遊技釘１６ｃ〜１６ｅは、球通路１０ｂから流出する遊技球を左斜め下方に向けて誘導するものとされており、他の２本の遊技釘１６ａ，１６ｂ（特に遊技釘１６ａ）は、球通路１０ｂから流出してきた遊技球の勢いを抑える（弱める）ものとされている。
【０２６７】
これら５本の遊技釘１６ａ〜１６ｅ（遊技釘通路）の存在により、球通路１０ｂから流出する遊技球の流れの安定化が図られる。すなわち、図５２（ａ）に示すように、遊技釘通路を構成する右下３本の遊技釘１６ｃ〜１６ｅによって左斜め下方へ誘導される遊技球は、同左上の２本の遊技釘１６ａ，１６ｂ（特に遊技釘１６ａ）に衝突することで、その勢いが効果的に抑えられる。そして、遊技釘通路から流出する遊技球の殆どは、ゲート入口２８ｃの上方に位置する３本の遊技釘１６ｆ〜１６ｈ（所謂「三角釘」）のうち左下の遊技釘１６ｈに向かって流下していき、遊技釘１６ｈに衝突して該遊技釘１６ｈの左側または右側に振り分けられる。このとき、右側に振り分けられた遊技球のみがゲート入口２８ｃ（ゲート２８）を通過することとなる。
【０２６８】
また、遊技釘通路（遊技釘１６ａ〜１６ｅ）から流出する遊技球は、５本の遊技釘１６ｆ〜遊技釘１６ｊ（図５２（ａ）を参照）により構成される複数の通路（流下経路）の何れか、具体的には、遊技釘１６ｆと遊技釘１６ｇとの間を通る通路、遊技釘１６ｇと遊技釘１６ｈとの間を通る通路、遊技釘１６ｈと遊技釘１６ｉとの間を通る通路、および遊技釘１６ｉと遊技釘１６ｊとの間を通る通路、の何れかを通過（流下）し得る。本実施例では、それら複数の通路（流下経路）のうち、少なくとも、遊技釘１６ｈと遊技釘１６ｉとの間を通る通路（以下「第１通路」ともいう。）と、遊技釘１６ｇと遊技釘１６ｈとの間を通る通路（以下「第２通路」ともいう。）と、の何れに遊技球が誘導され易くなるのかを、遊技釘通路を構成する遊技釘１６ａの遊技盤面に対する角度（傾き）の調整（以下、単に「角度調整」という。）によって任意に調整（変更）できるように構成されている。つまり、遊技釘通路（遊技釘１６ａ〜１６ｅ）から流出する遊技球は、第１通路（第１ルート）と第２通路（第２ルート）の何れかに振り分け可能となっており、その第１通路と第２通路への振分割合（振分率）を、調整釘として機能する遊技釘１６ａの角度調整によって任意に変化させることが可能となっている。
【０２６９】
さらに、前述の第１通路および第２通路を構成する遊技釘１６ｇ〜１６ｉのうち、真ん中に位置する遊技釘１６ｈ（図５２（ａ）を参照）の角度調整によって、第１通路の通路幅（遊技釘１６ｈと遊技釘１６ｉとの間隔）と、第２通路の通路幅（遊技釘１６ｇと遊技釘１６ｈとの間隔）を、任意に調整（変更）できるように構成されている。つまり、第１通路および第２通路の各々の通路幅を、調整釘として機能する遊技釘１６ｈの角度調整によって任意に変化させることが可能となっている。
【０２７０】
また、本実施例では、遊技盤２、画像表示装置７、センター装飾体１０、遊技釘１６、可変入賞装置２２、大入賞装置３１、主表示器４０等の各部材（「盤構成部品」ともいう。）の組み付けに際し、遊技盤２とセンター装飾体１０を、夫々、別のユニットとして取り扱うことが可能である。すなわち、それらの盤構成部品のうち、センター装飾体１０を除いた少なくとも遊技盤２を含んで構成されるユニットを「遊技盤ユニット」とすることができる。また、ゲート入口２８ｃ、収容部２８ｂおよびゲート出口２８ｄが形成されたセンター装飾体１０と、収容部２８ｂに収容されるゲートセンサ２８ａとを含んで構成されるユニットを「センター装飾ユニット」とすることができる。そして、盤構成部品の組み付けに際して、例えば、センター装飾体１０の収容部２８ｂにゲートセンサ２８ａを収容した状態にあるセンター装飾ユニットを、遊技盤ユニット（遊技盤２）に取り付けるといった手順を採ることができる。これにより、盤構成部品の組み付け作業を効率的に行うことが可能となる。尚、遊技盤ユニットのことを「第１ユニット」ともいい、センター装飾ユニットのことを「第２ユニット」ともいう。
【０２７１】
以上説明した本実施例のパチンコ遊技機１では、センター装飾体１０に一体で設けられる球通路１０ｂとゲート２８（ゲート入口２８ｃ）との間に、遊技盤２の表面を露呈する開口１０ｃを設け、該開口１０ｃの範囲内における複数の遊技釘の配置により、球通路１０ｂから流出する遊技球の流れの安定化が図られるものとなっている。すなわち、図５２（ａ）に示すように、開口１０ｃの範囲内であって球通路１０ｂの球出口近傍には、５本の遊技釘１６ａ〜１６ｅからなる遊技釘通路が設けられており、球通路１０ｂから流出する遊技球は、すべて（必ず）遊技釘通路を通過するものとなっている。そして、遊技釘通路における右下３本の遊技釘１６ｃ〜１６ｅによって、球通路１０ｂから流出する遊技球を所定の流下方向（本例では左斜め下方）に向けて誘導するとともに、同左上の２本の遊技釘１６ａ，１６ｂ（特に遊技釘１６ａ）によって、球通路１０ｂから流出してくる遊技球の勢いを抑えることが可能となっている。また、遊技釘通路を構成する遊技釘のうち、少なくとも遊技釘１６ａを調整釘として、その角度（傾き）を調整することで、遊技釘通路（遊技釘１６ａ〜１６ｅ）から流出する遊技球の流出方向を、ゲート入口２８ｃ（遊技釘１６ｈ）の周辺に向けて調整することが可能となっている。これにより、球通路１０ｂから流出する遊技球を、ゲート入口２８ｃ（遊技釘１６ｈ）の周辺（近傍）に向けて安定的に流下させることが可能となる。
【０２７２】
これに関して、例えば、図５２（ｂ）に示す比較例のように、前述の遊技釘通路を構成する５本の遊技釘１６ａ〜１６ｅのうち、左上の２本の遊技釘１６ａ，１６ｂが設けられていないとする。つまり、遊技釘通路を構成し得ない遊技釘の配置構成を採ったとする。この場合、球通路１０ｂから流出する遊技球は、３本の遊技釘１６ｃ〜１６ｅによって誘導される際、それら遊技釘との接触の影響により様々な方向に弾かれる可能性があり、球通路１０ｂから流出する遊技球の勢いを鑑みると、その影響や可能性は顕著である。このため、左上の２本の遊技釘１６ａ，１６ｂが存在しない場合、すなわち、球通路１０ｂの球出口近傍に遊技釘通路が存在しない場合、球通路１０ｂから流出する遊技球の流れをコントロール（制御）することが難しくなり、球通路１０ｂから流出する遊技球をゲート入口２８ｃ側（特に、ゲート上の三角釘を構成する遊技釘１６ｈ）に向けて安定的に流下させることが難しくなる。この点、本実施例では、球通路１０ｂから流出する遊技球を誘導する遊技釘（遊技釘１６ｃ〜１６ｅ）に加え、その遊技球の勢いを抑制する遊技釘（遊技釘１６ａ，１６ｂ）を設けること（つまり、遊技釘通路を設けること）で、そのような懸念を排除している。
【０２７３】
また、本実施例のパチンコ遊技機１では、遊技釘通路（遊技釘１６ａ〜１６ｅ）から流出する遊技球は、その先に設けられた複数の遊技釘で構成される複数の通路（流下経路）のうち、少なくとも、ゲート入口２８ｃに向かわない（ゲート入口２８ｃから離れる）第１通路（第１ルート）と、ゲート入口２８ｃに向かう（ゲート入口２８ｃに近づく）第２通路（第２ルート）の何れかに振り分けられるものとなっている。そして、遊技釘通路を構成する複数の遊技釘１６ａ〜１６ｅのうちの１つである遊技釘１６ａ（調整釘）の角度調整により、遊技釘通路（遊技釘１６ａ〜１６ｅ）から流出する遊技球の第１通路と第２通路への振分割合（振分率）を、任意に調整することが可能となっている。加えて、第１通路および第２通路を構成する複数の遊技釘１６ｇ〜１６ｉのうちの１つである遊技釘１６ｈ（調整釘）の角度調整により、第１通路の通路幅と、第２通路の通路幅を、任意に調整することが可能となっている。これら２箇所の遊技釘の調整により、球通路１０ｂから流出する遊技球に係るゲート入口２８ｃ（ゲート２８）を通過する可能性（ゲート通過率）の微調整が可能となり、ゲート通過率の適正化や安定化を容易に図れるようになる。
【０２７４】
また、本実施例のパチンコ遊技機１では、センター装飾体１０に、矩形状のゲートセンサ２８ａを横向きで収容可能な収容部２８ｂを、その外郭（外側部分）がセンター装飾体１０の前面側に突出するようにして設けるとともに、この収容部２８ｂの外郭の一部にゲート入口２８ｃおよびゲート出口２８ｄを上下一対で設けることにより、ゲート２８を一体成型している。そして、センター装飾体１０の前面側に突出する収容部２８ｂの外郭（外側部分）のうち、ゲートセンサ２８ａの収納部２８ｓ（通過穴２８ｈが設けられない側）の上面を覆う部位（外側上部遊技領域面）を左下方に傾斜した傾斜面２８ｔとし、該傾斜面２８ｔによって、ゲート入口２８ｃを通過しない遊技球を左斜め下方へ誘導するもの（誘導面、球誘導部）としている。このように、矩形状のゲートセンサ２８ａを横向きにして収容部２８ｂに収容する構成とすることで、その収容部２８ｂの外郭（外側部分）を利用して、遊技球を下方へ誘導する誘導面（球誘導部）を形成することが可能となる。これにより、球通路１０ｂから流出した遊技球のうち、ゲート入口２８ｃを通過しない遊技球をゲート入口２８ｃから離れる方向（遠ざかる方向）へ誘導して、ゲート入口２８ｃを通過しようとする遊技球との衝突を回避することが可能となり、この結果、ゲート入口２８ｃ（ゲート２８）への安定した遊技球の通過を実現することが可能となり、また、遊技球の流下態様を多様化することが可能となる。
【０２７５】
また、ゲート２８を構成する収容部２８ｂの外郭（外側部分）を遊技球の誘導面（球誘導部）として利用することで、遊技球を誘導するための遊技釘や通路部材を別途設ける必要がないので、部品点数を減らすことが可能となり、遊技機の製造コスト削減を図ることが可能となる。
【０２７６】
また、本実施例のパチンコ遊技機１では、収容部２８ｂにゲートセンサ２８ａを収容した状態では、該ゲートセンサ２８ａの一側がセンター装飾体１０の裏面側に突出しないものとなっている。これにより、遊技盤裏面側の各種部品の設置スペースを広くすることが可能となる。また、例えば、遊技機の組み立て作業を行うにあたり、収容部２８ｂに収容されたゲートセンサ２８ａが、他の部品に引っ掛かったり衝突したりすることをなくして、センサや部品の破損・故障等を回避することが可能となる。特に、前述のように、遊技盤２やセンター装飾体１０等の盤構成部品を「遊技盤ユニット」と「センター装飾ユニット」とに分けて取り扱う場合、センター装飾ユニットを遊技盤ユニットに取り付けて両者を一体化した後も、収容部２８ｂに収容されたゲートセンサ２８ａが遊技盤２の裏面側に突出することはない。これにより、センター装飾ユニットを遊技盤ユニットに取り付けたり、センター装飾ユニットが取り付けられた遊技盤ユニットを持ち運んだりする際に、ゲートセンサ２８ａが他の部品等に衝突して破損したり故障したりするのを防止することが可能となる。
【０２７７】
また、本実施例のパチンコ遊技機１では、収容部２８ｂの開口部分を塞ぐカバー部材２９を取り付けることが可能となっている。このため、ゲートセンサ２８ａを収容した収容部２８ｂにカバー部材２９を取り付けることで、ゲートセンサ２８ａを覆い隠すことができるので、ゲートセンサ２８ａに対して外部からの衝撃が直接加わらないようにして、破損や故障等が生じ難いようにすることが可能となる。さらに、カバー部材２９には、遊技盤２やセンター装飾体１０の裏面側において各種電気部品の配線を通すことが可能な突出片２９ａ，２９ｂが設けられている。これにより、遊技盤２やセンター装飾体１０の裏面側における電気配線を整然と纏めることが可能となる。尚、前述のように遊技盤２やセンター装飾体１０等を「遊技盤ユニット」と「センター装飾ユニット」とに分けて取り扱うにあたり、カバー部材２９をセンター装飾ユニットに含めることは可能である。
【０２７８】
以上、本発明の実施形態として実施例を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することが可能である。
【０２７９】
例えば、前述の実施例では、センター装飾体１０を、中央が開口した枠状（環状）の樹脂成型物とし、該センター装飾体１０に、球通路１０ｂ、開口１０ｃ、収容部２８ｂ、ゲート入口２８ｃ、ゲート出口２８ｄ等を一体成型で設けていたが、センター装飾体１０の右側部を別部材で構成し、球通路１０ｂ、開口１０ｃ、収容部２８ｂ、ゲート入口２８ｃ、ゲート出口２８ｄ等を一体成型で設けてもよい。すなわち、センター装飾体１０の下部（ステージ部）から上部の通路形成面１０ａの終端にかけての略Ｃ字状の部分を、センター装飾体を構成する一の構成部品とし、残りの球通路１０ｂ（成型物通路）からゲート２８にかけての部分（通路１５１、開口１０ｃ、収容部２８ｂ、ゲート入口２８ｃ、ゲート出口２８ｄ等）を、センター装飾体を構成する他の構成部品としてもよい。この場合、他の構成部品を樹脂成型物として一体成型することが可能である。
【０２８０】
また、前述の実施例では、センター装飾体１０の開口１０ｃに露呈する遊技領域に複数（実施例では１１本）の遊技釘を設け、そのうちの５本の遊技釘１６ａ〜１６ｅによって、球通路１０ｂの球出口近傍の遊技釘通路を構成（形成）していたが、遊技釘通路を構成する遊技釘の本数はこれに限定されるものではなく、適宜増減することが可能である。但し、遊技釘通路を構成する遊技釘のうち、球通路（成型物通路）から流出する遊技球の勢いを抑える役割を担う遊技釘（実施例では遊技釘１６ａ，１６ｂ）については、１本とすることも可能であるが、複数本（２本以上）とするのが望ましい。右打ちにより発射された遊技球の勢いを鑑みると、その勢いを抑えるのには複数本とするのが、より効果的だからである。
【０２８１】
また、前述の実施例では、遊技釘通路（遊技釘１６ａ〜１６ｅ）から流出する遊技球を、遊技釘１６ｈと遊技釘１６ｉとの間を通る第１通路（第１ルート）と、遊技釘１６ｇと遊技釘１６ｈとの間を通る第２通路（第２ルート）と、の何れかに振り分けるものとして説明したが、振り分け先はこれに限定されるものではない。例えば、前述の実施例における２つの通路に加え、遊技釘１６ｉと遊技釘１６ｊとの間を通る通路にも振り分けられる可能性を含めてもよい。この場合、遊技釘１６ｉと遊技釘１６ｊとの間を通る通路は、ゲート入口２８ｃから離れる側に位置するという意味においては、当該通路も第１通路（第１ルート）として捉えることが可能であり、あるいは、遊技釘１６ｈと遊技釘１６ｉとの間の第１通路よりも更にゲート入口２８ｃから離れた通路という意味において、当該通路を第３通路（第３ルート）として捉えることも可能である。
【０２８２】
また、前述の実施例では、遊技釘通路を構成する５本の遊技釘１６ａ〜１６ｅのうち、１本の遊技釘１６ａを調整釘としていたが、例えば、遊技釘１６ａと遊技釘１６ｂの２本を調整釘としたり、これに遊技釘１６ｅを加えた３本を調整釘としたりする等、調整釘を複数本とすることも可能である。同様に、前述の実施例では、遊技釘通路（遊技釘１６ａ〜１６ｅ）から流出する遊技球が通過可能な第１通路および第２通路を構成する３本の遊技釘１６ｇ〜１６ｉのうち、１本の遊技釘１６ｈを調整釘としていたが、例えば、遊技釘１６ｈと遊技釘１６ｉの２本を調整釘としたり、これに遊技釘１６ｇを加えた３本を調整釘としたりする等、調整釘を複数本とすることも可能である。但し、球通路１０ｂから流出する遊技球の振分率やゲート通過率等の調整を効率よく（簡便に）行うことに鑑みると、前述した実施例のように、少なくとも「遊技釘通路の遊技釘１６ａ」と「第１通路および第２通路の遊技釘１６ｈ」の２本を調整釘とするのが望ましい。これより多い本数の調整釘を設けると、球通路１０ｂから流出する遊技球の振分率やゲート通過率等の調整が却って煩雑となるからである。
【０２８３】
また、前述の実施例では、球通路１０ｂから流出する遊技球が流下する先（球通路１０ｂの下方）に、遊技球を受入可能なゲート入口２８ｃ（球受口）と、該ゲート入口２８を通過した遊技球を遊技領域に放出するゲード出口２８ｄ（球出口）と、を含んで構成されるゲート２８を設けていたが、該ゲート２８に代えて、ゲート式ではない入球口を設けることとしてもよい。すなわち、球受口を通過した遊技球を遊技領域に放出せず遊技盤裏側（遊技機外）に排出するものとしてもよい。
【０２８４】
また、前述の実施例における変動演出や予告演出等の遊技演出に関し、演出図柄８の色によってチャンス目（特殊表示）を構成するものとしていたが、チャンス目の態様はこれに限定されるものではない。例えば、演出図柄８を構成する各図柄（例えば「１」〜「９」の各図柄）にキャラクタが付されている場合、そのキャラクタの種類によって外れ態様（チャンス目）を分類可能として、３つの演出図柄８Ｌ，８Ｃ，８Ｒの夫々に付されたキャラクタの組み合わせにより、チャンス目を構成するようにしてもよい。つまり、遊技者がチャンス目として認識可能な法則性を有するのであれば、そのチャンス目の態様は問わない。
【０２８５】
また、前述の実施例では、リーチ外れ変動演出の終了に伴う演出図柄８の確定停止や、ＳＰリーチにて同色発展を行わない場合の演出図柄８の仮停止において、演出図柄８が「同色リーチ外れ目」（チャンス目を構成する態様）で停止表示するのを回避するための一手法として、停止演出図柄の設定に際し、第３停止図柄のコマ数を＋１（または−１）することとしていた。このような「同色リーチ外れ目」を回避するための調整用のコマ数は実施例に限定されるものではなく、「同色リーチ外れ目」を回避できるコマ数であれば、そのコマ数は問わない。
【０２８６】
また、リーチ外れ目で停止表示する演出図柄８（停止演出図柄）が「同色リーチ外れ目」を構成することとなってしまう場合に、第３停止図柄として、その場合にのみ用いる専用の停止図柄を設定して、同色リーチ外れ目の停止表示を回避（制限）することとしてもよい。つまり、第３停止図柄を、普段は表示（使用）することのない他の専用停止図柄に差し替えるように構成してもよい。専用停止図柄としては、例えば、数字図柄よりもサイズの小さい「星印」や「米印」等、数字図柄と組み合わせて表示しても何の意味もなさない図柄（所謂「ブランク図柄」）が例示できる。これによっても、演出図柄８が「同色リーチ外れ目」（チャンス目を構成する態様）で停止表示するのを回避することが可能となる。
【０２８７】
また、前述の実施例では、ＳＰリーチの変動演出パターンに基づく変動演出として、リーチ成立後、３つの演出図柄８Ｌ，８Ｃ，８Ｒが外れ態様（リーチ外れ目）で仮停止した後、中演出図柄８Ｃが変動表示を再開して、当該変動表示中に発展演出を実行し、その後、３つの演出図柄８Ｌ，８Ｃ，８Ｒを当否判定の結果に応じた態様で確定停止するものを例示した。すなわち、前述の実施例１，２では、ＳＰリーチにおける仮停止の実行回数を１回とし、これに伴う発展演出の実行回数も１回としていた。これら仮停止や発展演出の実行回数は、前述した実施例に限定されるものではなく、変動演出パターンに応じて様々な回数を定めることも可能である。例えば、ＳＰリーチの種類によって、仮停止の回数を異ならせてもよく、この場合、仮停止や発展演出の実行回数が多いほど、大当り期待度が高まっていく演出内容とすることが可能である。
【０２８８】
また、前述の実施例では、ＳＰリーチの変動演出パターンに基づく変動演出にて、３つの演出図柄８Ｌ，８Ｃ，８Ｒが外れ態様（リーチ外れ目）で仮停止した後、中演出図柄８Ｃが変動表示を再開するものとしていたが、３つの演出図柄８Ｌ，８Ｃ，８Ｒすべてが変動表示を再開するようにしてもよい。この場合、再変動後に停止表示する３つの演出図柄８Ｌ，８Ｃ，８Ｒの各停止図柄（停止演出図柄）については、前述の停止演出図柄設定処理にて変動演出開始の際に設定した停止図柄を再度停止表示したり、前述の停止演出図柄設定処理の要領で再度の停止表示に係る停止図柄を改めて設定したりすることが可能である。
【０２８９】
また、前述の実施例では、特別図柄の変動パターンを「Ｐ１〜Ｐ２２」とし、そのうち、変動時間が３００００ｍｓ以上の変動パターン（Ｐ１〜Ｐ６，Ｐ８〜Ｐ１０，Ｐ１２〜Ｐ１７，Ｐ１９〜Ｐ２１）について、リーチ演出が実行され得るものとしていたが、リーチ演出が実行され得る特図変動時間は実施例に限定されるものではなく、また、リーチ演出が実行され得る特図変動パターン（変動時間）の種類・数や、リーチ演出を伴う変動演出パターンの種類・数等も、実施例に限定されるものではない。
【０２９０】
また、前述の実施例では、演出図柄８を「１」〜「９」の数字図柄とし、そのうち、「３」「７」を赤図柄、「１」「５」「９」を緑図柄、「２」「４」「６」「８」を青図柄としていたが、図柄色はこれに限定されるものではなく、また、色の数も３色に限定されるものではなく、２色であっても、４色以上であってもよい。要するに、チャンス目（特殊表示）を構成し得る図柄色の態様を採ることが可能であれば、その色の数や種類等は問わない。
【０２９１】
また、前述の実施例では、「１」〜「９」の数字図柄を昇順で並べた場合、色の並びが「１」から順に「緑（１）」「青（２）」「赤（３）」「青（４）」「緑（５）」「青（６）」「赤（７）」「青（８）」「緑（９）」となるように構成していた。すなわち、スクロール表示順で連続する「９」と「１」の並びだけ同じ色（緑）が連続するものとなっており、その他の並びは同じ色が連続しないものとなっていた。つまり、前述の実施例では、同じ色が連続する箇所を「９」と「１」の１箇所としていた。この点、同じ色が連続する箇所は１箇所に限定されるものではなく、全部の図柄が同じ色で連続しない限り、２箇所以上存在していてもよい。
【０２９２】
また、前述の実施例では、始動入球に基づく事前判定について、特図保留記憶部に記憶した最新の取得乱数値（取得情報）を読み出して、当該読み出した取得乱数値（取得情報）を判定(事前判定)するものとしていたが（「始動入球時処理（S205）」。図１１、図１３等を参照）、事前判定の手法はこれに限定されるものではない。例えば、特図保留記憶部に加え、事前判定の対象となる取得情報（つまり、始動入球に基づいて取得された取得情報）を記憶する領域（取得情報記憶手段）を主制御部やサブ制御部のＲＡＭに設け、当該記憶領域（事前判定用記憶部）に記憶した取得情報を判定(事前判定)するものとしてもよい。この場合、事前判定の結果を主制御部やサブ制御部のＲＡＭに記憶することで、事前判定に用いた取得情報（別の記憶領域に記憶した取得情報）を消去することも可能である。
【０２９３】
また、前述の実施例では、第２特図保留を第１特図保留に優先して消化する制御処理、所謂特図２優先消化の制御処理としたが、これに限らず、第１特図保留を第２特図保留に優先して消化する制御処理、所謂特図１優先消化の制御処理としてもよい。また、第１特図保留の消化と第２特図保留の消化とに優先順位を設定せず、第１特図保留と第２特図保留のうち、最も古く記憶されたものから順に消化する制御処理、所謂入球順（記憶順）消化の制御処理としてもよい。また、第１特図保留の消化と第２特図保留の消化とを並行して実行可能な制御処理としてもよい。
【０２９４】
また、前述の実施例では、大当り図柄の種類に基づいて確率変動機能を作動させるか否かを決定する１種タイプのパチンコ遊技機に本発明を適用したものを例示したが、本発明はこれに限定されるものではない。例えば、大入賞口（Ｖアタッカー）に確変作動口としての特定領域（Ｖ領域）を備え、大当り遊技中に遊技球が特定領域を通過（Ｖ通過）したか否かに基づいて確率変動機能を作動させるか否かを決定する１種タイプのパチンコ遊技機（所謂「Ｖ確機」）にも本発明を適用することが可能である。あるいは、特別図柄当否判定の結果が小当りとなることで入球可能となる大入賞口に特定領域（Ｖ領域）を備え、小当り遊技の際にその大入賞口に入球した遊技球が特定領域を通過（Ｖ通過）すると大当りとなり、当該Ｖ通過に基づき大当り遊技が実行される１種２種タイプのパチンコ遊技機にも本発明を適用することも可能である。
【０２９５】
さらに、前述の実施例において、演出制御用マイコン９１（サブ制御部９０）が行う演出制御処理のうち、停止図柄演出処理（S4506）について、実施例と異なる態様を採ることが可能である。以下、停止図柄演出処理の別例について、実施例と異なる点を中心に説明する。尚、本別例に関し、演出図柄８の大当り態様と大当り種別との対応関係は、次のように定められるものとする。すなわち、前述した実施例では、６Ｒ第２大当りおよびＲＵＢに対応する大当り態様を「１１１」「３３３」「５５５」「９９９」の何れかのゾロ目（「７」以外の奇数図柄のゾロ目）としており、６Ｒ第３〜第５大当りおよび１６Ｒ第１１大当りに対応する大当り態様を「２２２」「４４４」「６６６」「８８８」の何れかのゾロ目（偶数図柄のゾロ目）としていた。つまり、１６Ｒ第１大当りおよび２Ｒ第１０大当り以外の確変大当りを「７」以外の「奇数図柄」のゾロ目とし、２Ｒ第１２大当り以外の通常大当り（非確変大当り）を「偶数図柄」のゾロ目としていた。これに対し、本別例においては、６Ｒ第２〜第５大当り、ＲＵＢおよび１６Ｒ第１１大当りに対応する演出図柄８の大当り態様を、「７」以外の奇数図柄または偶数図柄のゾロ目とする。つまり、６Ｒ第２〜第５大当り、ＲＵＢおよび１６Ｒ第１１大当りについては、大当り種別（確変大当り、通常大当り）に関係なく、「７」以外の図柄（「１」〜「６」、「８」、「９」の何れか）のゾロ目を、演出図柄８の大当り態様とする。
【０２９６】
［停止図柄演出処理の別例］
図５３，５４は、本別例に係る停止演出図柄設定処理（S5506）を示すフローチャートである。図５３は、前述した実施例の図４４に置き換わるものであり、図５４は、前述した実施例の図４５に置き換わるものである。尚、前述した実施例の停止演出図柄設定処理（S4506）のうち、図４６に示した処理（リーチ無し外れ変動演出の場合の処理）については、本別例においても共通している。
【０２９７】
本別例の停止演出図柄設定処理（S5506）では、まず、今回の変動演出が大当り変動演出であるか否かを判定するが（S5601）、S5601〜S5604の処理は前述した実施例のS4602〜S4604と同様であるため、説明を省略する。そして、S5603にて、今回の大当り変動演出に係る変動態様（変動演出パターン）がＳＰリーチであると判定した場合（S5603でYES）、当該変動演出にて発展演出に移行する前に仮停止表示する第３停止図柄（中演出図柄８Ｃ）を、リーチ図柄に対して「＋１コマ」の図柄とするか否か、すなわち、演出図柄８の仮停止表示態様を「中図柄＋１コマのリーチ外れ目」とするか否かを判定する（S5605）。
【０２９８】
ここで、本別例では、ＳＰリーチにて発展演出前に仮停止する演出図柄８の態様（図柄組み合わせ）を、リーチ図柄の種類に関係なく、リーチ図柄に対して「＋１コマ」または「−１コマ」の図柄になることとしている。したがって、「中図柄＋１コマのリーチ外れ目」とは、例えば、「１２１」や「４５４」や「９１９」など、リーチ図柄を構成する左演出図柄８Ｌ（第１停止図柄）および右演出図柄８Ｒ（第２停止図柄）に対して、中演出図柄８Ｃがスクロール表示順（昇順）で１コマ先の図柄となる外れ態様をいう。また、本別例では「中図柄−１コマのリーチ外れ目」も存在するが、これは、例えば、「２１２」や「４３４」や「１９１」など、リーチ図柄を構成する左演出図柄８Ｌ（第１停止図柄）および右演出図柄８Ｒ（第２停止図柄）に対して、中演出図柄８Ｃがスクロール表示順（昇順）で１コマ手前の図柄となる外れ態様をいう。尚、「中図柄＋１コマのリーチ外れ目」のことを「＋１コマリーチ外れ目」ともいい、「中図柄−１コマのリーチ外れ目」のことを「−１コマリーチ外れ目」ともいう。
【０２９９】
S5605の判定は、前述のS4505（図４３を参照）にて設定された変動演出パターンに基づいて行うもので、「＋１コマリーチ外れ目」で演出図柄８を仮停止するＳＰリーチの変動演出パターンが設定されている場合には、S5605の判定結果は肯定判定となり、「−１コマリーチ外れ目」で演出図柄８を仮停止するＳＰリーチの変動演出パターンが設定されている場合には、S5605の判定結果は否定判定となる。つまり、ＳＰリーチに係る変動演出パターンとして、発展演出前の仮停止を「＋１コマリーチ外れ目」とするパターンと、「−１コマリーチ外れ目」とするパターンとが予め設けられており、どのパターンが前述のS4505にて設定されるかによって、仮停止する演出図柄８の態様が決まるものとなっている。
【０３００】
そして、S5605にて、演出図柄８の仮停止表示態様を「＋１コマリーチ外れ目」とすると判定した場合は（S5605でYES）、仮停止用の第３停止図柄として、リーチ図柄に対して「＋１コマ」の図柄を設定する（S5606）。例えば、リーチ図柄が「１」であれば「２」を設定し、リーチ図柄が「５」であれば「６」を設定し、リーチ図柄が「９」であれば「１」を設定する。一方、演出図柄８の仮停止表示態様を「＋１コマリーチ外れ目」としないと判定した場合（S5605でNO）、すなわち、「−１コマリーチ外れ目」とする場合は、仮停止用の第３停止図柄として、リーチ図柄に対して「−１コマ」の図柄を設定する（S5607）。例えば、リーチ図柄が「２」であれば「１」を設定し、リーチ図柄が「５」であれば「４」を設定し、リーチ図柄が「１」であれば「９」を設定する。尚、リーチ図柄が「１」または「９」である場合には、「１９１」や「９１９」の緑図柄による「同色リーチ外れ目」、すなわち「発展チャンス目」で演出図柄８が仮停止することとなる。
【０３０１】
次いで、S5608にて、発展演出実行後の確定停止用の第３停止図柄として、今回の変動演出に係る大当り種別に対応した大当り態様を構成する図柄を設定し（S5608）、本処理を終える。S5608の処理は、前述した実施例のS4610と同様である。
【０３０２】
一方、前述のS5601にて、今回の変動演出が大当り変動演出でないと判定した場合（S5601でNO）、すなわち、外れ変動演出である場合、当該外れ変動演出がリーチ有りの変動演出（リーチ外れ変動演出）であるか否かを判定し（S5609）、そうでなければ（S5609でNO）、図４６に示したS4625以降の処理に移行し、そうであれば（S5609でYES）、当該外れリーチ変動演出にて停止表示（仮停止、確定停止）する演出図柄８の表示態様を、第３停止図柄（中演出図柄８Ｃ）が、リーチ図柄（左演出図柄８Ｌ、右演出図柄８Ｒ）に対して「＋１コマ」の図柄となる「＋１コマリーチ外れ目」とするか、リーチ図柄に対して「−１コマ」の図柄となる「−１コマリーチ外れ目」とするかを判定する（S5610,S5614）。
【０３０３】
ここで、S5610およびS5614の判定は、前述のS4505（図４３を参照）にて設定された変動演出パターンに基づいて行うものとなっている。本別例では、外れリーチＡ〜Ｃや外れＳＰリーチＡ〜Ｃの変動演出パターンに基づく変動演出（外れリーチ変動演出）で確定停止し得る演出図柄８の外れ態様として、「＋１コマリーチ外れ目」と、「−１コマリーチ外れ目」と、それ以外のリーチ外れ目（±２〜７コマリーチ外れ目）と、が設けられており、これらのうち何れのリーチ外れ目（リーチ外れ態様）で演出図柄８を停止表示するのかが、前述のS4505で設定される外れリーチ変動演出に係る変動演出パターンに応じて定まるものとなっているからである。そして、「＋１コマリーチ外れ目」と「−１コマリーチ外れ目」については、外れリーチ（ノーマルリーチ）よりも外れＳＰリーチの方が選択されやすいもの（選択率：高）となっている。尚、外れＳＰリーチにおいて発展演出の前に仮停止する演出図柄８の表示態様（図柄組み合わせ、出目）は、確定停止と同じ態様を採ることとしている。また、「±２〜７コマリーチ外れ目」とは、第３停止図柄（中演出図柄８Ｃ）が、リーチ図柄（左演出図柄８Ｌおよび右演出図柄８Ｒ）に対して、スクロール表示順（昇順）で、「２〜７コマ」先の図柄となるリーチ外れ目や、「２〜７コマ」手前の図柄となるリーチ外れ目のことをいう。
【０３０４】
S5610にて、今回のリーチ外れ変動演出にて停止表示（仮停止、確定停止）する演出図柄８の表示態様を「＋１コマリーチ外れ目」とすると判定した場合（S5610でYES）、図示しない第１リーチ図柄決定テーブルをセットし（S5611）、当該テーブルと、S4501で取得したリーチ図柄決定用乱数とに基づいてリーチ図柄を選択し、これを設定する（S5612）。ここで、演出図柄８を構成する「１」〜「９」の数字図柄の色の並びは、前述したように、「１」から順に「緑（１）」「青（２）」「赤（３）」「青（４）」「緑（５）」「青（６）」「赤（７）」「青（８）」「緑（９）」となっている。つまり、スクロール表示順で連続する「９」と「１」の並びを除いて、同じ色が連続する並びとはなっていない。換言すると、「９」と「１」の並びは同じ色（緑色）が連続する並びとなっている。このため、リーチ外れ変動演出にて、仮に、演出図柄８を「＋１コマリーチ外れ目」で停止表示する場合、リーチ図柄が「９」であると、第３停止図柄（中演出図柄８Ｃ）は「１」となり、停止表示する３つの演出図柄８Ｌ，８Ｃ，８Ｒ（停止演出図柄）は、すべて緑色の「同色リーチ外れ目」となってしまう。これでは、３つの図柄の色がすべて同じとなるチャンス目予告でのチャンス目（同色外れ目）と同じ態様（チャンス目を構成する態様）となってしまい、チャンス目予告でないにもかかわらず「同色外れ目」が出現することとなってしまう。
【０３０５】
そこで、本別例では、リーチ図柄として設定可能な図柄種として「９」を除いた図柄種（「１」〜「８」）を規定したリーチ図柄決定テーブル（第１リーチ図柄決定テーブル）を設けている。この第１リーチ図柄決定テーブルをS5611でセットすることにより、S5612では、リーチ図柄として「９」が設定されることはなくなり（リーチ図柄として「９」の設定は制限され）、この場合のリーチ図柄は「１」〜「８」の何れかとなる（S5612）。このように、S5611で第１リーチ図柄決定テーブルをセットすることにより、演出図柄８の停止演出図柄として設定可能な図柄種から、発展チャンス目（同色リーチ外れ目）を構成する図柄種を除くことが可能となり、演出図柄８が発展チャンス目（同色リーチ外れ目）で仮停止することを制限することが可能となる。
【０３０６】
次いで、S5613にて、S5612で設定したリーチ図柄に対して「＋１コマ」となる図柄を、第３停止図柄として設定し（S5613）、本処理を終える。これにより、当該外れ変動演出にて仮停止や確定停止により停止表示する演出図柄８の表示態様は、リーチ図柄（左演出図柄８Ｌおよび右演出図柄８Ｒ）に対して中演出図柄８Ｃが１コマ先の図柄となる「＋１コマ色違いリーチ外れ目」となる。具体的には、「１２１（緑青緑）」「２３２（青赤青）」「３４３（赤青赤）」「４５４（青緑青）」「５６５（緑青緑）」「６７６（青赤青）」「７８７（赤青赤）」「８９８（青緑青）」の何れかとなる。つまり、チャンス目を構成する態様である「同色リーチ外れ目」の設定やその停止表示（仮停止、確定停止）が制限されることとなる。
【０３０７】
一方、S5610にて、今回のリーチ外れ変動演出にて停止表示（仮停止、確定停止）するする演出図柄８の表示態様を「＋１コマリーチ外れ目」としないと判定した場合（S5610でNO）、「−１コマリーチ外れ目」とするか否かを判定する（S5614）。そして、「−１コマリーチ外れ目」とすると判定した場合（S5614でYES）、図示しない第２リーチ図柄決定テーブルをセットし（S5615）、当該テーブルと、S4501で取得したリーチ図柄決定用乱数とに基づいてリーチ図柄を選択し、これを設定する（S5616）。ここで、第２リーチ図柄決定テーブルとは、前述した第１リーチ図柄決定テーブルと同様の趣旨、すなわち、演出図柄８を「同色リーチ外れ目」で停止表示するのを回避すべく、リーチ図柄として設定可能な図柄種を規定したものである。具体的には、第２リーチ図柄決定テーブルでは、リーチ図柄として設定可能な図柄種として「１」を除いた図柄種（「２」〜「９」）を規定している。この第２リーチ図柄決定テーブルをS5615でセットすることにより、S5616では、リーチ図柄として「１」が設定されることはなくなり（リーチ図柄として「１」の設定は制限され）、この場合のリーチ図柄は「２」〜「９」の何れかとなる（S5616）。このように、S5615で第２リーチ図柄決定テーブルをセットすることにより、演出図柄８の停止演出図柄として設定可能な図柄種から、発展チャンス目（同色リーチ外れ目）を構成する図柄種を除くことが可能となり、演出図柄８が発展チャンス目（同色リーチ外れ目）で仮停止することを制限することが可能となる。
【０３０８】
次いで、S5617にて、S5616で設定したリーチ図柄に対して「−１コマ」となる図柄を、第３停止図柄として設定し（S5617）、本処理を終える。これにより、当該外れ変動演出にて仮停止や確定停止により停止表示する演出図柄８の表示態様は、リーチ図柄（左演出図柄８Ｌおよび右演出図柄８Ｒ）に対して中演出図柄８Ｃが１コマ手前の図柄となる「−１コマ色違いリーチ外れ目」となる。具体的には、「２１２（青緑青）」「３２３（赤青赤）」「４３４（青赤青）」「５４５（緑青緑）」「６５６（青緑青）」「７６７（赤青赤）」「８７８（青赤青）」「９８９（緑青緑）」の何れかとなる。つまり、チャンス目を構成する態様である「同色リーチ外れ目」の設定やその停止表示（仮停止、確定停止）が制限されることとなる。
【０３０９】
これに対して、S5614にて、今回のリーチ外れ変動演出にて停止表示（仮停止、確定停止）する演出図柄８の表示態様を、「−１コマリーチ外れ目」としないと判定した場合（S5614でNO）、今回のリーチ外れ変動演出で停止表示（仮停止、確定停止）する演出図柄８の表示態様は「±２〜７コマリーチ外れ目」ということになる。この場合、S5618にて、図示しない第３リーチ図柄決定テーブルをセットし（S5618）、当該テーブルと、S4501で取得したリーチ図柄決定用乱数とに基づいてリーチ図柄を選択し、これを設定する（S5619）。ここで、第３リーチ図柄決定テーブルとは、リーチ図柄として設定可能な図柄種を「１」〜「９」として規定したものである。つまり、第３リーチ図柄決定テーブルは、リーチ図柄の図柄種が制限されない場合に用いるテーブルである。
【０３１０】
次いで、S5620にて、S5619で設定したリーチ図柄に対して「±２〜７コマ」となる図柄を、第３停止図柄として設定する（S5620）。この「±２〜７コマ」となる図柄の選択は、前述のS4505にて設定された変動演出パターン（ここでは外れリーチ変動演出パターン）や、図示しない第３停止図柄決定テーブル等に基づいて行うことができる。次いで、S5621では、S5619で設定したリーチ図柄（左演出図柄８Ｌと右演出図柄８Ｒ）と、およびS5620で設定した第３停止図柄（中演出図柄８Ｃ）が、すべて同じ色の図柄であるか否か、すなわち「同色リーチ外れ目」であるか否かを判定する（S5621）。
【０３１１】
ここで、リーチ図柄が「１」〜「９」の何れかであって、当該リーチ図柄に対して「±２〜７コマ」の第３停止図柄が設定される場合、当該リーチ外れ変動演出にて停止表示（仮停止、確定停止）する演出図柄８の表示態様は、例えば「１８１（緑青緑）」や「２７２（青赤青）」等の「色違いリーチ外れ目」となるか、「２４２（青青青）」や「３７３（赤赤赤）」等の「同色リーチ外れ目」となるが、この場合の「同色リーチ外れ目」については、「１９１」および「９１９」以外の「同色リーチ外れ目」となる。「１９１」および「９１９」の「同色リーチ外れ目」が除かれるのは、リーチ図柄が「１」である場合、当該リーチ図柄に対して「±２〜７コマ」の第３停止図柄が「９」となることはなく、リーチ図柄が「９」である場合、当該リーチ図柄に対して「±２〜７コマ」の第３停止図柄が「１」となることはないからである。一方、例えば、リーチ図柄が「１」または「９」である場合、第３停止図柄が「５」となる可能性があるため、この場合、「１５１（緑緑緑）」や「９５９（緑緑緑）」の「同色リーチ外れ目」となり得る。
【０３１２】
S5621にて、「同色リーチ外れ目」でない（「色違いリーチ目」である）と判定した場合（S5621でNO）、本処理を終え、「同色リーチ外れ目」であると判定した場合（S5621でYES）、今回のリーチ外れ変動演出に係る変動演出パターンがＳＰリーチ（外れＳＰリーチ）であるか否かを判定する（S5622）。そして、ＳＰリーチでなければ（S5622でNO）、S5620で設定した第３停止図柄を、当該図柄に対して「＋１コマ」の図柄に変更して（S5623）、本処理を終える。S5623の処理により、演出図柄８の停止演出図柄として設定可能な図柄種から、発展チャンス目（同色リーチ外れ目）を構成する図柄種を除くことが可能となり、演出図柄８が発展チャンス目（同色リーチ外れ目）で停止表示（仮停止、確定停止）することを制限することが可能となる。その結果、演出図柄８は「色違いリーチ外れ目」で停止表示（仮停止、確定停止）することとなる。
【０３１３】
一方、S5622にてＳＰリーチであると判定した場合（S5622でYES）、当該スーパーリーチ演出の中で発展演出実行後の確定停止用の第３停止図柄として、S5620で設定した第３停止図柄に対して「＋１コマ」の図柄を設定して（S5624）、本処理を終了する。つまり、当該スーパーリーチ演出における発展演出実行前（移行前）の仮停止用の第３停止図柄は、S5620で設定した図柄とし、発展演出実行後の確定停止用の第３停止図柄は、S5620で設定した第３停止図柄に対して「＋１コマ」の図柄とする。これにより、前述した実施例１と同様に、発展チャンス目（同色リーチ外れ目）の仮停止を経て発展演出へと移行する同色発展が行われ、発展演出後は、演出図柄８が「色違いリーチ外れ目」で確定停止することとなる。S5624の処理により、演出図柄８の確定停止用の停止演出図柄として設定可能な図柄種から、発展チャンス目（同色リーチ外れ目）を構成する図柄種を除くことが可能となり、演出図柄８が発展チャンス目（同色リーチ外れ目）で確定停止することを制限することが可能となる。
【０３１４】
以上の本別例に係る停止演出図柄設定処理（S5506）を行う場合においても、前述した実施例と同様の演出制御に係る作用効果を奏することが可能であるが、本別例では、外れリーチパターンに基づく変動演出（リーチ外れ変動演出）が行われる場合であって、当該リーチ外れ変動演出にて演出図柄８を「＋１コマリーチ外れ目」または「−１コマリーチ外れ目」で停止表示（仮停止、確定停止）する場合のリーチ図柄の選択（設定）に際し、「同色リーチ外れ目」（チャンス目）を構成し得るリーチ図柄種（本別例では「１」または「９」）を予め排除したリーチ図柄決定テーブル（第１リーチ図柄決定テーブル、第２リーチ図柄決定テーブル）を使用することで、当該リーチ外れ変動演出にて演出図柄８がチャンス目（同色リーチ外れ目）を構成する態様で停止表示（仮停止、確定停止）するのを回避するものとしている。このように、チャンス目を構成し得るリーチ図柄種を予め排除したリーチ図柄決定テーブルを用いることで、チャンス目を構成する態様による演出図柄８の確定停止表示がチャンス目予告と無関係に（意味なく）出現しないようにすることの確実性を増すことが可能となる。
【０３１５】
また、本別例においても、前述した実施例と同様に、外れＳＰリーチの変動演出パターンに基づく変動演出において、発展演出の実行前に演出図柄８が「同色リーチ外れ目」、すなわち「発展チャンス目」で仮停止し得るものとなっており、「発展チャンス目」の仮停止後に、発展演出が行われるものとなっている（S5621，S5622，S5624を参照）。これに加え、本別例では、リーチ外れ変動演出で仮停止し得る「同色リーチ外れ目」からは、「１９１」および「９１９」の「同色リーチ外れ目」が除かれている。一方、大当りＳＰリーチの変動演出パターンに基づく変動演出では、リーチ図柄が「１」または「９」である場合に、「１９１」や「９１９」の緑図柄による「同色リーチ外れ目」（発展チャンス目）で演出図柄８が仮停止するものとなっている。このため、本別例では、演出図柄８の変動表示（変動演出）の開始後、左演出図柄８Ｌおよび右演出図柄８Ｒにより「１」または「９」の図柄種でリーチ成立となった場合、その時点で大当り確定となり、その後に仮停止する「１９１」または「９１９」の同色リーチ外れ目は「大当り確定の同色リーチ外れ目」ということになる。これにより、本別例においても、チャンス目を構成する態様による演出図柄８の確定停止表示がチャンス目予告と無関係に（意味なく）出現することを防ぎつつ、特定の図柄種によるリーチ成立や同色リーチ外れ目に、発展演出確定や大当り確定といった意味合いを付加することが可能となり、チャンス目演出のバリエーションを増やすことが可能となる。
【０３１６】
［その他］
以下、本明細書で開示した実施形態（実施例）に関連する発明を参考発明として開示しておく。
【０３１７】
（参考発明１）
従来、パチンコ遊技機等の遊技機は、遊技球が流下可能な遊技領域を表面（盤面）に形成してなる遊技盤を備えている。遊技領域には、入賞口やゲート等、遊技球が入球可能な種々の入球口が設けられるとともに、複数の遊技釘が設けられている。遊技領域に向けて発射された遊技球は、遊技釘に衝突しながら遊技領域を流下していくことで、その流下する方向や勢い（速度）に変化が与えられる。また、所謂「センター役物」や「センターフレーム」と呼ばれる枠状の装飾部材を備えるとともに、その枠状装飾部材の中央開口を介して表示内容が視認可能となる演出表示装置を備えたものも多く存在する。この種の遊技機は、最近では、演出表示装置（表示面）の大型化が進み、これに伴って枠状装飾部材も大型化し、その結果、遊技領域が狭く（小さく）なっている。そこで、枠状装飾部材の外縁の一部に遊技球が流下可能な遊技球通路を形成することで、演出表示装置等の大型化に対応している（例えば、特開２０１２−６１０５２号公報）。
【０３１８】
しかしながら、枠状装飾部材に形成される遊技球通路には、その通路幅の関係上、遊技釘が設けられないのが一般的である。このため、遊技球通路から流出する遊技球の流れを安定させることが難しいという問題があった。本発明は、上記事情に鑑みてなされたものであり、その目的とするところは、遊技球通路から流出する遊技球の流れの安定化を図ることが可能な遊技機を提供することにある。
【０３１９】
前述した課題を解決するための参考発明１−１の遊技機は、
遊技球が流下可能な遊技領域を表面に形成してなる遊技盤を備えた遊技機であって、
前記遊技領域には、遊技球が通過可能な通路として、樹脂成型物で構成された成型物通路と、遊技釘で構成された遊技釘通路と、が設けられ、
前記遊技釘通路は、前記成型物通路の球出口近傍であって、前記成型物通路から流出する全ての遊技球が通過する位置に設けられ、
前記遊技釘通路を構成する遊技釘の少なくとも一部を、前記遊技釘通路から流出する遊技球の流出方向を調整可能な調整釘としたことを特徴とするものである。
【０３２０】
このような遊技機によれば、遊技領域（遊技盤面）に、樹脂成型物で構成された成型物通路と、遊技釘で構成された遊技釘通路と、が設けられており、遊技釘通路は、成型物通路の球出口近傍であって成型物通路から流出する全ての遊技球が通過する位置に設けられている。そして、遊技釘通路を構成する遊技釘の少なくとも一部が、遊技釘通路から流出する遊技球の流出方向を調整可能な調整釘となっている。この調整釘の存在により、遊技釘通路から流出する遊技球、すなわち、成型物通路から流出した遊技球の流れを任意に調整することが可能となり、延いては、成型物通路から流出する遊技球の流れの安定化を図ることが可能となる。
【０３２１】
また、参考発明１−２の遊技機は、参考発明１−１の遊技機において、
前記成型物通路と前記遊技釘通路との間隔は、遊技球の直径よりも短いことを特徴とするものである。
【０３２２】
このような遊技機によれば、成型物通路と遊技釘通路との間隔が、遊技球の直径よりも短いものとなっている。これにより、成型物通路から流出する遊技球は必ず遊技釘通路を通過することとなるため、成型物通路から流出する遊技球の流れの安定化が図りやすくなる。
【０３２３】
また、参考発明１−３の遊技機は、参考発明１−１又は参考発明１−２の遊技機において、
前記成型物通路および前記遊技釘通路の通路幅は、遊技球の直径の２倍より短いことを特徴とするものである。
【０３２４】
このような遊技機によれば、成型物通路の通路幅と遊技釘通路の通路幅が、それぞれ遊技球の直径の２倍より短いものとなっている。このため、成型物通路および遊技釘通路を通過する遊技球は、成型物通路に進入した順で通過して、１個ずつ通路から流出することとなる。これにより、成型物通路から流出する遊技球の流れの安定化が図りやすくなる。
【０３２５】
また、参考発明１−４の遊技機は、参考発明１−１乃至参考発明１−３の何れか一つの遊技機において、
前記遊技釘通路から流出する遊技球は、所定の第１通路または第２通路に振り分けられ、
前記調整釘を調整することで、前記遊技釘通路から流出する遊技球の前記第１通路と前記第２通路への振分割合を変化可能であることを特徴とするものである。
【０３２６】
参考発明１−４の遊技機では、遊技釘通路から流出する遊技球は、所定の第１通路または第２通路に振り分けられるものとなっており、遊技釘通路を構成する遊技釘の少なくとも一部である調整釘を調整することで、遊技釘通路から流出する遊技球の第１通路と第２通路への振分割合を変化可能となっている。これにより、成型物通路から流出する遊技球を、遊技釘通路を介して、第１通路または第２通路に安定的に振り分けることが可能となる。
【０３２７】
また、参考発明１−５の遊技機は、参考発明１−４の遊技機において、
前記第１通路および前記第２通路は複数の遊技釘で形成され、該複数の遊技釘の少なくとも一部の遊技釘を、前記第１通路および前記第２通路の通路幅を調整可能な調整釘としたことを特徴とするものである。
【０３２８】
このような遊技機によれば、第１通路および第２通路が複数の遊技釘で形成され、該複数の遊技釘の少なくとも一部の遊技釘が、第１通路および第２通路の通路幅を調整可能な調整釘となっている。これにより、遊技釘通路から流出して第１通路または第２通路に振り分けられる遊技球が、その先の第１通路または第２通路を通過し易くなるのか通過し難くなるのかを、任意に調整することが可能となる。
【０３２９】
また、参考発明１−６の遊技機は、参考発明１−４又は参考発明１−５の遊技機において、
前記遊技釘通路から流出した遊技球が通過可能な球受口を備え、
前記第１通路を通過した遊技球は前記球受口を通過不能であり、前記第２通路を通過した遊技球が前記球受口を通過可能であることを特徴とするものである。
【０３３０】
このような遊技機によれば、遊技釘通路から流出した遊技球が通過可能な球受口を備え、遊技釘通路から流出した遊技球のうち、第１通路を通過した遊技球は球受口を通過しないものとなっており、第２通路を通過した遊技球が球受口を通過し得るものとなっている。これにより、成型物通路から流出する遊技球が球受口を通過する割合（通過率）の適正化とともに、その安定化を図ることが可能となる。
【０３３１】
また、参考発明１−７の遊技機は、参考発明１−６の遊技機において、
前記遊技盤に取り付けられる特定部材を備え、
前記成型物通路および前記球受口は、前記特定部材に一体成型されており、
前記特定部材における前記成型物通路の球出口と前記球受口との間には、前記遊技盤の表面を露呈して該露呈した箇所に遊技釘を配設可能とする開口が設けられ、
前記開口内に、前記遊技釘通路と、前記第１通路および前記第２通路が設けられることを特徴とするものである。
【０３３２】
このような遊技機によれば、成型物通路および球受口が、遊技盤に取り付けられる特定部材に一体成型されている。また、特定部材における成型物通路の球出口と球受口との間には、遊技盤の表面を露呈して該露呈した箇所に遊技釘を配設可能とする開口が設けられており、該開口内に、遊技釘通路と、第１通路および第２通路が設けられるものとなっている。これにより、成型物通路から流出する遊技球が球受口を通過する割合の適正化や安定化を、簡便な構成で実現可能となる。
【０３３３】
また、参考発明１−８の遊技機は、参考発明１−７の遊技機において、
前記特定部材には、前記球受口を通過した遊技球を検知する球検知センサを収容可能な収容部が形成され、
前記収容部は、前記球検知センサを、該球検知センサの長手方向が前記遊技盤の表面に対して平行になる横向きとして収容可能な形状とされ、
前記収容部の外郭の一部を、前記球受口を通過しない遊技球を前記球受口から離間する方向へ誘導可能な誘導面としたことを特徴とするものである。
【０３３４】
このような遊技機によれば、球受口を通過した遊技球を検知する球検知センサを収容可能な収容部が特定部材に形成されており、その収容部は、球検知センサを横向き（球検知センサの長手方向を遊技盤面に対して平行にした状態）で収容可能な形状となっており、この収容部の外郭の一部が、受入口を通過しない遊技球を球受口から離間する方向へ誘導可能な誘導面となっている。つまり、収容部は、球検知センサの長手方向（横方向）のサイズ（寸法）に合わせた横長形状となっており、その横長形状の収容部の外郭を活かして、球受口を通過しない遊技球が球受口側へ向かわないようにする誘導面を設けている。これにより、球検知センサ収容部の外郭を活かして、成型物通路から流出した遊技球の安定した球受口への通過を実現することが可能となる。
【０３３５】
（参考発明２）
また、前述した実施例の他の遊技機として以下の態様を挙げることができる。従来、パチンコ遊技機等の遊技機において、検知センサで遊技球を検知すると識別情報を所定の変動態様に基づいて変動表示し、その識別情報が特定態様で停止表示すると、遊技者に所定の利益を付与可能な特別遊技を行うものや、検知センサで遊技球を検知することに基づいて所定の利益を付与する遊技機が知られている。この種の遊技機に搭載されている遊技球を検知する検知センサは、外形が矩形状とされており、長手方向の一方側に遊技球が通過する球通過穴が形成され、長手方向の他方側に基板等の電子部品を収納する箱部が形成されている（例えば、特開２０１６−１７２１５５号公報）。
【０３３６】
前述のような従来の遊技機では、検知センサの長手方向の一方側となる球通過穴を遊技盤の遊技領域側に突出させて、遊技領域の上流から流下してきた遊技球を球通過穴で受入れ、当該球通過穴を通過した遊技球を検知する構成としている。そして、検知センサの長手方向の他方側となる箱部を遊技盤裏面側に配置している。すなわち、遊技球を検知する検知センサを、矩形状の検知センサの長手方向が遊技盤の表面に対して略垂直となる向きで設置している。
【０３３７】
このような態様で検知センサを設置すると、遊技領域側には球通過部だけが突出し、余分な部分が突出しないため、遊技領域を広く確保することが可能となる。その反面、遊技盤の裏面側には検知センサの箱部側が位置することとなるため、検知センサを取付けた遊技盤部品を移送する際に当該検知センサが他の部材等に衝突して故障したり、遊技盤の裏面側領域を広く使用できなかったりする場合がある。本発明は、前述した事情に鑑みてなされたものであり、その目的とするところは、検知センサの設置態様によって、検知センサの故障を防止すると共に、遊技盤裏面側のスペースを広くし、趣向性の高い遊技機を提供することにある。
【０３３８】
前述した課題を解決するための参考発明２−１の遊技機は、
前面に遊技領域が形成される遊技盤と、
前記遊技領域を流下する遊技球を受入れ可能な球受口、及び、前記球受口から受入れた遊技球を検知する検知センサを収容可能な収容部を有して構成され、前記遊技盤の前面に取付可能な取付部材と、
前記収容部に収容され、遊技球を検知可能な検知センサと、を備え、
前記検知センサは、長手方向を前記遊技盤の表面に対して略平行にして、横向きに前記収容部に収容されることを特徴とするものである。
【０３３９】
このような遊技機によれば、遊技領域が形成される遊技盤の前面に取付け可能であって球受口と収容部とを有する取付部材と、当該取付部材の収容部に収容される検知センサと、を備えている。そして、検知センサは、取付部材の収容部に、当該検知センサの長手方向を遊技盤の表面に対して略平行に、横向きで収容される。これにより、遊技盤裏面側への検知センサが突出することを抑え、遊技盤裏面側の部品配置スペースを広くすることが可能となる。ここで、検知センサは、その上面側の外形が略矩形状とされており、当該矩形状の上面の長手方向一方側には上面から仮面に向けて遊技球が通過する通過穴が形成されている。また、長手方向一方側には基板や電気配線やコネクタ等の電気部品を収納する箱部が形成されている。このような検知センサ（球受口及び球出口を含んでもよい）を遊技球が通過可能な「遊技球通過ゲート」ともいう。
【０３４０】
また、参考発明２−２の遊技機は、参考発明２−１の遊技機において、
前記取付部材は、前記球受口から受入れた遊技球を前記遊技領域に流下させる球出口を有し、
前記球受口、前記収容部、及び、前記球出口は、前記遊技盤の前面側に突出して設けられ、
前記取付部材を前記遊技盤の前面に取付けた状態において、前記収容部に収容される前記検知センサは、前記遊技盤の裏面側に突出しないことを特徴とするものである。
【０３４１】
このような遊技機によれば、取付部材は、遊技領域を流下する遊技球を受け入れる球受口と、当該球受口で受け入れた遊技球を検知する検知センサを収容する収容部と、当該検知センサで検知した遊技球を遊技領域に流下させる球出口を有している。そして、これら球受口、収容部、及び、球出口は、遊技盤の前面側に突出して設けられている。また、取付部材を遊技盤の前面に取付けた状態において、収容部に収容される検知センサは、遊技盤の裏面側に突出しないように設けられている。
【０３４２】
これにより、検知センサを収容部に収容した取付部材を遊技盤前面に取付けた状態において、検知センサが遊技盤裏面側に突出しない構成としたので、取付部材を取付けた遊技盤を移動したり、移送したりする際に、検知センサが他の部品等と衝突して損傷するのを極力防止することが可能となる。またこれにより、遊技盤裏面側の部品配置スペースを広くすることが可能となる。
【０３４３】
また、参考発明２−３の遊技機は、参考発明２−２の遊技機において、
前記検知センサは、矩形状の筐体の長手方向一方側に遊技球が通過可能な通過穴を有すると共に、長手方向他方側に電子部品を収納する箱部を有して構成され、
前記取付部材は、前記収容部のうち、少なくとも前記箱部を収容する部分の外側上部遊技領域面が、遊技球を下方に誘導する傾斜状の球誘導部として形成され、
前記球受口に受入れられなかった遊技球を、前記球誘導部によって下方の前記遊技領域に誘導することを特徴とするものである。
【０３４４】
このような遊技機によれば、検知センサは矩形状の筐体を有している。そして、当該筐体の長手方向一方側には遊技球が通過する通過穴を有し、当該筐体の長手方向多方側には電子部品（例えば、基板やコネクタ等）を収納する箱部を有している。また、取付部材は、検知センサを収容する収容部のうち、少なくとも箱部を収容する部分の遊技領域側となる、外側上部遊技領域面に、遊技球を下方に誘導する傾斜状の球誘導部を形成している。そして、この球誘導部により、球受口に受入れられなかった遊技球を下方の遊技領域に誘導するものとしている。
【０３４５】
これにより、遊技盤裏面側に突出させないかわりに、遊技盤前面側に突出する検知センサの箱部に対して、その外側上部（収容部外側の遊技領域面）を、遊技球を下方に誘導する球誘導面とすることで、遊技球を効率的に流下させることが可能となる。また、球受口に受入れる遊技球は通過穴を通過させ、球受口に受入れられなかった遊技球を箱部上部の球誘導面で遊技領域下方（球受口から遠ざかる方向）に誘導することで、遊技球の流下態様を多様化することが可能となる。
【０３４６】
また、参考発明２−４の遊技機は、参考発明２−１乃至参考発明２−３の遊技機において、
前記取付部材の裏面側には、前記収容部の開口をカバーするカバー部材を有し、
前記カバー部材には、電気配線を所定方向に誘導可能な電気配線誘導部を設けることを特徴とするものである。
【０３４７】
このような遊技機によれば、検知センサを収容する収容部の開口部をカバーするカバー部材を設け、当該カバー部材には、電気配線を所定方向に誘導してまとめる電気配線誘導部を設ける。これにより、カバー部材により、収容部から検知センサが抜け落ちるのを防止すると共に、当該検知センサから伸びる電気配線や他の電気部品の配線を遊技盤裏面側で整理し、所定方向に効率よく誘導することが可能となる。またこれにより、遊技盤裏面側に設けた遊技部品等の設置スペースを有効活用することが可能となる。
【０３４８】
また、参考発明２−５の遊技機は、
前面に遊技領域が形成される遊技盤を含んで構成される第１ユニットと、
前記遊技領域を流下する遊技球を受け入れ可能な球受口、前記球受口から受入れた遊技球を検知する検知センサを収容可能な収容部、及び、前記球受口から受入れた遊技球を前記遊技領域に流下させる球出口を有して構成される取付部材と、前記収容部に収容され、遊技球を検知可能な検知センサと、を含んで構成される第２ユニットと、
を備え、
前記検知センサは、長手方向を前記遊技盤の表面に対して略平行にして、横向きに前記収容部に収容されており、
前記第２ユニットを、前記第１ユニットの前記遊技盤の前面に取付けて構成した遊技機であって、
前記第２ユニットを、前記第１ユニットに取付けた状態において、
前記球受口、前記収容部、及び、前記球出口は、前記遊技盤の前面側に突出して設けられ、
前記収容部に収容される前記検知センサは、前記遊技盤の裏面側に突出しないことを特徴とするものである。
【０３４９】
このような遊技機によれば、遊技盤を含んで構成される第１ユニットと、取付部材及び検知センサを含んで構成される第２ユニットと、を備え、検知センサは、第２ユニットにおいて、長手方向を遊技盤の表面に対して略平行に、横向きに収容されている。また、第２ユニットを、第１ユニットの遊技盤の前面に取付けて遊技機を構成するものとし、第２ユニットを第１ユニットに取付けた状態において、検知センサは遊技盤の裏面側に突出しない構成としている。
【０３５０】
これにより、検知センサを取付部材に収容した状態でユニット化し（第２ユニット）、当該ユニットを、遊技盤を含む第１ユニットに取付ける構成としている。また、第２ユニットの取付部材の収容部に対して、検知センサを長手方向を横にして横向きに収容しているため、第２ユニット裏面側への検知センサの突出を抑えることが可能となる。またこれにより、第２ユニットを移動させる際や、第２ユニットを第１ユニットに取付ける際に、検知センサが他の部品等と衝突して損傷するのを極力防止することが可能となる。
【０３５１】
また、参考発明２−６の遊技機は、参考発明２−５の遊技機において、
前記収容部に収容される前記検知センサは、前記取付部材の裏面側に突出しないことを特徴とするものである。
【０３５２】
このような遊技機によれば、第２ユニットの取付部材に収容する検知センサを、取付部材の裏面側に突出させない構成としている。これにより、検知センサが取付部材、すなわち、第２ユニットの裏面側に突出しないので、第２ユニットを移動させる（第２ユニット単独で持ち運ぶ）際や、第２ユニットを第１ユニットに取付ける際等に、検知センサが他の部品等と衝突して損傷するのを極力防止することが可能となる。
【符号の説明】
【０３５３】
１  パチンコ遊技機、２  遊技盤、３  遊技領域、３Ａ  左遊技領域、３Ｂ  右遊技領域、４  レール部材、５  盤面ランプ、６  球戻り防止片、７  画像表示装置、７ａ  表示画面、８  演出図柄、９ａ  第１演出保留、９ｂ  第２演出保留、９ｃ  第１演出保留表示領域（第１演出保留表示部）、９ｄ  第２演出保留表示領域（第２演出保留表示部）、１０  センター装飾体、１０ａ  通路形成面  １０ｂ  球通路、１０ｃ  開口、１１  ステージ部、１２  ワープ部、１３  装飾部材、１４  可動装飾部材、１６  遊技釘、２０  第１始動口、２１  第２始動口、２８  ゲート、２８ａ  ゲートセンサ、２８ｂ  収容部、２８ｃ  ゲート入口、２８ｄ  ゲート出口、２８ｈ  通過穴、２８ｓ  収納部、２８ｔ  傾斜面、２９  カバー部材、２９ａ，２９ｂ  突出片、３０  大入賞口、４１ａ  第１特別図柄表示器（第１特別図柄表示部）、４１ｂ  第２特別図柄表示器（第２特別図柄表示部）、８０  主制御基板（主制御部）、８１  遊技制御用マイコン、９０  サブ制御基板（サブ制御部）、９１  演出制御用マイコン、１００  画像制御基板（画像制御部）、１０１  画像制御用マイコン。
【図１】
2019010272.tif 000003
【図２】
2019010272.tif 000004
【図３】
2019010272.tif 000005
【図４】
2019010272.tif 000006
【図５】
2019010272.tif 000007
【図６】
2019010272.tif 000008
【図７】
2019010272.tif 000009
【図８】
2019010272.tif 000010
【図９】
2019010272.tif 000011
【図１０】
2019010272.tif 000012
【図１１】
2019010272.tif 000013
【図１２】
2019010272.tif 000014
【図１３】
2019010272.tif 000015
【図１４】
2019010272.tif 000016
【図１５】
2019010272.tif 000017
【図１６】
2019010272.tif 000018
【図１７】
2019010272.tif 000019
【図１８】
2019010272.tif 000020
【図１９】
2019010272.tif 000021
【図２０】
2019010272.tif 000022
【図２１】
2019010272.tif 000023
【図２２】
2019010272.tif 000024
【図２３】
2019010272.tif 000025
【図２４】
2019010272.tif 000026
【図２５】
2019010272.tif 000027
【図２６】
2019010272.tif 000028
【図２７】
2019010272.tif 000029
【図２８】
2019010272.tif 000030
【図２９】
2019010272.tif 000031
【図３０】
2019010272.tif 000032
【図３１】
2019010272.tif 000033
【図３２】
2019010272.tif 000034
【図３３】
2019010272.tif 000035
【図３４】
2019010272.tif 000036
【図３５】
2019010272.tif 000037
【図３６】
2019010272.tif 000038
【図３７】
2019010272.tif 000039
【図３８】
2019010272.tif 000040
【図３９】
2019010272.tif 000041
【図４０】
2019010272.tif 000042
【図４１】
2019010272.tif 000043
【図４２】
2019010272.tif 000044
【図４３】
2019010272.tif 000045
【図４４】
2019010272.tif 000046
【図４５】
2019010272.tif 000047
【図４６】
2019010272.tif 000048
【図４７】
2019010272.tif 000049
【図４８】
2019010272.tif 000050
【図４９】
2019010272.tif 000051
【図５０】
2019010272.tif 000052
【図５１】
2019010272.tif 000053
【図５２】
2019010272.tif 000054
【図５３】
2019010272.tif 000055
【図５４】
2019010272.tif 000056